(57)【要約】  本願は、情報伝送方法および装置を提供し、該方法は、ＩＡＢのシーンにおいて、ＩＡＢノードが第１のデータパケットを取得し、第１のＩＡＢノードが第１のデータパケットをＩＡＢ  ｄｏｎｏｒに送信することを含む。本願は、情報取得方法および装置、記憶媒体、並びに電子装置を更に提供する。【選択図】図４
2021523638.tif 000002
【特許請求の範囲】
【請求項１】
第１のＩＡＢノードがデータパケットを取得することと、
前記第１のＩＡＢノードが前記データパケットをＩＡＢ  ｄｏｎｏｒに送信することとを含む、
情報伝送方法。
【請求項２】
第１のＩＡＢノードがデータパケットを取得することは、
前記第１のＩＡＢノードがＵＥから送信された前記データパケットを受信することと、
前記第１のＩＡＢノード自身が前記データパケットを生成することと、
前記第１のＩＡＢノードが第２のＩＡＢノードから送信された前記データパケットを受信することとのいずれかを含む、
請求項１に記載の方法。
【請求項３】
前記第１のＩＡＢノードが前記データパケットをＩＡＢ  ｄｏｎｏｒに送信することは、
前記第１のＩＡＢノードが前記データパケットを前記ＩＡＢ  ｄｏｎｏｒに送信することと、
前記第１のＩＡＢノードが前記データパケットを次のホップ・ノードに送信し、前記次のホップ・ノードにより前記データパケットを前記ＩＡＢ  ｄｏｎｏｒに転送することとのいずれかを含む、
請求項１に記載の方法。
【請求項４】
前記第１のＩＡＢノードが前記データパケットをＩＡＢ  ｄｏｎｏｒに送信することは、
前記第１のＩＡＢノードが、制御プレーンの論理チャネルまたは制御プレーンのベアラにより前記データパケットを前記ＩＡＢ  ｄｏｎｏｒに送信することと、
前記第１のＩＡＢノードが、ユーザプレーンの論理チャネルまたはユーザプレーンのベアラにより前記データパケットを前記ＩＡＢ  ｄｏｎｏｒに送信することとのいずれかを含む、
請求項１に記載の方法。
【請求項５】
前記第１のＩＡＢノードが前記データパケットを取得した後、
前記第１のＩＡＢノードが前記データパケットにアダプテーション層のパケットヘッダを追加することを更に含み、
前記アダプテーション層のパケットヘッダに、送信先ノード情報、データパケットの属するＵＥ識別子、データパケットの属するベアラ識別子、データパケットの属するチャネル識別子、ルーティング経路情報、サービス品質ＱｏＳ情報、ＧＴＰトンネル情報、Ｆ１ＡＰ  ＩＤ情報、制御プレーン指示情報、ユーザプレーン指示情報、プロトコルタイプ指示情報、ロングフォーマット指示情報、ショートフォーマット指示情報の少なくとも１つが含まれている、
請求項１に記載の方法。
【請求項６】
前記第１のＩＡＢノードが前記データパケットにアダプテーション層のパケットヘッダを追加する前に、前記第１のＩＡＢノードが前記データパケットをＦ１ＡＰメッセージにパッケージすることを更に含み、
パッケージされた後のＦ１ＡＰメッセージに、Ｆ１ＡＰ  ＩＤ、データパケットの属するＵＥ識別子、データパケットの属するベアラ識別子、データパケットの属するチャネル識別子の少なくとも１つが含まれている、
請求項５に記載の方法。
【請求項７】
前記ＩＡＢ  ｄｏｎｏｒは、
ＩＡＢ  ｄｏｎｏｒ基地局と、
ＩＡＢ  ｄｏｎｏｒ  ＣＵと、
ＩＡＢ  ｄｏｎｏｒ  ＤＵと、
ＩＡＢ  ｄｏｎｏｒ  ＣＵ−ＵＰと、
ＩＡＢ  ｄｏｎｏｒ  ＣＵ−ＣＰとの少なくとも１つを含む、
請求項１に記載の方法。
【請求項８】
前記データパケットは、ユーザプレーンのデータパケットまたは制御プレーンデータパケットである、請求項１に記載の方法。
【請求項９】
ＩＡＢ  ｄｏｎｏｒ  ＤＵがＩＡＢノードから送信された制御プレーンデータパケットを受信することと、
前記ＩＡＢ  ｄｏｎｏｒ  ＤＵが、制御プレーンデータパケットを送信先集中型ユニット（ＣＵ）または送信先集中型ユニット−制御プレーン（送信先ＣＵ−ＣＰ）に送信し、または、ＣＵ−ＵＰ（ユーザプレーン）により前記制御プレーンデータパケットを前記送信先ＣＵ−ＣＰに転送することとを含む、
ＩＡＢ制御プレーンの情報伝送方法。
【請求項１０】
ＩＡＢ  ｄｏｎｏｒがデータパケットを受信するまたは自ら生成することと、
前記ＩＡＢ  ｄｏｎｏｒが１つまたは複数のホップ・ノードにより前記データパケットをＩＡＢノードに送信することとを含む、
情報伝送方法。
【請求項１１】
前記ＩＡＢ  ｄｏｎｏｒが１つまたは複数のホップ・ノードにより前記データパケットをＩＡＢノードに送信することは、
前記ＩＡＢ  ｄｏｎｏｒがＦ１  ＧＴＰ−ＵデータパケットまたはＦ１ＡＰメッセージまたはＥ１ＡＰメッセージにより前記データパケットを送信し、次のホップ・ノードにより前記データパケットを前記ＩＡＢノードに転送することを含む、
請求項１０に記載の方法。
【請求項１２】
前記Ｆ１  ＧＴＰ−ＵデータパケットまたはＦ１ＡＰメッセージまたはＥ１ＡＰメッセージに、
送信先ノード情報、前記データパケットの属するＵＥ識別子、前記データパケットの属するベアラ識別子、前記データパケットの属するチャネル識別子、ルーティング経路情報、ＱｏＳ情報、ＧＴＰトンネル情報、Ｆ１ＡＰ  ＩＤ情報、制御プレーン指示情報、ユーザプレーン指示情報、プロトコルタイプ指示情報の少なくとも１つが含まれている、
請求項１１に記載の方法。
【請求項１３】
前記ＩＡＢ  ｄｏｎｏｒがＦ１  ＧＴＰ−ＵデータパケットまたはＦ１ＡＰメッセージまたはＥ１ＡＰメッセージにより前記データパケットを次のホップ・ノードに送信した後、前記次のホップ・ノードが前記データパケットにアダプテーション層のパケットヘッダを追加することを更に含み、
前記アダプテーション層のパケットヘッダに、送信先ノード情報、前記データパケットの属するＵＥ識別子、前記データパケットの属するベアラ識別子、前記データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている、
請求項１１に記載の方法。
【請求項１４】
ＩＡＢノードが設定情報を取得することと、
前記ＩＡＢノードが前記設定情報に従って転送待ちのデータパケットの次のホップ・ノードを確定することとを含み、
前記設定情報に、送信先ノード情報、次のホップ・ノード情報、ルーティング経路情報、差別化されたサービスコードポイントＤＳＣＰとサービス品質フロー識別子ＱＦＩとの間のマッピング関係の少なくとも１つが含まれている、
情報取得方法。
【請求項１５】
ＩＡＢ  ｎｏｄｅが設定情報を取得することは、
前記ＩＡＢ  ｎｏｄｅがＦ１メッセージによりＣＵまたはＣＵ−ＣＰから前記設定情報を取得することを含む、
請求項１４に記載の方法。
【請求項１６】
ＩＡＢ  ｄｏｎｏｒ  ＤＵが設定情報を取得することと、
前記ＩＡＢ  ｄｏｎｏｒ  ＤＵが前記設定情報に従ってデータパケットを転送することとを含み、
前記設定情報に、
Ｆ１ＡＰ  ＩＤの間のマッピング関係と、
ＤＳＣＰとＱＦＩとの間のマッピング関係と、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係と、
ＩＰアドレスと送信先ノード情報との間のマッピング関係と、
ＵＥ識別子とＣＵ−ＣＰ識別子との間のマッピング関係と、
ＵＥ識別子と基地局識別子との間のマッピング関係と、
ＵＥ識別子とＩＡＢ  ｎｏｄｅ識別子との間のマッピング関係と、
Ｆ１  ＧＴＰ−ＵトンネルとＣＵ−ＣＰノード情報との間のマッピング関係と、
Ｆ１  ＧＴＰ−Ｕトンネルと送信先ノード情報との間のマッピング関係と、
ＵＥ識別子と送信先ノード情報との間のマッピング関係と、
ＵＥのシグナリング無線ベアラＳＲＢとＦ１  ＧＴＰ−Ｕトンネルとの間のマッピング関係と
の少なくとも１つが含まれている、
情報取得方法。
【請求項１７】
ＩＡＢ  ｄｏｎｏｒ  ＤＵが設定情報を取得することは、
前記ＩＡＢ  ｄｏｎｏｒ  ＤＵがＦ１メッセージによりＣＵまたはＣＵ−ＣＰから前記設定情報を取得することを含む、
請求項１６に記載の方法。
【請求項１８】
ＩＡＢ  ｄｏｎｏｒ  ＣＵ−ＵＰネットワーク要素が設定情報を取得することと、
前記ＩＡＢ  ｄｏｎｏｒ  ＣＵ−ＵＰが前記設定情報に従ってデータパケットを転送することとを含み、
前記設定情報に、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係と、
受信したデータパケットの属するＩＰアドレスと送信先ノード情報との間のマッピング関係と、
ＵＥ識別子とＣＵ−ＣＰ識別子との間のマッピング関係と、
ＵＥ識別子と基地局識別子／ＩＰアドレスとの間のマッピング関係と、
ＵＥ識別子とＩＡＢ  ｎｏｄｅ識別子との間のマッピング関係と、
Ｆ１  ＧＴＰ−ＵトンネルとＣＵ−ＣＰノード情報との間のマッピング関係と、
ＵＥのＳＲＢとＦ１  ＧＴＰ−Ｕトンネルとの間のマッピング関係と、
Ｆ１  ＧＴＰ−Ｕトンネルと送信先ノード情報との間のマッピング関係と、
ＵＥ識別子と送信先ノード情報との間のマッピング関係との少なくとも１つが含まれている、
情報取得方法。
【請求項１９】
ＩＡＢ  ｄｏｎｏｒ  ＣＵ−ＵＰネットワーク要素が設定情報を取得することは、
ＩＡＢ  ｄｏｎｏｒ  ＣＵ−ＵＰがＥ１メッセージによりＣＵ−ＣＰから前記設定情報を取得することを含む、
請求項１８に記載の方法。
【請求項２０】
ＩＡＢ  ｄｏｎｏｒ  ＣＵ−ＵＰとＩＡＢ  ｄｏｎｏｒ  ＤＵとの間でデータパケットを伝送することを含み、
前記データパケットにＧＴＰ−Ｕパケットヘッダが含まれ、
前記ＧＴＰ−Ｕパケットヘッダに、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、
情報伝送方法。
【請求項２１】
ＩＡＢ  ｄｏｎｏｒ  ＤＵとＩＡＢ  ｄｏｎｏｒ  ＣＵ−ＣＰとの間でＦ１ＡＰメッセージを伝送することを含み、
前記Ｆ１ＡＰメッセージに、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、
情報伝送方法。
【請求項２２】
ＩＡＢ  ｄｏｎｏｒ  ＣＵ−ＵＰとＩＡＢ  ｄｏｎｏｒ  ＣＵ−ＣＰとの間でＥ１ＡＰメッセージを伝送することを含み、
前記Ｅ１ＡＰメッセージに、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、
情報伝送方法。
【請求項２３】
第１のＩＡＢノードに適用され、
データパケットを取得するように構成される取得モジュールと、
前記データパケットをＩＡＢ  ｄｏｎｏｒに送信するように構成される送信モジュールとを備える、
情報伝送装置。
【請求項２４】
ＩＡＢ  ｄｏｎｏｒ  ＤＵに適用され、
ＩＡＢノードから送信された制御プレーンデータパケットを受信するように構成される受信モジュールと、
制御プレーンデータパケットを送信先集中型ユニット（ＣＵ）または送信先集中型ユニット−制御プレーン（送信先ＣＵ−ＣＰ）に送信し、または、ＣＵ−ＵＰ（ユーザプレーン）により前記制御プレーンデータパケットを前記送信先ＣＵ−ＣＰに転送するように構成される送信モジュールとを備える、
ＩＡＢ制御プレーンの情報伝送装置。
【請求項２５】
ＩＡＢ  ｄｏｎｏｒに適用され、
データパケットを受信するまたは自ら生成するように構成される確定モジュールと、
１つまたは複数のホップ・ノードにより前記データパケットをＩＡＢノードに送信するように構成される送信モジュールとを備える、
情報伝送装置。
【請求項２６】
ＩＡＢノードに適用され、
送信先ノード情報、次のホップ・ノード情報、ルーティング経路情報の少なくとも１つが含まれている設定情報を取得するように構成される取得モジュールと、
前記設定情報に従って転送待ちのデータパケットの次のホップ・ノードを確定するように構成される確定モジュールとを備える、
情報取得装置。
【請求項２７】
ＩＡＢ  ｄｏｎｏｒ  ＤＵに適用され、
設定情報を取得するように構成される取得モジュールと、
前記設定情報に従ってデータパケットを転送するように構成される確定モジュールとを備え、
前記設定情報に、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係と、
ＩＰアドレスと送信先ノード情報との間のマッピング関係と、
ＵＥ識別子とＣＵ−ＣＰ識別子との間のマッピング関係と、
ＵＥ識別子と基地局識別子との間のマッピング関係と、
ＵＥ識別子とＩＡＢ  ｎｏｄｅ識別子との間のマッピング関係と、
Ｆ１  ＧＴＰ−ＵトンネルとＣＵ−ＣＰノード情報との間のマッピング関係と、
Ｆ１  ＧＴＰ−Ｕトンネルと送信先ノード情報との間のマッピング関係と、
ＵＥ識別子と送信先ノード情報との間のマッピング関係と、
ＵＥのシグナリング無線ベアラＳＲＢとＦ１  ＧＴＰ−Ｕトンネルとの間のマッピング関係と
の少なくとも１つが含まれている、
ＩＡＢ情報取得装置。
【請求項２８】
ＩＡＢ  ｄｏｎｏｒ  ＣＵ−ＵＰネットワーク要素に適用され、
設定情報を取得するように構成される取得モジュールと、
前記設定情報に従ってデータパケットを転送するように構成される転送モジュールとを備え、
前記設定情報に、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係と、
受信したデータパケットの属するＩＰアドレスと送信先ノード情報との間のマッピング関係と、
ＵＥ識別子とＣＵ−ＣＰ識別子との間のマッピング関係と、
ＵＥ識別子と基地局識別子／ＩＰアドレスとの間のマッピング関係と、
ＵＥ識別子とＩＡＢ  ｎｏｄｅ識別子との間のマッピング関係と、
Ｆ１  ＧＴＰ−ＵトンネルとＣＵ−ＣＰノード情報との間のマッピング関係と、
ＵＥのＳＲＢとＦ１  ＧＴＰ−Ｕトンネルとの間のマッピング関係と、
Ｆ１  ＧＴＰ−Ｕトンネルと送信先ノード情報との間のマッピング関係と、
ＵＥ識別子と送信先ノード情報との間のマッピング関係との少なくとも１つが含まれている、
ＩＡＢ情報取得装置。
【請求項２９】
ＩＡＢ  ｄｏｎｏｒ  ＣＵ−ＵＰまたはＩＡＢ  ｄｏｎｏｒ  ＤＵに適用され、
前記ＩＡＢ  ｄｏｎｏｒ  ＣＵ−ＵＰと前記ＩＡＢ  ｄｏｎｏｒ  ＤＵとの間でデータパケットを伝送するように構成される伝送モジュールを備え、
前記データパケットにＧＴＰ−Ｕパケットヘッダが含まれ、
前記ＧＴＰ−Ｕパケットヘッダに、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報、情報伝送装置の少なくとも１つが含まれている、
情報伝送装置。
【請求項３０】
ＩＡＢ  ｄｏｎｏｒ  ＤＵまたはＩＡＢ  ｄｏｎｏｒ  ＣＵ−ＣＰに適用され、
前記ＩＡＢ  ｄｏｎｏｒ  ＤＵと前記ＩＡＢ  ｄｏｎｏｒ  ＣＵ−ＣＰとの間でＦ１ＡＰメッセージを伝送するように構成される伝送モジュールを備え、
前記Ｆ１ＡＰメッセージに、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、
情報伝送装置。
【請求項３１】
ＩＡＢ  ｄｏｎｏｒ  ＣＵ−ＵＰまたはＩＡＢ  ｄｏｎｏｒ  ＣＵ−ＣＰに適用され、
前記ＩＡＢ  ｄｏｎｏｒ  ＣＵ−ＵＰと前記ＩＡＢ  ｄｏｎｏｒ  ＣＵ−ＣＰとの間でＥ１ＡＰメッセージを伝送するように構成される伝送モジュールを備え、
前記Ｅ１ＡＰメッセージに、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、
情報伝送装置。
【請求項３２】
動作すると前記請求項１〜２２のいずれか１項に記載の方法を実行させるように構成されるコンピュータプログラムが記憶されている、
記憶媒体。
【請求項３３】
コンピュータプログラムが記憶されているメモリと、前記コンピュータプログラムを動作させて前記請求項１〜２２のいずれか１項に記載の方法を実行するように構成されるプロセッサとを備える、
電子装置。
【発明の詳細な説明】
【技術分野】
【０００１】
（関連出願の相互参照）
本願は、２０１８年５月１０日に中国専利局に提出された出願番号が２０１８１０４４５３２７．８である中国特許出願に対して優先権を主張するものであり、該出願の全ての内容を引用により本出願に援用する。
【０００２】
（技術分野）
本願は通信分野に関し、具体的には、情報伝送方法および装置に関する。
【背景技術】
【０００３】
関連技術において、ＮＲ（Ｎｅｗ  Ｒａｄｉｏ）は、ロングタームイボリューションシステムＬＴＥよりも大きな使用可能帯域幅を有し、大規模の分散型アンテナｍａｓｓｉｖｅ  ＭＩＭＯ、およびマルチビームｍｕｌｔｉ−ｂｅａｍの使用により、自己アクセスおよびバックホールリンク（ＩＡＢ、ｉｎｔｅｇｒａｔｅｄ  ａｃｃｅｓｓ  ａｎｄ  ｂａｃｋｈａｕｌ  ｌｉｎｋｓ）の研究および適用が可能となる。無線のバックホールリンクおよび中継リンクにより、密集したＮＲセルネットワークを柔軟に配置できる一方、伝送ネットワークの密集な配置を対応して追加する必要がない。ｉｎｔｅｇｒａｔｅｄ  ａｃｃｅｓｓ  ａｎｄ  ｂａｃｋｈａｕｌ  ｌｉｎｋｓが配置されたネットワークの一例は図１に示すとおりである。図１は、関連技術に係るＩＡＢのシーンの模式図であり、図１に示すように、Ａ、Ｂ、Ｃはいずれもアクセスノードであり、ユーザ機器は、ａｃｃｅｓｓ  ｌｉｎｋ（アクセスリンク）を介してアクセスノードＡ、Ｂ、Ｃにアクセスすることができるが、アクセスノードＡとコアネットワークとの間のみに有線接続が存在し、アクセスノードＢおよびＣと、コアネットワークのネットワーク要素との間に有線接続が存在しない。なお、ＩＡＢアーキテクチャーにおいて、制御シグナリングを正確に伝送や受信するために、制御シグナリングが中継転送をどのように行うかという問題は解決されるべきである。
【０００４】
関連技術における、新しいシステムに適用されるＩＡＢアーキテクチャーで情報を伝送する態様が欠乏しているという問題に対し、現在、有効な解決策は未だにない。
【発明の概要】
【発明が解決しようとする課題】
【０００５】
本願の実施例は、関連技術における、新しいシステムに適用されるＩＡＢアーキテクチャーで情報を伝送する態様が欠乏しているという問題を少なくとも解決するための情報伝送方法および装置を提供する。
【課題を解決するための手段】
【０００６】
本願の一実施例によれば、第１のＩＡＢノードが第１のデータパケットを取得することと、前記第１のＩＡＢノードが前記第１のデータパケットをＩＡＢ  ｄｏｎｏｒに送信することとを含む情報伝送方法を提供する。
【０００７】
本願の別の実施例によれば、ＩＡＢ  ｄｏｎｏｒ  ＤＵが第１のＩＡＢノードから送信された制御プレーンデータパケットを受信することと、前記ＩＡＢ  ｄｏｎｏｒ  ＤＵが、制御プレーンデータパケットを送信先集中型ユニット（送信先ＣＵ）または送信先集中型ユニット−制御プレーン（送信先ＣＵ−ＣＰ）に送信し、または、ＣＵ−ＵＰ（集中型ユニット−ユーザプレーン）により前記制御プレーンデータパケットを前記送信先ＣＵ−ＣＰに転送することとを含むＩＡＢ制御プレーンの情報伝送方法を更に提供する。
【０００８】
本願の別の実施例によれば、ＩＡＢ  ｄｏｎｏｒが第２のデータパケットを受信するまたは自ら生成することと、前記ＩＡＢ  ｄｏｎｏｒが１つまたは複数のホップ・ノードにより前記第２のデータパケットを第４のＩＡＢノードに送信することとを含む情報伝送方法を更に提供する。
【０００９】
本願の別の実施例によれば、第１のＩＡＢノードが、送信先ノード情報、次のホップ・ノード情報、ルーティング経路情報の少なくとも１つが含まれた第１の設定情報を取得することと、前記第１のＩＡＢノードが前記第１の設定情報に従って転送待ちのデータパケットの次のホップ・ノードを確定することとを含む情報取得方法を更に提供する。本願の別の実施例によれば、ＩＡＢ  ｄｏｎｏｒ  ＤＵは、ＵＥ識別子とＦ１ＡＰ  ＩＤとの間のマッピング関係と、ＵＥのシグナリング無線ベアラＳＲＢとＦ１ＡＰ  ＩＤとの間のマッピング関係と、ＵＥ識別子とＣＵ識別子との間のマッピング関係と、ＩＰアドレスと送信先ノード情報との間のマッピング関係と、ＵＥ識別子とＣＵ−ＣＰ識別子との間のマッピング関係と、ＵＥ識別子と基地局識別子との間のマッピング関係と、ＵＥ識別子とＩＡＢ  ｎｏｄｅ識別子との間のマッピング関係と、Ｆ１  ＧＴＰ−ＵトンネルとＣＵ−ＣＰノード情報とのマッピング関係と、Ｆ１  ＧＴＰ−Ｕトンネルと送信先ノード情報とのマッピング関係と、ＵＥ識別子と送信先ノード情報とのマッピング関係と、ＵＥのシグナリング無線ベアラＳＲＢとＦ１  ＧＴＰ−Ｕトンネルとの間のマッピング関係との少なくとも１つが含まれた第２の設定情報を取得することと、前記ＩＡＢ  ｄｏｎｏｒ  ＤＵが前記第２の設定情報に従ってデータパケットを転送することと含む情報取得方法を更に提供する。
【００１０】
本願の別の実施例によれば、
ＩＡＢ  ｄｏｎｏｒ  ＣＵ−ＵＰネットワーク要素が設定情報を取得することと、
前記ＩＡＢ  ｄｏｎｏｒ  ＣＵ−ＵＰが前記設定情報に従ってデータパケットを転送することとを含み、
前記設定情報に、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係と、
受信したデータパケットの属するＩＰアドレスと送信先ノード情報との間のマッピング関係と、
ＵＥ識別子とＣＵ−ＣＰ識別子との間のマッピング関係と、
ＵＥ識別子と基地局識別子／ＩＰアドレスとの間のマッピング関係と、
ＵＥ識別子とＩＡＢ  ｎｏｄｅ識別子との間のマッピング関係と、
Ｆ１  ＧＴＰ−ＵトンネルとＣＵ−ＣＰノード情報との間のマッピング関係と、
ＵＥのＳＲＢとＦ１  ＧＴＰ−Ｕトンネルとの間のマッピング関係と、
Ｆ１  ＧＴＰ−Ｕトンネルと送信先ノード情報との間のマッピング関係と、
ＵＥ識別子と送信先ノード情報との間のマッピング関係と、の少なくとも１つが含まれている、
情報取得方法を更に提供する。
【００１１】
本願の別の実施例によれば、ＩＡＢ  ｄｏｎｏｒ  ＣＵ−ＵＰとＩＡＢ  ｄｏｎｏｒ  ＤＵとの間でデータパケットを伝送することを含み、前記データパケットにＧＴＰ−Ｕパケットヘッダが含まれ、前記ＧＴＰ−Ｕパケットヘッダには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送方法を更に提供する。
【００１２】
本願の別の実施例によれば、ＩＡＢ  ｄｏｎｏｒ  ＤＵとＩＡＢ  ｄｏｎｏｒ  ＣＵ−ＣＰとの間でＦ１ＡＰメッセージを伝送することを含み、前記Ｆ１ＡＰメッセージには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送方法を更に提供する。
【００１３】
本願の別の実施例によれば、ＩＡＢ  ｄｏｎｏｒ  ＣＵ−ＵＰとＩＡＢ  ｄｏｎｏｒ  ＣＵ−ＣＰとの間でＥ１ＡＰメッセージを伝送することを含み、前記Ｅ１ＡＰメッセージには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送方法を更に提供する。
【００１４】
本願の別の実施例によれば、第１のＩＡＢノードに適用され、第１のデータパケットを取得するように構成される第１の取得モジュールと、前記第１のデータパケットをＩＡＢ  ｄｏｎｏｒに送信するように構成される第１の送信モジュールとを備える情報伝送装置を更に提供する。
【００１５】
本願の別の実施例によれば、ＩＡＢ  ｄｏｎｏｒ  ＤＵに適用され、第１のＩＡＢノードから送信された制御プレーンデータパケットを受信するように構成される第２の受信モジュールと、制御プレーンデータパケットを送信先集中型ユニット（ＣＵ）または送信先集中型ユニット−制御プレーン（送信先ＣＵ−ＣＰ）に送信し、または、ＣＵ−ＵＰ（ユーザプレーン）により前記制御プレーンデータパケットを前記送信先ＣＵ−ＣＰに転送するように構成される第２の送信モジュールとを備えるＩＡＢ制御プレーンの情報伝送装置を更に提供する。
【００１６】
本願の別の実施例によれば、ＩＡＢ  ｄｏｎｏｒに適用され、第２のデータパケットを受信するまたは自ら生成するように構成される第１の確定モジュールと、１つまたは複数のホップ・ノードにより前記第２のデータパケットを第４のＩＡＢノードに送信するように構成される第３の送信モジュールとを備える情報伝送装置を更に提供する。
【００１７】
本願の別の実施例によれば、第１のＩＡＢノードに適用され、送信先ノード情報、次のホップ・ノード情報、ルーティング経路情報の少なくとも１つが含まれた第１の設定情報を取得するように構成される第２の取得モジュールと、前記第１の設定情報に従って転送待ちのデータパケットの次のホップ・ノードを確定するように構成される第２の確定モジュールとを備える情報取得装置を更に提供する。
【００１８】
本願の別の実施例によれば、ＩＡＢ  ｄｏｎｏｒ  ＤＵに適用され、第２の設定情報を取得するように構成される第３の取得モジュールと、前記第２の設定情報に従ってデータパケットを転送するように構成される第３の確定モジュールとを備え、前記第２の設定情報に、ＵＥ識別子とＦ１ＡＰ  ＩＤとの間のマッピング関係と、ＵＥのシグナリング無線ベアラＳＲＢとＦ１ＡＰ  ＩＤとの間のマッピング関係と、ＵＥ識別子とＣＵ識別子との間のマッピング関係と、ＩＰアドレスと送信先ノード情報との間のマッピング関係と、ＵＥ識別子とＣＵ−ＣＰ識別子との間のマッピング関係と、ＵＥ識別子と基地局識別子との間のマッピング関係と、ＵＥ識別子とＩＡＢ  ｎｏｄｅ識別子との間のマッピング関係と、Ｆ１  ＧＴＰ−ＵトンネルとＣＵ−ＣＰノード情報とのマッピング関係と、Ｆ１  ＧＴＰ−Ｕトンネルと送信先ノード情報とのマッピング関係と、ＵＥ識別子と送信先ノード情報とのマッピング関係と、ＵＥのシグナリング無線ベアラＳＲＢとＦ１  ＧＴＰ−Ｕトンネルとの間のマッピング関係との少なくとも１つが含まれている、ＩＡＢ制御プレーン情報の取得装置を更に提供する。
【００１９】
本願の別の実施例によれば、ＩＡＢ  ｄｏｎｏｒ  ＣＵ−ＵＰネットワーク要素に適用され、第３の設定情報を取得するように構成される第４の取得モジュールと、前記第３の設定情報に従ってデータパケットを転送するように構成される転送モジュールとを備え、前記第３の設定情報に、ＵＥ識別子とＦ１ＡＰ  ＩＤとの間のマッピング関係と、ＵＥのシグナリング無線ベアラＳＲＢとＦ１ＡＰ  ＩＤとの間のマッピング関係と、ＵＥ識別子とＣＵ識別子との間のマッピング関係と、受信したデータパケットの属するＩＰアドレスと送信先ノード情報との間のマッピング関係と、ＵＥ識別子とＣＵ−ＣＰ識別子との間のマッピング関係と、ＵＥ識別子と基地局識別子／ＩＰアドレスとの間のマッピング関係と、ＵＥ識別子とＩＡＢ  ｎｏｄｅ識別子との間のマッピング関係と、Ｆ１  ＧＴＰ−ＵトンネルとＣＵ−ＣＰノード情報とのマッピング関係と、ＵＥのＳＲＢとＦ１  ＧＴＰ−Ｕトンネルとの間のマッピング関係と、Ｆ１  ＧＴＰ−Ｕトンネルと送信先ノード情報とのマッピング関係と、ＵＥ識別子と送信先ノード情報とのマッピング関係との少なくとも１つが含まれている、ＩＡＢ制御プレーン情報の取得装置を更に提供する。
【００２０】
本願の別の実施例によれば、ＩＡＢ  ｄｏｎｏｒ  ＣＵ−ＵＰまたはＩＡＢ  ｄｏｎｏｒ  ＤＵに適用され、前記ＩＡＢ  ｄｏｎｏｒ  ＣＵ−ＵＰと前記ＩＡＢ  ｄｏｎｏｒ  ＤＵとの間でデータパケットを伝送するように構成される第１の伝送モジュールを備え、前記データパケットにＧＴＰ−Ｕパケットヘッダが含まれ、前記ＧＴＰ−Ｕパケットヘッダには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送装置を更に提供する。
【００２１】
本願の別の実施例によれば、ＩＡＢ  ｄｏｎｏｒ  ＤＵまたはＩＡＢ  ｄｏｎｏｒ  ＣＵ−ＣＰに適用され、前記ＩＡＢ  ｄｏｎｏｒ  ＤＵと前記ＩＡＢ  ｄｏｎｏｒ  ＣＵ−ＣＰとの間でＦ１ＡＰメッセージを伝送するように構成される第２の伝送モジュールを備え、前記Ｆ１ＡＰメッセージには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送装置を更に提供する。
【００２２】
本願の別の実施例によれば、ＩＡＢ  ｄｏｎｏｒ  ＣＵ−ＵＰまたはＩＡＢ  ｄｏｎｏｒ  ＣＵ−ＣＰに適用され、前記ＩＡＢ  ｄｏｎｏｒ  ＣＵ−ＵＰと前記ＩＡＢ  ｄｏｎｏｒ  ＣＵ−ＣＰとの間でＥ１ＡＰメッセージを伝送するように構成される第３の伝送モジュールを備え、前記Ｅ１ＡＰメッセージには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送装置を更に提供する。
【００２３】
本願の更なる実施例によれば、動作すると上記いずれかの実施例に記載の方法を実行させるように構成されるコンピュータプログラムが記憶されている記憶媒体を更に提供する。
【００２４】
本願の更なる実施例によれば、コンピュータプログラムが記憶されているメモリと、前記コンピュータプログラムを動作させて上記いずれかの実施例に記載の方法を実行するように構成されるプロセッサとを備える電子装置を更に提供する。
【発明の効果】
【００２５】
本願により、ＩＡＢのシーンにおいて、ＩＡＢノードは第１のデータパケットを取得し、第１のＩＡＢノードは第１のデータパケットをＩＡＢ  ｄｏｎｏｒに送信し、上記技術案を採用することにより、関連技術における、新しいシステムに適用されるＩＡＢアーキテクチャーで情報を伝送する態様が欠乏しているという問題を解決し、ＩＡＢノードが情報をＩＡＢ  ｄｏｎｏｒに伝送することを実現する。
【図面の簡単な説明】
【００２６】
ここで説明する図面は、本願に対する更なる理解を提供するためのものであり、本願の一部を構成し、本願の例示的な実施例およびその説明は、本願を解釈するためのものであり、本願を不当に限定するものではない。
【００２７】
【図１】関連技術によるＩＡＢのシーンの模式図である。
【図２】関連技術によるＩＡＢ配置シーンにおける非ＣＵ／ＤＵ分離の模式図である。
【図３】関連技術によるＩＡＢ配置シーンにおけるＣＵ／ＤＵ分離の模式図である。
【図４】本願の実施例による情報伝送方法のフローチャートである。
【図５】具体的な実施例１によるＵＥとＡＭＦとの間のプロトコルスタックの模式図である。
【図６】具体的な実施例２によるＵＥとＡＭＦとの間のプロトコルスタックの模式図である。
【図７】具体的な実施例３によるＵＥとＡＭＦとの間のプロトコルスタックの模式図である。
【図８ａ】具体的な実施例４によるＵＥとＡＭＦとの間のプロトコルスタックの模式図１である。
【図８ｂ】具体的な実施例４によるＣＵ−ＵＰ上にアダプテーション層が存在するプロトコルスタックの模式図である。
【図８ｃ】具体的な実施例４によるＣＵ−ＵＰおよびＣＵ−ＣＰ上にアダプテーション層が存在するプロトコルスタックの模式図である。
【図９】本願の具体的な実施例５によるＵＥとＡＭＦとの間のプロトコルスタックの模式図である。
【図１０】本願の具体的な実施例６によるＩＡＢ  ｎｏｄｅ  １とＡＭＦとの間のプロトコルスタックの模式図である。
【図１１】本願の具体的な実施例７によるＵＥとＡＭＦとの間のプロトコルスタックの模式図である。
【図１２】本願の具体的な実施例８によるＵＥとＡＭＦとの間のプロトコルスタックの模式図である。
【図１３】本願の具体的な実施例９によるＵＥとＡＭＦとの間のプロトコルスタックの模式図である。
【図１４】本願の具体的な実施例１０によるＩＡＢ  ｎｏｄｅ  １とＡＭＦとの間のプロトコルスタックの模式図である。
【発明を実施するための形態】
【００２８】
以下、図面および実施例を参照しながら本願について詳細に説明する。なお、矛盾しない限り、本願に係る実施例と実施例における特徴は、互いに任意に組み合わせることができる。
【００２９】
なお、本願の明細書、特許請求の範囲および上記図面における「第１の」、「第２の」等という用語は、類似する対象を区別するためのものであり、特定の順序または優先順位を記述するために用いる必要わけではない。
【００３０】
本願の実施例において、移動通信ネットワーク（５Ｇ移動通信ネットワークを含んでもよいが、これに限定されない）を提供し、該ネットワークのネットワークアーキテクチャーは、ネットワーク側デバイス（例えば、基地局）および端末を含んでもよい。本実施例において、上記ネットワークアーキテクチャーで動作可能な情報伝送方法を提供し、なお、本願の実施例に係る上記情報伝送方法の動作環境は、上記ネットワークアーキテクチャーに限定されない。本願の書類におけるＩＡＢノードは、基地局の一部または全てのデバイスであってもよい。本願の書類におけるＦ１ＡＰ、Ｅ１ＡＰは、いずれも３ＧＰＰ規格における用語である。
【実施例１】
【００３１】
本願の書類の応用シーンは図１に示すように、ここで、ユーザ機器（Ｕｓｅｒ  Ｅｑｕｉｐｍｅｎｔ、ＵＥ）の無線アクセスをサポートしてユーザプレーンまたは制御プレーンデータパケットを無線バックホールするアクセスノードをＩＡＢノード（ＩＡＢ  ｎｏｄｅ）と呼ぶ。ＩＡＢ  ｎｏｄｅに無線バックホール機能を提供してＵＥとコアネットワークとを接続させるアクセスノードをＩＡＢ  ｄｏｎｏｒと呼ぶ。アクセスノード間で、無線のバックホールリンクｂａｃｋｈａｕｌ  ｌｉｎｋを介してユーザプレーンまたは制御プレーンデータパケットを伝送することができる。例えば、アクセスノードＢは無線のｂａｃｋｈａｕｌ  ｌｉｎｋを介してＵＥから受信したデータパケットをアクセスノードＡに送信した後、アクセスノードＡは更にＵＥデータパケットをコアネットワークのネットワーク要素に送信することができる。下りの場合、コアネットワークのネットワーク要素はＵＥデータパケットをアクセスノードＡに送信した後、アクセスノードＡは更に無線のｂａｃｋｈａｕｌ  ｌｉｎｋを介してＵＥデータパケットをアクセスノードＢに送信し、アクセスノードＢは更にａｃｃｅｓｓ  ｌｉｎｋを介してＵＥデータをＵＥに送信することができる。Ａｃｃｅｓｓ  ｌｉｎｋとｂａｃｋｈａｕｌ  ｌｉｎｋとは、同じまたは異なるキャリア周波数を使用してもよい。また、ユーザプレーンまたは制御プレーンデータパケットは、アクセスノードとコアネットワークのネットワーク要素との間の複数のホップの中継バックホールリンクを介して伝送できる。図２は、関連技術によるＩＡＢ配置シーンにおける非ＣＵ／ＤＵ分離の模式図であり、図２に示すように、ＵＥの上りデータパケットは、２つのＩＡＢ  ｎｏｄｅによりＩＡＢ  ｄｏｎｏｒに送信された後、更に５Ｇコアネットワーク（ＮＧＣ）に送信することができる。一方、ＣＵ／ＤＵ分離配置をサポートすることは、ＮＲにおける１つの重要な技術的特徴であり、図３は、関連技術によるＩＡＢ配置シーンにおけるＣＵ／ＤＵ分離の模式図であり、図３に示すように、ｇＮＢは、集中型ユニット（Ｃｅｎｔｒａｌｉｚｅｄ  Ｕｎｉｔ、ＣＵと略称する）および分散型ユニット（Ｄｉｓｔｒｉｂｕｔｅｄ  Ｕｎｉｔ、ＤＵと略称する）の論理機能から構成されるため、ＣＵ／ＤＵ分離配置のシーンでＩＡＢ機能をサポートする必要がある。また、ＣＵは制御プレーン（ＣＵ−ＣＰと呼ばれてもよい）およびユーザプレーン（ＣＵ−ＵＰと呼ばれてもよい）の論理機能から構成されてもよい。
【００３２】
本実施例において、ＩＡＢのシーンで動作可能な情報伝送方法を提供し、図４は、本願の実施例による情報伝送方法のフローチャートであり、図４に示すように、該フローは以下のステップを含む。
【００３３】
ステップＳ４０２において、第１のＩＡＢノードが第１のデータパケットを取得する。
【００３４】
ステップＳ４０４において、前記第１のＩＡＢノードが前記第１のデータパケットをＩＡＢ  ｄｏｎｏｒに送信する。
【００３５】
上記ステップにより、ＩＡＢのシーンで、ＩＡＢノードが第１のデータパケットを取得し、第１のＩＡＢノードが第１のデータパケットをＩＡＢ  ｄｏｎｏｒに送信し、上記技術案を採用することにより、関連技術における、新しいシステムに適用されるＩＡＢアーキテクチャーで情報を伝送する態様が欠乏しているという問題を解決し、ＩＡＢノードが情報をＩＡＢ  ｄｏｎｏｒに伝送することを実現する。
【００３６】
好ましくは、ステップＳ４０２およびステップＳ４０４の実行順序は互いに交換でき、すなわち、ステップＳ４０４を実行してからＳ４０２を実行してもよい。
【００３７】
好ましくは、第１のＩＡＢノードが第１のデータパケットを取得することは、前記第１のＩＡＢノードがＵＥから送信された第１のデータパケットを受信することと、前記第１のＩＡＢノード自身が前記第１のデータパケットを生成することと、前記第１のＩＡＢノードが前記第２のＩＡＢノードから送信された第１のデータパケットを受信することとのいずれかを含む。ここで、ＩＡＢが第１のデータパケットを取得する３種の形式を列挙したが、これらに限定されない。
【００３８】
好ましくは、前記第１のＩＡＢノードが前記第１のデータパケットをＩＡＢ  ｄｏｎｏｒに送信することは、前記第１のＩＡＢノードが前記第１のデータパケットを前記ＩＡＢ  ｄｏｎｏｒに送信することと、前記第１のＩＡＢノードが前記第１のデータパケットを次のホップ・ノードに送信し、前記次のホップ・ノードにより前記第１のデータパケットを前記ＩＡＢ  ｄｏｎｏｒに転送することとのいずれかを含む。前記第１のＩＡＢノードが前記第１のデータパケットを前記ＩＡＢ  ｄｏｎｏｒに送信することは、第１のＩＡＢノードが第１のデータパケットをＩＡＢ  ｄｏｎｏｒに直接送信し、中間の１つまたは複数のホップ・ノードにより転送する必要がないと理解できる。
【００３９】
好ましくは、前記第１のＩＡＢノードが前記第１のデータパケットをＩＡＢ  ｄｏｎｏｒに送信することは、前記第１のＩＡＢノードが制御プレーンの論理チャネルまたは制御プレーンのベアラにより前記第１のデータパケットを前記ＩＡＢ  ｄｏｎｏｒに送信することと、前記第１のＩＡＢノードがユーザプレーンの論理チャネルまたはユーザプレーンのベアラにより前記第１のデータパケットを前記ＩＡＢ  ｄｏｎｏｒに送信することとのいずれかを含む。
【００４０】
好ましくは、第１のＩＡＢノードが第１のデータパケットを取得した後、前記第１のＩＡＢノードは前記第１のデータパケットにアダプテーション層のパケットヘッダを追加し、前記アダプテーション層のパケットヘッダに、送信先ノード情報、第１のデータパケットの属するＵＥ識別子、第１のデータパケットの属するベアラ識別子、第１のデータパケットの属するチャネル識別子、ルーティング経路情報、サービス品質ＱｏＳ（Ｑｕａｌｉｔｙ  ｏｆ  ｓｅｒｖｉｕｃｅ）情報、ＧＴＰトンネル情報（ＧＰＲＳトンネルプロトコル、ＧＴＰと呼ばれてもよい）、Ｆ１ＡＰ  ＩＤ情報（ＩＤ情報は識別情報であってもよい）、制御プレーン指示情報、ユーザプレーン指示情報、プロトコルタイプ指示情報、ロングフォーマット指示情報、ショートフォーマット指示情報の少なくとも１つが含まれている。
【００４１】
なお、１つのデータパケットの最終的に送信されるＩＡＢ  ｄｏｎｏｒまたはＩＡＢノードは送信先ノードと呼ばれ、現在のＩＡＢノードと送信先ノードとの間のノードは、１つまたは複数のホップ・ノードと呼ばれてもよい。
【００４２】
好ましくは、送信先ノード情報は、
ＩＡＢ  ｎｏｄｅ識別子、ＤＵ識別子、ＣＵ識別子、基地局識別子、ＣＵ−ＵＰ識別子、ＣＵ−ＣＰ識別子、ＡＭＦ識別子、セル識別子、送信先インデックス番号のような送信先ノードの識別子、
または、送信先ノードのＩＰアドレス、
または、送信先ノードのＩＰアドレスインデックス情報、
または、次のホップ・ノード情報、
を含んでもよいが、これらに限定されない。
【００４３】
好ましくは、データパケットの属するＵＥ識別子情報は、データパケットの属するＵＥのＵＥ識別子またはデータパケットの属するＩＡＢ  ｎｏｄｅのＵＥ識別子であり、更に、ＵＥ識別子は、Ｅ１ＡＰ  ＩＤ、Ｆ１ＡＰ  ＩＤ、セル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ、Ｃ−ＲＮＴＩ）、Ｓ１  ＡＰ  ＩＤ、Ｘ２  ＡＰ  ＩＤ、ＮＧ  ＡＰ  ＩＤ、Ｘｎ  ＡＰ  ＩＤ、新規定義の識別子を含んでもよいが、これらに限定されない。
【００４４】
好ましくは、データパケットの属するベアラ／チャネル識別子情報は、データパケットの属するＵＥのベアラ／チャネルの識別子またはデータパケットの属するＩＡＢ  ｎｏｄｅのベアラ／チャネルの識別子である。前記ベアラ識別子は、ＤＲＢ  ＩＤ、ＳＲＢ  ＩＤ、ＬＣＩＤ、ＱｏＳフロー識別子（Ｑｕａｌｉｔｙ  ｏｆ  Ｓｅｒｖｉｃｅ  ｆｌｏｗ  Ｉｄｅｎｔｉｆｉｅｒ、ＱＦＩ、）フロー（ｆｌｏｗ）識別子の１つである。
【００４５】
好ましくは、ルーティング経路情報は、
ルーティング経路識別子、ルーティング経路番号、ルーティング経路インデックス番号を含んでもよいが、これらに限定されない。
【００４６】
好ましくは、ＱｏＳ関連情報は、サービス品質クラス識別子（ＱｏＳ  Ｃｌａｓｓ  Ｉｄｅｎｔｉｆｉｅｒ、ＱＣＩ）、または第５世代移動通信サービス品質指標（５ｔｈ−Ｇｅｎｅｒａｔｉｏｎ  ＱｏＳ  Ｉｎｄｉｃａｔｏｒ、５ＱＩ）、またはＱＦＩ、または差別化されたサービスコードポイント（Ｄｉｆｆｅｒｅｎｔｉａｔｅｄ  Ｓｅｒｖｉｃｅｓ  Ｃｏｄｅ  Ｐｏｉｎｔ、ＤＳＣＰ）値を含んでもよいが、これらに限定されない。
【００４７】
好ましくは、ＧＴＰトンネル情報に、伝送ネットワーク層（Ｔｒａｎｓｐｏｒｔ  Ｎｅｔｗｏｒｋ  Ｌａｙｅｒ、ＴＮＬ）アドレスおよび／またはＧＴＰトンネル端点識別子（Ｔｕｎｎｅｌ  Ｅｎｄ  ｐｏｉｎｔ  Ｉｄｅｎｔｉｆｉｅｒ、ＴＥＩＤ）情報が含まれている。
【００４８】
好ましくは、プロトコルタイプ指示情報は、ＲＲＣメッセージ、ＮＡＳメッセージ、Ｆ１ＡＰメッセージ、ＯＡＭ情報を含んでもよいが、これらに限定されない。
【００４９】
好ましくは、ロングフォーマット指示情報は、アダプテーション層のパケットヘッダにロングフォーマット指示情報以外の他の情報が含まれることを指示するために用いられ、ショートフォーマット指示情報は、アダプテーション層のパケットヘッダにショートフォーマット指示情報のみが含まれることを指示するために用いられる。
【００５０】
好ましくは、前記第１のＩＡＢノードが前記第１のデータパケットにアダプテーション層のパケットヘッダを追加する前に、前記方法は、前記第１のＩＡＢノードが前記第１のデータパケットをＦ１ＡＰメッセージにパッケージすることを更に含み、パッケージした後のＦ１ＡＰメッセージに、Ｆ１ＡＰ  ＩＤ、第１のデータパケットの属するＵＥ識別子、第１のデータパケットの属するベアラ識別子、第１のデータパケットの属するチャネル識別子の少なくとも１つが含まれている。第１のデータパケットの属するＵＥ識別子は、第１のデータパケットを送信するＵＥの識別子であってもよいし、第１のデータパケットを生成するＵＥであってもよい。
【００５１】
好ましくは、前記ＩＡＢ  ｄｏｎｏｒは、ＩＡＢ  ｄｏｎｏｒ基地局と、ＩＡＢ  ｄｏｎｏｒ  ＣＵと、ＩＡＢ  ｄｏｎｏｒ  ＤＵと、ＩＡＢ  ｄｏｎｏｒ  ＣＵ−ＵＰと、ＩＡＢ  ｄｏｎｏｒ  ＣＵ−ＣＰとの少なくとも１つを含む。
【００５２】
好ましくは、前記第１のデータパケットは、ユーザプレーンのデータパケットまたは制御プレーンデータパケットであり、具体的には、ＮＡＳメッセージ、ＲＲＣメッセージ、Ｆ１メッセージ、Ｓ１シグナリング、Ｘ２シグナリング、ＮＧシグナリング、Ｘｎシグナリング、ＯＡＭ情報であってもよい。
【００５３】
本願の別の実施例によれば、以下のステップを含むＩＡＢ制御プレーンの情報伝送方法を更に提供する。
【００５４】
ステップ１において、ＩＡＢ  ｄｏｎｏｒ  ＤＵが第１のＩＡＢノードから送信された制御プレーンデータパケットを受信する。
【００５５】
ステップ２において、前記ＩＡＢ  ｄｏｎｏｒ  ＤＵが、制御プレーンデータパケットを送信先集中型ユニット（ＣＵ）または送信先集中型ユニット−制御プレーン（送信先ＣＵ−ＣＰ）に送信し、または、ＣＵ−ＵＰ（ユーザプレーン）により前記制御プレーンデータパケットを前記送信先ＣＵ−ＣＰに転送する。
【００５６】
上記技術案を採用することにより、新しいシステムに適用される、ＩＡＢ  ｄｏｎｏｒ  ＤＵが制御プレーンデータパケットを送信する方式が与えられる。
【００５７】
本願の別の実施例によれば、以下のステップを含む情報伝送方法を更に提供する。
【００５８】
ステップ１において、ＩＡＢ  ｄｏｎｏｒが第２のデータパケットを受信するまたは自ら生成する。
【００５９】
ステップ２において、前記ＩＡＢ  ｄｏｎｏｒが１つまたは複数のホップ・ノードにより前記第２のデータパケットを第４のＩＡＢノードに送信する。
【００６０】
上記ステップ２における第４のＩＡＢノードは、異なるＩＡＢノードを指示するためのものであってもよく、ネットワークアーキテクチャーの意味がない。
【００６１】
上記技術案を採用することにより、新しいシステムに適用される、ＩＡＢ  ｄｏｎｏｒが第２のデータパケットを送信する方式が与えられる。
【００６２】
好ましくは、前記ＩＡＢ  ｄｏｎｏｒが１つまたは複数のホップ・ノードにより前記第２のデータパケットを第４のＩＡＢノードに送信することは、前記ＩＡＢ  ｄｏｎｏｒがＦ１  ＧＴＰ−ＵデータパケットまたはＦ１ＡＰメッセージまたはＥ１ＡＰメッセージにより前記第２のデータパケットを送信し、次のホップ・ノードにより前記第２のデータパケットを前記第４のＩＡＢノードに転送することを含む。
【００６３】
好ましくは、前記Ｆ１  ＧＴＰ−ＵデータパケットまたはＦ１ＡＰメッセージまたはＥ１ＡＰメッセージに、
送信先ノード情報、前記第２のデータパケットの属するＵＥ識別子、前記第２のデータパケットの属するベアラ識別子、前記第２のデータパケットの属するチャネル識別子、ルーティング経路情報、ＱｏＳ情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【００６４】
好ましくは、前記ＩＡＢ  ｄｏｎｏｒがＦ１  ＧＴＰ−ＵデータパケットまたはＦ１ＡＰメッセージまたはＥ１ＡＰメッセージにより前記第２のデータパケットを次のホップ・ノードに送信した後、前記次のホップ・ノードは前記データパケットにアダプテーション層のパケットヘッダを追加し、前記アダプテーション層のパケットヘッダに、送信先ノード情報、前記第２のデータパケットの属するＵＥ識別子、前記第２のデータパケットの属するベアラ識別子、前記第２のデータパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【００６５】
好ましくは、送信先ノード情報は、
ＩＡＢ  ｎｏｄｅ識別子、ＤＵ識別子、ＣＵ識別子、基地局識別子、ＣＵ−ＵＰ識別子、ＣＵ−ＣＰ識別子、ＡＭＦ識別子、セル識別子、送信先インデックス番号のような送信先ノードの識別子、
または、送信先ノードのＩＰアドレス、
または、送信先ノードのＩＰアドレスインデックス情報、
または、次のホップ・ノード情報、
を含んでもよいが、これらに限定されない。
【００６６】
好ましくは、データパケットの属するＵＥ識別子情報は、データパケットの属するＵＥのＵＥ識別子またはデータパケットの属するＩＡＢ  ｎｏｄｅのＵＥ識別子であり、更に、ＵＥ識別子は、Ｅ１ＡＰ  ＩＤ、Ｆ１ＡＰ  ＩＤ、Ｃ−ＲＮＴＩ、Ｓ１  ＡＰ  ＩＤ、Ｘ２  ＡＰ  ＩＤ、ＮＧ  ＡＰ  ＩＤ、Ｘｎ  ＡＰ  ＩＤ、新規定義の識別子を含んでもよいが、これらに限定されない。
【００６７】
好ましくは、データパケットの属するベアラ／チャネル識別子情報は、データパケットの属するＵＥのベアラ／チャネルの識別子またはデータパケットの属するＩＡＢ  ｎｏｄｅのベアラ／チャネルの識別子である。前記ベアラ識別子は、ＤＲＢ  ＩＤ、ＳＲＢ  ＩＤ、ＬＣＩＤ、ＱＦＩ、ｆｌｏｗ識別子の１つである。
【００６８】
好ましくは、ルーティング経路情報は、
ルーティング経路識別子、ルーティング経路番号、ルーティング経路インデックス番号を含んでもよいが、これらに限定されない。
【００６９】
好ましくは、ＱｏＳ関連情報は、ＱＣＩ、または５ＱＩ、またはＱＦＩ、またはＤＳＣＰ値を含んでもよいが、これらに限定されない。
【００７０】
好ましくは、ＧＴＰトンネル情報は、ＴＮＬアドレスおよび／またはＧＴＰ  ＴＥＩＤ情報を含む。
【００７１】
好ましくは、プロトコルタイプ指示情報は、無線リソース制御（Ｒａｄｉｏ  Ｒｅｓｏｕｒｃｅ  Ｃｏｎｔｒｏｌ、ＲＲＣ）メッセージ、非アクセス層（Ｎｏｎ−ａｃｃｅｓｓ  ｓｔｒａｔｕｍ、ＮＡＳ）メッセージ、Ｆ１ＡＰメッセージ、運用保守管理（Ｏｐｅｒａｔｉｏｎ  Ａｄｍｉｎｉｓｔｒａｔｉｏｎ  ａｎｄ  Ｍａｉｎｔｅｎａｎｃｅ、ＯＡＭ）情報を含んでもよいが、これらに限定されない。
【００７２】
本願の別の実施例によれば、以下のステップを含む情報取得方法を更に提供する。
【００７３】
ステップ１において、第１のＩＡＢノードが第１の設定情報を取得し、前記第１の設定情報は、送信先ノード情報、次のホップ・ノード情報、ルーティング経路情報、差別化されたサービスコードポイントＤＳＣＰとサービス品質フロー識別子ＱＦＩ（ＱｏＳ  Ｆｌｏｗ  ＩＤ）との間のマッピング関係の少なくとも１つを含む。
【００７４】
本願の書類における送信先ノード情報は、いずれも前述した実施例に記載されたアダプテーション層における送信先ノード情報であってもよい。上記の第１の設定情報は、ＵＥを粒度として設定されるものであるか、またはベアラを粒度として設定されるものである。
【００７５】
ステップ２において、前記第１のＩＡＢノードは、前記第１の設定情報に従って転送待ちのデータパケットの次のホップ・ノードを確定する。ここでの次のホップ・ノードは、送信先ノードとの間の１つまたは複数のホップ・ノードである可能性があり、送信先ノードである可能性もある。
【００７６】
好ましくは、ＩＡＢ  ｎｏｄｅが第１の設定情報を取得することは、前記ＩＡＢ  ｎｏｄｅがＦ１メッセージによりＣＵまたはＣＵ−ＣＰから前記第１の設定情報を取得することを含む。
【００７７】
本願の別の実施例によれば、以下のステップを含む情報取得方法を更に提供する。
【００７８】
ステップ１において、ＩＡＢ  ｄｏｎｏｒ  ＤＵは第２の設定情報を取得し、前記第２の設定情報に、
Ｆ１ＡＰ  ＩＤの間のマッピング関係と、
ＤＳＣＰとＱＦＩとの間のマッピング関係と、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係であって、ＩＡＢ  ｄｏｎｏｒ  ＤＵは該マッピング関係に基づき、ＵＥ識別子に基づいて対応するＦ１ＡＰ  ＩＤを確定すること、または、Ｆ１ＡＰ  ＩＤに基づいて対応するＵＥ識別子を確定することを実現することができるマッピング関係と、
ＵＥ識別子とＣＵ識別子との間のマッピング関係であって、ＣＵ識別子は、基地局識別子、ＣＵ識別子、ＩＰアドレス等の情報であってもよいマッピング関係と、
ＩＰアドレスと送信先ノード情報との間のマッピング関係であって、ここでのＩＰアドレスは、ＩＰパケットヘッダにおける送信先ＩＰアドレスであってもよいマッピング関係と、
ＵＥ識別子とＣＵ−ＣＰ識別子との間のマッピング関係であって、ＣＵ−ＣＰ識別子は、基地局識別子、ＣＵ−ＣＰ識別子、ＩＰアドレス等の情報であってもよいマッピング関係と、
ＵＥ識別子と基地局識別子との間のマッピング関係であって、ここではＵＥ識別子とＩＰアドレスとの間のマッピング関係であってもよいマッピング関係と、
ＵＥ識別子とＩＡＢ  ｎｏｄｅ識別子との間のマッピング関係であって、ＩＡＢ  ｎｏｄｅ識別子は、基地局識別子、ＤＵ識別子、ＩＰアドレス等の情報であってもよいマッピング関係と、
Ｆ１  ＧＴＰ−ＵトンネルとＣＵ−ＣＰノード情報とのマッピング関係であって、ここではＩＡＢ  ｄｏｎｏｒ  ＤＵが受信したデータパケットの属するＦ１  ＧＴＰ−Ｕトンネルであってもよいマッピング関係と、
Ｆ１  ＧＴＰ−Ｕトンネルと送信先ノード情報とのマッピング関係と、
ＵＥ識別子と送信先ノード情報とのマッピング関係と、
ＵＥのシグナリング無線ベアラＳＲＢとＦ１  ＧＴＰ−Ｕトンネルとの間のマッピング関係と、
の少なくとも１つが含まれている。
【００７９】
ステップ２において、前記ＩＡＢ  ｄｏｎｏｒ  ＤＵが前記第２の設定情報に従ってデータパケットを転送する。
【００８０】
好ましくは、ＩＡＢ  ｄｏｎｏｒ  ＤＵが第２の設定情報を取得することは、前記ＩＡＢ  ｄｏｎｏｒ  ＤＵがＦ１メッセージによりＣＵまたはＣＵ−ＣＰから前記第２の設定情報を取得することを含む。
【００８１】
本願の別の実施例によれば、以下のステップを含む情報取得方法を更に提供する。
【００８２】
ステップ１において、ＩＡＢ  ｄｏｎｏｒ  ＣＵ−ＵＰネットワーク要素が第３の設定情報を取得し、前記第３の設定情報に、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係であって、ＣＵ識別子は、基地局識別子、ＣＵ識別子、ＩＰアドレス等の情報であってもよいマッピング関係と、
受信したデータパケットの属するＩＰアドレスと送信先ノード情報との間のマッピング関係と、
ＵＥ識別子とＣＵ−ＣＰ識別子との間のマッピング関係であって、ＣＵ−ＣＰ識別子は、基地局識別子、ＣＵ−ＣＰ識別子、ＩＰアドレス等の情報であってもよいマッピング関係と、
ＵＥ識別子と基地局識別子／ＩＰアドレスとの間のマッピング関係と、
ＵＥ識別子とＩＡＢ  ｎｏｄｅ識別子との間のマッピング関係であって、ＩＡＢ  ｎｏｄｅ識別子は、基地局識別子、ＤＵ識別子、ＩＰアドレス等の情報であってもよいマッピング関係と、
Ｆ１  ＧＴＰ−ＵトンネルとＣＵ−ＣＰノード情報とのマッピング関係と、
ＵＥのＳＲＢとＦ１  ＧＴＰ−Ｕトンネルとの間のマッピング関係と、
Ｆ１  ＧＴＰ−Ｕトンネルと送信先ノード情報とのマッピング関係と、
ＵＥ識別子と送信先ノード情報とのマッピング関係と、の少なくとも１つが含まれている。
【００８３】
ステップ２において、前記ＩＡＢ  ｄｏｎｏｒ  ＣＵ−ＵＰは前記第３の設定情報に従ってデータパケットを転送する。
【００８４】
上記技術案を採用することにより、ＮＲに適用される、ＩＡＢ  ｄｏｎｏｒ  ＣＵ−ＵＰが設定情報に従ってデータパケットを送信する方式が与えられる。
【００８５】
好ましくは、ＩＡＢ  ｄｏｎｏｒ  ＣＵ−ＵＰネットワーク要素が第３の設定情報を取得することは、ＩＡＢ  ｄｏｎｏｒ  ＣＵ−ＵＰがＥ１メッセージによりＣＵ−ＣＰから第３の設定情報を取得することを含む。
【００８６】
本願の別の実施例によれば、以下のステップを含む情報伝送方法を更に提供する。
【００８７】
ステップ１において、ＩＡＢ  ｄｏｎｏｒ  ＣＵ−ＵＰとＩＡＢ  ｄｏｎｏｒ  ＤＵとの間でデータパケットを伝送し、ここで、前記データパケットにＧＴＰユーザプレーン（ＧＴＰ−Ｕ）パケットヘッダが含まれ、前記ＧＴＰ−Ｕパケットヘッダには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている。
【００８８】
上記技術案を採用することにより、ＮＲに適用される、ＩＡＢ  ｄｏｎｏｒ  ＣＵ−ＵＰとＩＡＢ  ｄｏｎｏｒ  ＤＵとの間でデータパケットを伝送する技術案が与えられる。
【００８９】
本願の別の実施例によれば、以下のステップを含む情報伝送方法を更に提供する。
【００９０】
ステップ１において、ＩＡＢ  ｄｏｎｏｒ  ＤＵとＩＡＢ  ｄｏｎｏｒ  ＣＵ−ＣＰとの間でＦ１ＡＰメッセージを伝送し、ここで、前記Ｆ１ＡＰメッセージには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている。
【００９１】
上記技術案を採用することにより、ＮＲに適用される、ＩＡＢ  ｄｏｎｏｒ  ＤＵとＩＡＢ  ｄｏｎｏｒ  ＣＵ−ＣＰとの間でデータパケットを伝送する技術案が与えられる。
【００９２】
本願の別の実施例によれば、以下のステップを含む情報伝送方法を更に提供する。
【００９３】
ステップ１において、ＩＡＢ  ｄｏｎｏｒ  ＣＵ−ＵＰとＩＡＢ  ｄｏｎｏｒ  ＣＵ−ＣＰとの間でＥ１ＡＰメッセージを伝送し、前記Ｅ１ＡＰメッセージには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている。
【００９４】
上記技術案を採用することにより、ＮＲに適用される、ＩＡＢ  ｄｏｎｏｒ  ＣＵ−ＵＰとＩＡＢ  ｄｏｎｏｒ  ＣＵ−ＣＰとの間でデータパケットを伝送する技術案が与えられる。
【００９５】
以下、本願のいくつかの具体的な実施例を参照しながら更に説明する。
【００９６】
具体的な実施例１、ＮＡＳ／ＲＲＣメッセージをＵＰにより送信する方法１
本具体的な実施例の方法は、ＮＡＳ／ＲＲＣメッセージをユーザプレーンにより転送する方法１である。図５は、具体的な実施例１によるＵＥとＡＭＦとの間のプロトコルスタックの模式図であり、図５に示すように、アダプテーション層は、ＩＡＢ  ｎｏｄｅおよびＩＡＢ  ｄｏｎｏｒ  ＤＵの無線リンク制御（Ｒａｄｉｏ  Ｌｉｎｋ  Ｃｏｎｔｒｏｌ、ＲＬＣ）層の上に位置する。なお、アダプテーション層（ａｄａｐｔｏｒ  ｌａｙｅｒ／ａｄａｐｔａｔｉｏｎ  ｌａｙｅｒ）は、ＲＬＣ層とメディアアクセス制御（Ｍｅｄｉａ  Ａｃｃｅｓｓ  Ｃｏｎｔｒｏｌ、ＭＡＣ）層との間に位置してもよく、またはアダプテーション層の機能は、ＲＬＣまたは  ＭＡＣ層に位置してもよい。また、図５におけるＤｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。
【００９７】
本具体的な実施例の方法を採用した上りデータ転送の過程は以下のとおりであり、なお、以下のステップは任意に組み合わせて使用できる。
【００９８】
ステップ１において、ＵＥのＮＡＳ／ＲＲＣメッセージをＳＲＢによりＩＡＢ  ｎｏｄｅ１に送信した後、ＩＡＢ  ｎｏｄｅ  １は、設定（例えば、ＣＵまたはＣＵ−ＣＰにより設定）されたＵＥコンテキスト（例えば、送信先ノード情報および／またはルーティング経路情報であり、送信先ノード情報は、ＣＵ識別子／アドレス、またはｄｏｎｏｒ  ＤＵ識別子／アドレス、またはＣＵ−ＣＰ識別子／アドレス、またはＣＵ−ＵＰ識別子／アドレスを含んでもよいが、これらに限定されない）に基づいて該データパケットの次のホップ・ノードを確定し、図５に示す例において、次のホップ・ノードはＩＡＢ  ｎｏｄｅ  ２である。
【００９９】
その後、ＩＡＢ  ｎｏｄｅ１はアダプテーション層の処理およびパッケージを行い、アダプテーション層のパケットヘッダには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報、ロングフォーマット指示情報、ショートフォーマット指示情報の少なくとも１つが含まれている。
【０１００】
ここで、送信先ノード情報は、ＤＵ識別子、ＣＵ識別子、基地局識別子、ＣＵ−ＵＰ識別子、ＣＵ−ＣＰ識別子、ＡＭＦ識別子、セル識別子、送信先インデックス番号のような送信先ノードの識別子、または送信先ノードのＩＰアドレス、または送信先ノードのＩＰアドレスインデックス情報を含んでもよいが、これらに限定されない。
【０１０１】
ここで、データパケットの属するＵＥ識別子情報は、データパケットの属するＵＥのＵＥ識別子またはデータパケットの属するＩＡＢ  ｎｏｄｅのＵＥ識別子であり、更に、ＵＥ識別子は、Ｆ１ＡＰ  ＩＤ、Ｃ−ＲＮＴＩ、Ｓ１  ＡＰ  ＩＤ、Ｘ２  ＡＰ  ＩＤ、ＮＧ  ＡＰ  ＩＤ、Ｘｎ  ＡＰ  ＩＤ、新規定義の識別子を含んでもよいが、これらに限定されない。
【０１０２】
ここで、データパケットの属するベアラ／チャネル識別子情報は、データパケットの属するＵＥのベアラ／チャネルの識別子またはデータパケットの属するＩＡＢ  ｎｏｄｅのベアラ／チャネルの識別子である。前記ベアラ識別子は、ＤＲＢ  ＩＤ、ＳＲＢ  ＩＤ、ＬＣＩＤ、ＱＦＩ、ｆｌｏｗ識別子の１つである。
【０１０３】
ここで、ルーティング経路情報は、ルーティング経路識別子、ルーティング経路番号、ルーティング経路インデックス番号を含んでもよいが、これらに限定されない。
【０１０４】
ここで、ＱｏＳ関連情報は、ＱＣＩ、または５ＱＩ、またはＱＦＩ、またはＤＳＣＰ値を含んでもよいが、これらに限定されない。
【０１０５】
ここで、ＧＴＰトンネル情報は、ＴＮＬアドレスおよび／またはＧＴＰ  ＴＥＩＤ情報を含む。
【０１０６】
ここで、プロトコルタイプ指示情報は、ＲＲＣメッセージ、ＮＡＳメッセージ、Ｆ１ＡＰ  メッセージ、ＯＡＭ情報を含んでもよいが、これらに限定されない。
【０１０７】
ここで、ロングフォーマット指示情報は、アダプテーション層のパケットヘッダにロングフォーマット指示情報以外の他の情報が含まれることを指示するために用いられ、ショートフォーマット指示情報は、アダプテーション層のパケットヘッダにショートフォーマット指示情報のみが含まれることを指示するために用いられる。
【０１０８】
ステップ２において、ＩＡＢ  ｎｏｄｅ  １は、自身のＤＲＢまたはユーザプレーンＲＬＣ  ｃｈａｎｎｅｌによりＵＥから受信したＮＡＳ／ＲＲＣメッセージのデータパケットをＩＡＢ  ｎｏｄｅ  ２に送信する。好ましくは、ＩＡＢ  ｎｏｄｅ  １は、制御プレーンシグナリングの転送に専用のＤＲＢにより、ＵＥから受信したＮＡＳ／ＲＲＣメッセージのデータパケットをＩＡＢ  ｎｏｄｅ  ２に送信する。
【０１０９】
ステップ３において、ＩＡＢ  ｎｏｄｅ  ２は、アダプテーション層のパケットヘッダにおける情報に基づいて受信したデータパケットを次のホップ・ノードに送信する。
【０１１０】
ステップ４において、好ましくは、Ｄｏｎｏｒ  ＤＵは、ＩＡＢ  ｎｏｄｅ  ２からデータパケットを受信した後、以下の方法により、制御プレーン／ユーザプレーンのデータパケットを区分する。
【０１１１】
区分方法１では、Ｄｏｎｏｒ  ＤＵが制御プレーンシグナリングの転送に専用のＤＲＢからデータパケットを受信し場合、該データパケットは制御プレーンシグナリングデータパケットである。
【０１１２】
区分方法２では、アダプテーション層のパケットヘッダに制御プレーン指示情報またはＳＲＢ  ＩＤが含まれる場合、該データパケットは制御プレーンシグナリングデータパケットである。
【０１１３】
好ましくは、Ｄｏｎｏｒ  ＤＵは、以下の方法により、該データパケットの送信先ノードを確定することができる。
【０１１４】
確定方法１では、ＣＵ−ＣＰがＩＡＢ  ｎｏｄｅ  １に送信先ＣＵ−ＣＰ情報を設定した場合、ＩＡＢ  ｎｏｄｅ  １はアダプテーション層のパケットヘッダにおいて送信先ＣＵ−ＣＰ情報を担持する。
【０１１５】
確定方法２では、ＣＵ−ＣＰがＩＡＢ  ｎｏｄｅ  １にＤｏｎｏｒ  ＤＵ情報およびＵＥ識別子情報を設定した場合、ＩＡＢ  ｎｏｄｅ  １はアダプテーション層のパケットヘッダにおいてＤｏｎｏｒ  ＤＵ識別子またはアドレス情報、ＵＥ識別子情報を担持する。ｄｏｎｏｒ  ＤＵは、設定（例えば、ＣＵまたはＣＵ−ＣＰにより設定）されたＵＥ識別子とＣＵ−ＣＰ識別子との間のマッピング関係に基づき、該データパケットの送信先ＣＵ−ＣＰノードを確定する。
【０１１６】
ステップ５において、Ｄｏｎｏｒ  ＤＵは、ＤＲＢから受信した制御プレーンデータパケットをＦ１−Ｃインタフェースを介してＣＵまたはＣＵ−ＣＰに送信する。好ましくは、Ｄｏｎｏｒ  ＤＵからＣＵ−ＣＰに送信されたＦ１ＡＰメッセージには、ＵＥ識別子およびＳＲＢ  ＩＤが含まれている。ここで、ＵＥ識別子は、Ｆ１ＡＰ  ＩＤであってもよく、例えば、受信したデータパケットのアダプテーション層のパケットヘッダから取得したＦ１ＡＰ  ＩＤである。
【０１１７】
または、Ｄｏｎｏｒ  ＤＵは、設定（例えば、ＣＵまたはＣＵ−ＣＰにより設定）されたＵＥ識別子とＦ１ＡＰ  ＩＤとの間のマッピング関係に基づき、データパケットの属するＵＥの識別子およびベアラに対応するＦ１ＡＰ  ＩＤを確定する。その後、ｄｏｎｏｒ    ＤＵは、マッピング関係に基づき、確定したＦ１ＡＰ  ＩＤおよびアダプテーション層のパケットヘッダから取得したＳＲＢ  ＩＤを、ＣＵ−ＣＰに送信されるＦ１ＡＰメッセージに含める。
【０１１８】
または、Ｄｏｎｏｒ  ＤＵは、設定（例えば、ＣＵまたはＣＵ−ＣＰにより設定）されたＵＥ識別子およびＳＲＢ  ＩＤの組み合わせとＦ１ＡＰ  ＩＤとの間のマッピング関係に基づき、データパケットの属するＵＥの識別子およびベアラに対応するＦ１ＡＰ  ＩＤを確定する。その後、ｄｏｎｏｒ  ＤＵは、マッピング関係に基づき、確定したＦ１ＡＰ  ＩＤを、ＣＵ−ＣＰに送信されるＦ１ＡＰメッセージに含める。
【０１１９】
ステップ６において、ＣＵ−ＣＰは、Ｄｏｎｏｒ  ＤＵからデータを受信した後、Ｆ１メッセージにおける情報（例えば、Ｆ１ＡＰ  ＩＤおよび／またはＳＲＢ  ＩＤ）に基づいてデータパケットに対応するＵＥおよびＳＲＢを確定し、その後、対応するパケットデータ統合プロトコル（ＰａｃｋｅｔＤａｔａ  Ｃｏｎｖｅｒｇｅ  Ｐｒｏｔｏｃｏｌ、ＰＤＣＰ）エンティティに配達して後続処理を行う。
【具体的な実施例１の例１】
【０１２０】
ＩＡＢ  ｎｏｄｅ  １は、ＵＥの上りユーザプレーンのデータパケットをＩＡＢ  ｎｏｄｅ  １のＲＬＣチャネルまたは無線ベアラにマッピングすることにより、ＩＡＢ  ｎｏｄｅ  ２に送信する。具体的には、ＩＡＢ  ｎｏｄｅ  １は、以下のいくつかの方法に基づき、ＵＥのユーザプレーンのデータパケットをＩＡＢ  ｎｏｄｅ  １のＲＬＣチャネルまたは無線ベアラ（なお、該方法は、同様に、他の中間ＩＡＢノード、例えば、図５におけるＩＡＢ  ｎｏｄｅ  ２にも適用される）にマッピングすることができる。
【０１２１】
方法１では、ＩＡＢ  ｎｏｄｅ１は、ＵＥのデータパケットを、特定のマッピング規則に基づいて対応するベアラまたはＲＬＣチャネルにマッピングする。
【０１２２】
具体的には、ＩＡＢ  ｎｏｄｅ１は、受信したＵＥデータパケットから、属するベアラまたはＱｏＳ  ｆｌｏｗのＱＣＩまたは５ＱＩまたはＱＦＩ値またはベアラ識別子を取得する。その後、設定（例えば、ＣＵはＦ１シグナリングによりＩＡＢ  ｎｏｄｅ  １に設定するか、または、非ＣＵ／ＤＵ分離の場合、ＩＡＢ  ｎｏｄｅ  １がｇＮＢであり、ＩＡＢ  ｄｏｎｏｒはＸｎまたはＸ２インタフェースによりＩＡＢ  ｎｏｄｅ  １に設定する）されたマッピング関係情報に基づき、対応するマッピングを行う。
マッピング関係情報に、
ＱＣＩとＤＳＣＰとの間のマッピング関係と、
５ＱＩとＤＳＣＰとの間のマッピング関係と、
ＱＦＩとＤＳＣＰとの間のマッピング関係と、
ＤＳＣＰとベアラとの間のマッピング関係と、
５ＱＩとＴＯＳとの間のマッピング関係と、
ＱＣＩとＴＯＳとの間のマッピング関係と、
５ＱＩとＱＣＩとの間のマッピング関係と、
ＱＣＩとＱＣＩとの間のマッピング関係と、
５ＱＩと５ＱＩとの間のマッピング関係と、
ＱＦＩとＱＦＩとの間のマッピング関係と、
ベアラ識別子とＱＦＩとの間のマッピング関係と、の少なくとも１つが含まれている。
【０１２３】
ＩＡＢ  ｎｏｄｅ１は、ＵＥデータパケットの属するベアラに基づいて対応する１つまたは複数のＱｏＳ  ｆｌｏｗを取得する。その後、ＩＡＢ  ｎｏｄｅ  １は、１つまたは複数のＱｏＳ  ｆｌｏｗに対応する１つまたは複数のＱＣＩまたは５ＱＩまたはＱＦＩ値を取得する。ＩＡＢ  ｎｏｄｅ  １は、１つまたは複数のＱＣＩまたは５ＱＩまたはＱＦＩ値およびマッピング関係情報に基づき、対応する１つまたは複数のＤＳＣＰまたはサービスタイプ（Ｔｙｐｅ  ｏｆ  Ｓｅｒｖｉｃｅ、ＴＯＳ）値を取得する。ＩＡＢ  ｎｏｄｅ１は、ＤＳＣＰまたはＴＯＳ値、および設定されたパケットマッピング規則（例えば、ＱｏＳ  ｒｕｌｅ、Ｐａｃｋｅｔ  Ｆｉｌｔｅｒ  Ｓｅｔ、またはＴＦＴ）に基づき、転送待ちのデータパケットを、対応するＩＡＢ  ｎｏｄｅ１の無線ベアラまたはＲＬＣチャネルまたはＱｏＳ  ｆｌｏｗにマッピングする。好ましくは、ＩＡＢ  ｎｏｄｅ１が、ＤＳＣＰまたはＴＯＳ値、および設定されたパケットマッピング規則に基づき、ＵＥデータパケットを対応するＱｏＳ  ｆｌｏｗにマッピングすると、ＩＡＢ  ｎｏｄｅ１は、更にマッピング関係に基づき、ＱｏＳ  ｆｌｏｗを無線ベアラまたはＲＬＣチャネルにマッピングし、対応する無線ベアラまたはＲＬＣチャネルを介してＵＥデータパケットをＩＡＢ  ｎｏｄｅ２に送信する。
【０１２４】
方法２では、ＩＡＢ  ｎｏｄｅ１は、ＵＥデータパケットの属するベアラに基づいて対応する１つまたは複数のＱｏＳ  ｆｌｏｗを取得する。その後、ＩＡＢ  ｎｏｄｅ  １は、１つまたは複数のＱｏＳ  ｆｌｏｗに対応する１つまたは複数のＱＣＩまたは５ＱＩまたはＱＦＩ値を取得する。その後、該データパケットを、設定されたＱｏＳ  ｒｕｌｅｓまたはＴＦＴにおける該ＱＣＩまたは５ＱＩまたはＱＦＩ値に対応するＱｏＳ  ｆｌｏｗまたはベアラまたはＲＬＣチャネルにマッピングする。ＵＥデータパケットを対応するＱｏＳ  ｆｌｏｗにマッピングすると、ＩＡＢ  ｎｏｄｅ１は、更にマッピング関係に基づき、ＱｏＳ  ｆｌｏｗを無線ベアラまたはＲＬＣチャネルにマッピングし、対応する無線ベアラまたはＲＬＣチャネルを介してＵＥデータパケットをＩＡＢ  ｎｏｄｅ２に送信する。
【０１２５】
上記は、具体的な実施例１の上りデータ転送の過程であり、ここで、本具体的な実施例１の方法を採用した下りデータ転送過程を以下のように記載し、なお、以下のステップは任意に組み合わせて使用できる。
【０１２６】
ステップ１において、Ｄｏｎｏｒ  ＣＵ−ＣＰは、ＵＥのＲＲＣメッセージのデータパケットをＦ１ＡＰメッセージにパッケージし、Ｆ１−Ｃインタフェースを介してＤｏｎｏｒ  ＤＵに送信する。好ましくは、Ｆ１ＡＰメッセージには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。好ましくは、ＣＵ−ＣＰのＩＰ層に含まれる送信先アドレスはＩＡＢ  ｎｏｄｅ  １のＩＰアドレスである。
【０１２７】
ここで、送信先ノード情報は、ＩＡＢ  ｎｏｄｅ識別子、ＤＵ識別子、基地局識別子、セル識別子、送信先インデックス番号のような送信先ノードの識別子、または送信先ノードのＩＰアドレス、または送信先ノードのＩＰアドレスインデックス情報を含んでもよいが、これらに限定されない。
【０１２８】
ここで、データパケットの属するＵＥ識別子情報は、データパケットの属するＵＥのＵＥ識別子またはデータパケットの属するＩＡＢ  ｎｏｄｅのＵＥ識別子であり、更に、ＵＥ識別子は、Ｆ１ＡＰ  ＩＤ、Ｃ−ＲＮＴＩ、Ｓ１  ＡＰ  ＩＤ、Ｘ２  ＡＰ  ＩＤ、ＮＧ  ＡＰ  ＩＤ、Ｘｎ  ＡＰ  ＩＤ、新規定義の識別子を含んでもよいが、これらに限定されない。
【０１２９】
ここで、データパケットの属するベアラ／チャネル識別子情報は、データパケットの属するＵＥのベアラ／チャネルの識別子またはデータパケットの属するＩＡＢ  ｎｏｄｅのベアラ／チャネルの識別子である。前記ベアラ識別子は、ＤＲＢ  ＩＤ、ＳＲＢ  ＩＤ、ＬＣＩＤ、ＱＦＩ、ｆｌｏｗ識別子の１つである。
【０１３０】
ここで、ルーティング経路情報は、ルーティング経路識別子、ルーティング経路番号、ルーティング経路インデックス番号を含んでもよいが、これらに限定されない。
【０１３１】
ここで、ＱｏＳ関連情報は、ＱＣＩ、または５ＱＩ、またはＱＦＩ、またはＤＳＣＰ値を含んでもよいが、これらに限定されない。
【０１３２】
ここで、ＧＴＰトンネル情報は、ＴＮＬアドレスおよび／またはＧＴＰ  ＴＥＩＤ情報を含む。
【０１３３】
ここで、プロトコルタイプ指示情報は。ＲＲＣメッセージ、ＮＡＳメッセージ、Ｆ１ＡＰメッセージ、ＯＡＭ情報を含んでもよいが、これらに限定されない。
【０１３４】
ステップ２において、Ｄｏｎｏｒ  ＤＵは、受信したＦ１ＡＰメッセージを解析した後、アダプテーション層のパッケージを行い、アダプテーション層のパケットヘッダには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０１３５】
Ｄｏｎｏｒ  ＤＵは、以下の方法により、送信先ノード情報を確定することができる。
【０１３６】
確定方法１では、ｄｏｎｏｒ  ＤＵは、設定（例えば、ＣＵまたはＣＵ−ＣＰにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０１３７】
確定方法２では、ｄｏｎｏｒ  ＤＵは、受信したデータパケットのＩＰ層から送信先ＩＰアドレス情報を取得する。
【０１３８】
確定方法３では、ｄｏｎｏｒ  ＤＵは、受信したデータパケットのＩＰ層から送信先ＩＰアドレス情報を取得した後、設定されたＩＰアドレスと送信先ノード情報との間のマッピング関係に基づき、送信先ノード情報を確定する。
【０１３９】
好ましくは、Ｄｏｎｏｒ  ＤＵは、設定（例えば、ＣＵまたはＣＵ−ＣＰにより設定）されたＵＥ識別子とＦ１ＡＰ  ＩＤとの間のマッピング関係に基づき、データパケットの属するＵＥのＵＥ識別子を確定する。好ましくは、Ｄｏｎｏｒ  ＤＵは、設定（例えば、ＣＵまたはＣＵ−ＣＰにより設定）されたＵＥ識別子およびＳＲＢ  ＩＤの組み合わせとＦ１ＡＰ  ＩＤとの間のマッピング関係に基づき、データパケットの属するＵＥの識別子およびベアラ識別子を確定する。
【０１４０】
ステップ３において、Ｄｏｎｏｒ  ＤＵは、ＤＲＢまたはユーザプレーンＲＬＣ  ｃｈａｎｎｅｌを介してＣＵ−ＣＰから受信した制御プレーンデータパケットをＩＡＢ  ｎｏｄｅ  ２に送信する。
【０１４１】
ステップ４において、ＩＡＢ  ｎｏｄｅ  ２は、アダプテーション層のパケットヘッダにおける情報に基づき、受信したデータパケットを、次のホップ・ノード、すなわち、ＩＡＢ  ｎｏｄｅ  １に送信する。
【０１４２】
ステップ５において、ＩＡＢ  ｎｏｄｅ  １は、アダプテーション層のパケットヘッダにおける情報に基づき、データパケットの属するＵＥおよびベアラを確定し、データパケットをＳＲＢにより対応するＵＥに送信する。
【具体的な実施例１の例２】
【０１４３】
ＩＡＢ  ｎｏｄｅ  １は、ＵＥの上りユーザプレーンのデータパケットをＩＡＢ  ｎｏｄｅ  １のＲＬＣチャネルまたは無線ベアラにマッピングすることにより、ＩＡＢ  ｎｏｄｅ  ２に送信する。
【０１４４】
ＩＡＢ  ｄｏｎｏｒ  ＤＵは、ｄｏｎｏｒ  ＣＵ（またはｄｏｎｏｒ  ＣＵ−ＵＰ）からデータパケットを受信した後、次のホップ・ノードがＩＡＢ  ｎｏｄｅ  ２であることを確定する。好ましくは、ＩＡＢ  ｄｏｎｏｒ  ＤＵは、受信したデータパケットのＩＰパケットヘッダにおけるＤＳＣＰまたはＴＯＳ情報および設定されたマッピング情報（例えば、ＣＵはＦ１シグナリングによりＩＡＢ  ｄｏｎｏｒ  ＤＵに設定するか、または、非ＣＵ／ＤＵ分離の場合、ＩＡＢ  ｄｏｎｏｒ  ＤＵが基地局により置換され、ＣＵはＸｎまたはＸ２インタフェースを介して基地局に設定する）に基づき、データパケットを対応するＱＣＩまたは５ＱＩまたはＱＦＩ値のＩＡＢ  ｎｏｄｅ  ２のＱｏＳ  ｆｌｏｗにマッピングし、その後、マッピング情報に基づいてＱｏＳ  ｆｌｏｗを対応するベアラまたはＲＬＣ  ｃｈａｎｎｅｌにマッピングし、該ベアラまたはＲＬＣ  ｃｈａｎｎｅｌを介してデータパケットをＩＡＢ  ｎｏｄｅ  ２に送信する。具体的には、マッピング情報に、
ＱＣＩとＤＳＣＰとの間のマッピング関係と、
ＤＳＣＰと５ＱＩとの間のマッピング関係と、
ＤＳＣＰとＱＦＩとの間のマッピング関係と、
ＤＳＣＰとベアラとの間のマッピング関係と、
５ＱＩとＴＯＳとの間のマッピング関係と、
ＱＣＩとＴＯＳとの間のマッピング関係と、
５ＱＩとＱＣＩとの間のマッピング関係と、
ＱＣＩとＱＣＩとの間のマッピング関係と、
５ＱＩと５ＱＩとの間のマッピング関係と、
ＱＦＩとＱＦＩとの間のマッピング関係と、
ベアラ識別子とＱＦＩとの間のマッピング関係とのいずれかが含まれている。
【０１４５】
好ましくは、ＩＡＢ  ｎｏｄｅ２は、受信したデータパケットの属するベアラに基づき、対応する１つまたは複数のＱｏＳ  ｆｌｏｗを取得する。その後、ＩＡＢ  ｎｏｄｅ  ２は、１つまたは複数のＱｏＳ  ｆｌｏｗに対応する１つまたは複数のＱＣＩまたは５ＱＩまたはＱＦＩ値を取得し、または、受信したデータパケットのａｄａｐｔｏｒ  ｌａｙｅｒのパケットヘッダ情報に基づき、そのＱｏＳ情報（ＱＣＩまたは５ＱＩまたはＱＦＩ値）を確定する。その後、データパケットを対応するＱＣＩまたは５ＱＩまたはＱＦＩ値のＩＡＢ  ｎｏｄｅ  １のＱｏＳ  ｆｌｏｗ／ベアラにマッピングし、ＩＡＢ  ｎｏｄｅ  １に送信する。データパケットを対応するＱｏＳ  ｆｌｏｗにマッピングすると、ＩＡＢ  ｎｏｄｅ  ２は、更にマッピング関係に基づき、ＱｏＳ  ｆｌｏｗを無線ベアラまたはＲＬＣチャネルにマッピングし、対応する無線ベアラまたはＲＬＣチャネルを介してＵＥデータパケットをＩＡＢ  ｎｏｄｅ１に送信する。
【０１４６】
具体的な実施例２、ＮＡＳ／ＲＲＣメッセージをＵＰにより送信する方法２
本具体的な実施例の方法は、ＮＡＳ／ＲＲＣメッセージをユーザプレーンにより転送する方法２である。図６は、具体的な実施例２によるＵＥとＡＭＦとの間のプロトコルスタックの模式図であり、図６に示すとおりである。図６において、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）は、更にＲＬＣ層とＭＡＣ層の間に位置してもよく、またはアダプテーション層の機能はＲＬＣまたはＭＡＣ層に位置してもよい。また、図６において、Ｄｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。
【０１４７】
上りデータパケットの転送の場合、本方法が具体的な実施例１と異なるのは、Ｄｏｎｏｒ  ＤＵがＣＵ−ＣＰに送信するＦ１ＡＰメッセージには、ＵＥ識別子およびＳＲＢ  ＩＤが含まれなくてもよいことである。Ｄｏｎｏｒ  ＤＵがＣＵ−ＣＰに送信するデータパケットのアダプテーション層のパケットヘッダおよび／またはＦ１ＡＰプロトコルのパケットヘッダには、データパケットの属するＵＥ識別子、データパケットの属するベアラ識別子、データパケットの属するチャネル識別子の少なくとも１つが含まれている。
【０１４８】
下りデータパケットの転送の場合、本方法が具体的な実施例１と異なるのは、ＣＵ−ＣＰが受信した上りデータパケットに対してアダプテーション層の処理を実行してからＦ１ＡＰ処理を行うことである。ＣＵ−ＣＰがＤｏｎｏｒ  ＤＵに送信する下りデータパケットのアダプテーション層のパケットヘッダおよび／またはＦ１ＡＰプロトコルのパケットヘッダには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０１４９】
具体的な実施例３、ＮＡＳ／ＲＲＣメッセージをＵＰにより送信する方法３
本具体的な実施例の方法は、ＮＡＳ／ＲＲＣメッセージをユーザプレーンにより転送する方法３である。図７は、具体的な実施例３によるＵＥとＡＭＦとの間のプロトコルスタックの模式図であり、図７に示すとおりである。図７において、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層の間に位置してもよく、またはアダプテーション層の機能はＲＬＣまたはＭＡＣ層に位置してもよい。また、図７において、Ｄｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。また、Ｄｏｎｏｒ  ＤＵとＣＵ−ＣＰとの間のインタフェースにはアダプテーション層が存在してもよく、すなわち、Ｄｏｎｏｒ  ＤＵおよびＣＵ−ＣＰはアダプテーション層の処理およびパッケージを実行する。
【０１５０】
本具体的な実施例の方法において、ストリーム制御伝送プロトコル（Ｓｔｒｅａｍ  Ｃｏｎｔｒｏｌ  Ｔｒａｎｓｍｉｓｓｉｏｎ  Ｐｒｏｔｏｃｏｌ、ＳＣＴＰ）／インターネットプロトコル（Ｉｎｔｅｒｎｅｔ  Ｐｒｏｔｏｃｏｌ、ＩＰ）層は、アダプテーション層ａｄａｐｔｏｒ  ｌａｙｅｒにより置換される。なお、Ｆ１ＡＰプロトコル層とアダプテーション層との間には、ＳＣＴＰ／ＩＰ層が存在する可能性がある。また、Ｄｏｎｏｒ  ＤＵ上にＦ１ＡＰ層がなくてもよく、すなわち、Ｄｏｎｏｒ  ＤＵはＦ１ＡＰプロトコル層の処理を行わない。
【０１５１】
上りの場合、ＩＡＢ  ｎｏｄｅ１は、アダプテーション層のパッケージを実行する前に、先にＦ１ＡＰパッケージを行う。好ましくは、Ｆ１ＡＰメッセージには、ＵＥ識別子および／またはベアラ識別子情報が含まれてもよい。
【０１５２】
Ｄｏｎｏｒ  ＤＵは、該データパケットの送信先ノード（すなわち、ＣＵ−ＣＰ）を確定する必要があり、以下の方法により確定できる。
【０１５３】
確定方法１では、ＣＵ−ＣＰはＩＡＢ  ｎｏｄｅ  １に送信先ＣＵ−ＣＰ識別子またはアドレスを設定し、ＩＡＢ  ｎｏｄｅ１はａｄａｐｔｏｒ  ｌａｙｅｒにおいて送信先ＣＵ−ＣＰ識別子またはアドレス情報を担持する。
【０１５４】
確定方法２では、ＣＵ−ＣＰはＩＡＢ  ｎｏｄｅ  １にＤｏｎｏｒ  ＤＵ識別子またはアドレス、ＵＥ識別子情報（例えば、Ｆ１ＡＰ  ＩＤ）を設定し、ＩＡＢ  ｎｏｄｅ  １はａｄａｐｔｏｒ  ｌａｙｅｒにおいてＤｏｎｏｒ  ＤＵ識別子またはアドレス情報を担持する。Ｄｏｎｏｒ  ＤＵは、Ｆ１ＡＰメッセージを解析してそのうちのＦ１ＡＰ  ＩＤを取得することができる。その後、ｄｏｎｏｒ  ＤＵは、設定（例えば、ＣＵ−ＣＰにより設定）されたＵＥ識別子情報とＣＵ−ＣＰ識別子との間のマッピング関係に基づき、該データパケットの送信先ＣＵ−ＣＰノードを確定する。
【０１５５】
ＣＵ−ＣＰはＤｏｎｏｒ  ＤＵからデータを受信した後、Ｆ１ＡＰメッセージに含まれるＦ１ＡＰ  ＩＤおよびＳＲＢ  ＩＤに基づき、データパケットに対応するＵＥおよびＳＲＢを識別することができ、以下のいくつかの方法がある。
【０１５６】
識別方法１では、Ｄｏｎｏｒ  ＤＵからＣＵ−ＣＰに送信されたＦ１ＡＰメッセージには、Ｄｏｎｏｒ  ＤＵが受信したデータパケットに対してＦ１ＡＰ解析を実行した後に取得したＦ１ＡＰ  ＩＤおよびＳＲＢ  ＩＤが含まれている。
【０１５７】
識別方法２では、Ｄｏｎｏｒ  ＤＵは、ＩＡＢ  ｎｏｄｅ  ２から受信したデータパケットに対してＦ１ＡＰ解析の処理を実行せず、Ｆ１ＡＰパッケージの処理も実行せず、すなわち、図３におけるＤｏｎｏｒ  ＤＵ上にＦ１ＡＰプロトコル層がない。
【０１５８】
識別方法３では、ＣＵ−ＣＰはｄｏｎｏｒ  ＤＵにＦ１ＡＰ  ＩＤ間のマッピング関係（例えば、上りおよび／または下りを含む）を設定する。ｄｏｎｏｒ  ＤＵは、受信したデータパケットに対してＦ１ＡＰ解析を実行した後、Ｆ１ＡＰ  ＩＤおよびＳＲＢ  ＩＤを取得し、その後、Ｆ１ＡＰ  ＩＤ間のマッピング関係に基づき、対応するＦ１ＡＰ  ＩＤを確定する。ｄｏｎｏｒ  ＤＵは、マッピング関係に基づいて確定した対応するＦ１ＡＰ  ＩＤおよびＳＲＢ  ＩＤを、ＣＵ−ＣＰに送信されるＦ１ＡＰメッセージに含める。
【０１５９】
本具体的な実施例の方法を採用した下りデータ転送の過程は以下のとおりであり、なお、以下のステップは任意に組み合わせて使用できる。
【０１６０】
ステップ１において、Ｄｏｎｏｒ  ＣＵ−ＣＰは、ＵＥのＲＲＣメッセージのデータパケットをＦ１ＡＰメッセージにパッケージし、Ｆ１−Ｃインタフェースを介してＤｏｎｏｒ  ＤＵに送信する。好ましくは、Ｆ１ＡＰメッセージには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。好ましくは、ＣＵ−ＣＰのＩＰ層に含まれる送信先アドレスはＩＡＢ  ｎｏｄｅ  １のＩＰアドレスである。
【０１６１】
ステップ２において、Ｄｏｎｏｒ  ＤＵは、受信したＦ１ＡＰメッセージを解析した後、アダプテーション層のパッケージを行い、アダプテーション層のパケットヘッダには、送信先ノード情報ルーティング経路情報、ＱｏＳ関連情報、ＧＴＰトンネル情報、制御プレーン指示情報、ユーザプレーン指示情報、プロトコルタイプ指示情報の少なくとも１つが含まれている。
【０１６２】
Ｄｏｎｏｒ  ＤＵは、以下の方法により、送信先ノード情報を確定することができる。
【０１６３】
確定方法１では、ｄｏｎｏｒ  ＤＵは、設定（例えば、ＣＵまたはＣＵ−ＣＰにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０１６４】
確定方法２では、ｄｏｎｏｒ  ＤＵは、受信したデータパケットのＦ１ＡＰメッセージから送信先ノード情報を取得する。
【０１６５】
確定方法３では、ｄｏｎｏｒ  ＤＵは、受信したデータパケットのＩＰ層から送信先ＩＰアドレス情報を取得した後、設定されたＩＰアドレスと送信先ノード情報との間のマッピング関係に基づき、送信先識別情報を確定する。
【０１６６】
好ましくは、Ｄｏｎｏｒ  ＤＵは、設定（例えば、ＣＵまたはＣＵ−ＣＰにより設定）されたＵＥ識別子とＦ１ＡＰ  ＩＤとの間のマッピング関係に基づき、データパケットの属するＵＥのＵＥ識別子を確定する。好ましくは、Ｄｏｎｏｒ  ＤＵは、設定（例えば、ＣＵまたはＣＵ−ＣＰにより設定）されたＵＥ識別子およびＳＲＢ  ＩＤの組み合わせとＦ１ＡＰ  ＩＤとの間のマッピング関係に基づき、データパケットの属するＵＥの識別子およびベアラ識別子を確定する。
【０１６７】
ステップ３において、Ｄｏｎｏｒ  ＤＵは、ＤＲＢまたはユーザプレーンＲＬＣ  ｃｈａｎｎｅｌを介してＣＵ−ＣＰから受信した制御プレーンデータパケットをＩＡＢ  ｎｏｄｅ  ２に送信する。
【０１６８】
ステップ４において、ＩＡＢ  ｎｏｄｅ  ２は、アダプテーション層のパケットヘッダにおける情報に基づき、受信したデータパケットを、次のホップ・ノード、すなわち、ＩＡＢ  ｎｏｄｅ  １に送信する。
【０１６９】
ステップ５において、ＩＡＢ  ｎｏｄｅ  １は、アダプテーション層のパケットヘッダおよびＦ１ＡＰメッセージにおける情報に基づき、データパケットの属するＵＥおよびベアラを確定し、データパケットをＳＲＢにより対応するＵＥに送信する。
【０１７０】
具体的な実施例４、ＮＡＳ／ＲＲＣメッセージをＵＰにより送信し、ＣＵ−ＵＰを経由する。
本具体的な実施例４の方法は、ＮＡＳ／ＲＲＣメッセージをユーザプレーンにより転送する方法４であり、図８ａは、具体的な実施例４によるＵＥとＡＭＦとの間のプロトコルスタックの模式図１であり、図８ｂは、具体的な実施例４によるＣＵ−ＵＰ上にアダプテーション層が存在するプロトコルスタックの模式図であり、図８ｃは、具体的な実施例４によるＣＵ−ＵＰおよびＣＵ−ＣＰ上にアダプテーション層が存在するプロトコルスタックの模式図であり、図８ａ〜図８ｃに示すように、ＵＥのＮＡＳ／ＲＲＣメッセージは、ＩＡＢ  ｎｏｄｅの転送を介してＣＵ−ＵＰに送信され、更にＣＵ−ＵＰによりＣＵ−ＣＰに送信される。アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。
【０１７１】
図８ａの具体的な実施例に基づく方法において、上りデータ転送の場合、ステップ１〜ステップ３が具体的な実施例１と同じであるため、前の具体的な実施例１を参照することができ、後続のステップは以下のとおりである。
【０１７２】
ステップ４において、Ｄｏｎｏｒ  ＤＵは、データパケットを受信した後、Ｆ１−Ｕインタフェースを介してＣＵ−ＵＰに送信する。好ましくは、Ｄｏｎｏｒ  ＤＵは、以下の方法により、転送するデータパケットが制御プレーンデータパケットであることを指示することができる。
【０１７３】
Ｏｐｔｉｏｎ  １．Ｄｏｎｏｒ  ＤＵは、制御プレーンデータパケットを、シグナリングの転送に専用のＧＴＰ−Ｕ  ｔｕｎｎｅｌを介してＣＵ−ＵＰに送信する。
【０１７４】
Ｏｐｔｉｏｎ  ２．Ｄｏｎｏｒ  ＤＵからＣＵ−ＵＰに送信されたＦ１  ＧＴＰ−Ｕパケットヘッダには、ＳＲＢ  ＩＤ、ＣＰ指示の１つが担持される。
【０１７５】
好ましくは、Ｄｏｎｏｒ  ＤＵは、以下の方法により、転送するデータパケットの送信先ノード情報を指示することができる。
【０１７６】
１）Ｄｏｎｏｒ  ＤＵが受信したデータパケットのＡｄａｐｔｏｒ  ｌａｙｅｒのパケットヘッダにＣＵ−ＣＰノード情報が含まれ、Ｄｏｎｏｒ  ＤＵがＣＵ−ＵＰに送信したＧＴＰ−ＵパケットヘッダにＣＵ−ＣＰノード情報が担持される。
【０１７７】
２）ＣＵ−ＣＰは、ｄｏｎｏｒ  ＤＵおよびＣＵ−ＵＰにＦ１  ＧＴＰ−ＵトンネルとＣＵ−ＣＰノード情報とのマッピング関係を設定し、Ｄｏｎｏｒ  ＤＵが受信したデータパケットのＡｄａｐｔｏｒ  ｌａｙｅｒのパケットヘッダにＣＵ−ＣＰノード情報が含まれ、Ｄｏｎｏｒ  ＤＵは、上記マッピング関係およびＣＵ−ＣＰノード情報に基づき、該データパケットを転送するためのＦ１  ＧＴＰ−Ｕトンネルを確定する。
【０１７８】
好ましくは、Ｄｏｎｏｒ  ＤＵは、以下の方法により、転送するデータパケットの属するＵＥ識別子およびＳＲＢ  ＩＤ情報を指示することができる。
【０１７９】
指示方法１では、Ｄｏｎｏｒ  ＤＵからＣＵ−ＵＰに送信されたＦ１  ＧＴＰ−Ｕパケットヘッダには、ＵＥ識別子および／またはＳＲＢ  ＩＤが担持される。
【０１８０】
指示方法２では、ＣＵ−ＣＰは、ｄｏｎｏｒ  ＤＵおよびＣＵ−ＵＰにＵＥのＳＲＢとＦ１  ＧＴＰ−Ｕトンネルとのマッピング関係を設定する。Ｄｏｎｏｒ  ＤＵは、上記マッピング関係に基づき、該データパケットを転送するためのＦ１ＧＴＰ−Ｕトンネルを確定する。
【０１８１】
ステップ５において、ＣＵ−ＵＰがＣＵ−ＣＰに送信したＥ１ＡＰメッセージには、ＵＥ識別子およびＳＲＢ  ＩＤが含まれている。好ましくは、ＵＥ識別子はＥ１ＡＰ  ＩＤであってもよい。
【０１８２】
図８ａの具体的な実施例４に基づく方法の下りデータ転送の過程は以下のとおりであり、なお、以下のステップは任意に組み合わせて使用できる。
【０１８３】
ステップ１において、Ｄｏｎｏｒ  ＣＵ−ＣＰは、ＵＥのＲＲＣメッセージのデータパケットをＥ１ＡＰメッセージにパッケージし、Ｅ１インタフェースを介してＣＵ−ＵＰに送信する。好ましくは、Ｅ１ＡＰメッセージには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。好ましくは、ＣＵ−ＣＰのＩＰ層に含まれる送信先アドレスはＩＡＢ  ｎｏｄｅ  １のＩＰアドレスである。
【０１８４】
ステップ２において、ＣＵ−ＵＰは、Ｆ１  ＧＴＰ−Ｕトンネルを介して受信したデータパケットをｄｏｎｏｒ  ＤＵに送信する。
【０１８５】
好ましくは、ＣＵ−ＵＰは、以下の方法により、転送するデータパケットが制御プレーンデータパケットであることを指示することができる。
【０１８６】
指示方法１では、ＣＵ−ＵＰは、制御プレーンデータパケットを、シグナリングの転送に専用のＧＴＰ−Ｕ  ｔｕｎｎｅｌを介してｄｏｎｏｒ  ＤＵに送信する。
【０１８７】
指示方法２では、ＣＵ−ＵＰがｄｏｎｏｒ  ＤＵに送信したＦ１  ＧＴＰ−Ｕパケットヘッダには、ＳＲＢ  ＩＤ、ＣＰ指示の１つが担持される。
【０１８８】
ＣＵ−ＵＰは、以下の方法により送信先ノード情報を確定することができる。
【０１８９】
確定方法１では、ＣＵ−ＵＰは、設定（例えば、ＣＵにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０１９０】
確定方法２では、ＣＵ−ＵＰは、受信したデータパケットのＥ１ＡＰメッセージに基づき、送信先ノード情報を取得することができる。
【０１９１】
確定方法３では、ＣＵ−ＵＰは、受信したデータパケットのＩＰ層に含まれる送信先ＩＰアドレス情報に基づき、その後、設定されたＩＰアドレスと送信先ノード情報との間のマッピング関係に基づき、送信先識別情報を確定することができる。
【０１９２】
ＣＵ−ＵＰは、以下の方法により転送するデータパケットの送信先ノード情報を指示することができる。
【０１９３】
指示方法１では、ＣＵ−ＵＰからｄｏｎｏｒ  ＤＵに送信されたＧＴＰ−Ｕパケットヘッダには、送信先ノード情報が担持される。
【０１９４】
指示方法２では、ＣＵ−ＣＰは、ｄｏｎｏｒ  ＤＵおよびＣＵ−ＵＰのためにＦ１  ＧＴＰ−ＵトンネルとＣＵ−ＣＰノード情報とのマッピング関係を設定し、Ｄｏｎｏｒ  ＤＵが受信したデータパケットのＡｄａｐｔｏｒ  ｌａｙｅｒのパケットヘッダにＣＵ−ＣＰノード情報が含まれ、Ｄｏｎｏｒ  ＤＵは、上記マッピング関係およびＣＵ−ＣＰノード情報に基づき、該データパケットを転送するためのＦ１  ＧＴＰ−Ｕトンネルを確定する。
【０１９５】
好ましくは、ＣＵ−ＵＰは、以下の方法により転送するデータパケットの属するＵＥ識別子およびＳＲＢ  ＩＤ情報を指示することができる。
【０１９６】
指示方法１では、ＣＵ−ＵＰがＤｏｎｏｒ  ＤＵに送信したＦ１  ＧＴＰ−Ｕパケットヘッダには、ＵＥ識別子および／またはＳＲＢ  ＩＤが担持される。
【０１９７】
指示方法２では、ＣＵ−ＣＰは、ｄｏｎｏｒ  ＤＵおよびＣＵ−ＵＰにＵＥのＳＲＢとＦ１  ＧＴＰ−Ｕトンネルとのマッピング関係を設定する。ＣＵ−ＵＰは、上記マッピング関係に基づき、該データパケットを転送するためのＦ１  ＧＴＰ−Ｕトンネルを確定する。
【０１９８】
ステップ３において、Ｄｏｎｏｒ  ＤＵは、受信したＧＴＰ−Ｕデータパケットを解析した後、アダプテーション層のパッケージを行い、アダプテーション層のパケットヘッダには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０１９９】
Ｄｏｎｏｒ  ＤＵは、以下の方法により、送信先ノード情報を確定することができる。
【０２００】
確定方法１では、ｄｏｎｏｒ  ＤＵは、設定（例えば、ＣＵまたはＣＵ−ＣＰにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０２０１】
確定方法２では、ｄｏｎｏｒ  ＤＵは、受信したデータパケットのＧＴＰ−Ｕパケットヘッダから送信先ノード情報を取得する。
【０２０２】
確定方法３では、ｄｏｎｏｒ  ＤＵは、受信したデータパケットのＩＰ層から送信先ＩＰアドレス情報を取得した後、設定されたＩＰアドレスと送信先ノード情報との間のマッピング関係に基づき、送信先ノード情報を確定する。
【０２０３】
ステップ４において、Ｄｏｎｏｒ  ＤＵは、ＤＲＢまたはユーザプレーンＲＬＣ  ｃｈａｎｎｅｌを介してＣＵ−ＵＰから受信した制御プレーンデータパケットをＩＡＢ  ｎｏｄｅ  ２に送信する。
【０２０４】
ステップ５において、ＩＡＢ  ｎｏｄｅ  ２は、アダプテーション層のパケットヘッダにおける情報に基づき、受信したデータパケットを、次のホップ・ノード、すなわち、ＩＡＢ  ｎｏｄｅ  １に送信する。
【０２０５】
ステップ６において、ＩＡＢ  ｎｏｄｅ  １は、アダプテーション層のパケットヘッダにおける情報に基づき、データパケットの属するＵＥおよびベアラを確定し、データパケットをＳＲＢにより対応するＵＥに送信する。
【０２０６】
また、ＣＵ−ＵＰおよび／またはＣＵ−ＣＰ上にアダプテーション層が存在してもよく、すなわち、ＣＵ−ＵＰおよび／またはＣＵ−ＣＰはアダプテーション層の処理およびパッケージを実行する。図８ｂは、ＣＵ−ＵＰ上にアダプテーション層が存在するプロトコルスタックの模式図である。図８ｃは、ＣＵ−ＵＰおよびＣＵ−ＣＰ上にアダプテーション層が存在するプロトコルスタックの模式図である。
【０２０７】
具体的な実施例５、ＮＡＳ／ＲＲＣメッセージをＵＰにより送信し、ＣＵ−ＵＰを経由し、Ｆ１ＡＰプロトコル層を保留する
本具体的な実施例５の方法は、ＮＡＳ／ＲＲＣメッセージをユーザプレーンにより転送する方法５である。図９は、本願の具体的な実施例５によるＵＥとＡＭＦとの間のプロトコルスタックの模式図であり、図９に示すように、アダプテーション層は、ＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。本具体的な実施例の方法において、ＳＣＴＰ／ＩＰ層はａｄａｐｔｏｒ  ｌａｙｅｒにより置換される。なお、Ｆ１ＡＰプロトコル層とアダプテーション層との間には、ＳＣＴＰ／ＩＰ層が存在する可能性がある。
【０２０８】
具体的な実施例４と異なるのは、上りの場合、ＩＡＢ  ｎｏｄｅ１は、アダプテーション層のパッケージを実行する前に、先にＦ１ＡＰパッケージを行うことである。好ましくは、Ｆ１ＡＰメッセージにＵＥ識別子および／またはベアラ識別子情報が含まれてもよい。下りの場合、ＣＵ−ＣＰは先にＲＲＣメッセージに対してＦ１ＡＰパッケージを行い、Ｆ１ＡＰメッセージにＵＥ識別子および／またはベアラ識別子情報が含まれてもよく、その後、Ｅ１ＡＰパッケージを実行してＣＵ−ＵＰに送信する。
【０２０９】
具体的な実施例６、Ｆ１ＡＰメッセージをＵＰによりルーティングする。
本具体的な実施例６の方法は、Ｆ１ＡＰメッセージをユーザプレーンにより転送する方法である。図１０は、本願の具体的な実施例６によるＩＡＢ  ｎｏｄｅ  １とＡＭＦとの間のプロトコルスタックの模式図であり、図１０に示すように、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。図６におけるＦ１ＡＰプロトコル層の下にＳＣＴＰ／ＩＰプロトコル層が存在し、好ましくは、ＳＣＴＰ／ＩＰプロトコル層は削除されてもよい。また、ＣＵ−ＵＰおよび／またはＣＵ−ＣＰ上にアダプテーション層が存在してもよく、すなわち、ＣＵ−ＵＰおよび／またはＣＵ−ＣＰはアダプテーション層の処理およびパッケージを実行する。
【０２１０】
本具体的な実施例の方法を採用した上りデータ転送の過程は以下のとおりであり、なお、以下のステップは任意に組み合わせて使用できる。
【０２１１】
ステップ１において、ＩＡＢ  ｎｏｄｅ  １が生成したＦ１ＡＰメッセージを、ＩＡＢ  ｎｏｄｅ  １のＤＲＢにより送信する。ＩＡＢ  ｎｏｄｅ１はａｄａｐｔｏｒ  ｌａｙｅｒのパッケージを行い、ａｄａｐｔｏｒ  ｌａｙｅｒのパケットヘッダには、送信先ノード情報、データパケットの属するＵＥ（ＩＡＢ  ｎｏｄｅ１のＭＴ  ｐａｒｔ）の識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０２１２】
好ましくは、アダプテーション層のパケットヘッダに含まれるＩＡＢ  ｎｏｄｅ１のＭＴ  ｐａｒｔのＵＥ識別子は、以下の方法により割り当てることができる。
【０２１３】
割り当て方法１では、ａｄａｐｔに含まれるＵＥ  ＩＤは、ＣＵ−ＣＰにより割り当てられ、ＣＵ−ＣＰは、ＵＥ  ＩＤをＩＡＢ  ｎｏｄｅ１のＭＴ  ｐａｒｔ（例えば、ＭＡＣ層制御情報、ＲＲＣメッセージ）に送信し、好ましくは、ＣＵ−ＣＰはＥ１ＡＰ  ＩＤとＵＥ  ＩＤとのマッピング関係をＣＵ−ＵＰに送信する（例えば、Ｅ１シグナリングにより）。
【０２１４】
割り当て方法２では、ａｄａｐｔに含まれるＵＥ  ＩＤは、ＣＵ−ＵＰにより割り当てられ、ＣＵ−ＵＰは、ＵＥ  ＩＤをＩＡＢ  ｎｏｄｅ１のＭＴ  ｐａｒｔに割り当てた後、ＵＥ  ＩＤをＣＵ−ＣＰに送信し（例えば、Ｅ１シグナリングにより）、ＣＵ−ＣＰはＵＥ  ＩＤをＩＡＢ  ｎｏｄｅ  １のＭＴ  ｐａｒｔ（例えば、ＭＡＣ層制御情報、ＲＲＣメッセージ）に送信する。
【０２１５】
割り当て方法３では、ａｄａｐｔに含まれるＵＥ  ＩＤが上位ＩＡＢノード（ＩＡＢ  ｎｏｄｅ  ２）により割り当てられた場合、ＩＡＢ  ｎｏｄｅ  ２はＵＥ  ＩＤをＣＵ−ＣＰに送信し（例えば、Ｆ１シグナリングにより）、ＣＵ−ＣＰは、更にＵＥ  ＩＤをＣＵ−ＵＰに送信する（例えば、Ｅ１シグナリングにより）。
【０２１６】
ステップ２において、ＩＡＢ  ｎｏｄｅ  １から送信されたデータパケットを、ＩＡＢ  ｎｏｄｅ  ２およびＩＡＢ  ｎｏｄｅ  ３の転送を介してＤｏｎｏｒ  ＤＵに送信する。Ｄｏｎｏｒ  ＤＵは、ユーザプレーンによりデータパケットを受信した後、Ｆ１−Ｕインタフェースを介してＣＵ−ＵＰに送信する。Ｄｏｎｏｒ  ＤＵは、ＩＡＢ  ｎｏｄｅ  ３からデータパケットを受信した後、以下の方法により、制御プレーン／ユーザプレーンのデータパケットを区分する。
【０２１７】
区分方法１では、Ｄｏｎｏｒ  ＤＵが制御プレーンシグナリングの転送に専用のＤＲＢからデータパケットを受信した場合、該データパケットは制御プレーンシグナリングデータパケットである。
【０２１８】
区分方法２では、アダプテーション層のパケットヘッダに制御プレーン指示情報が含まれる場合、該データパケットは制御プレーンシグナリングデータパケットである。
【０２１９】
好ましくは、Ｄｏｎｏｒ  ＤＵは、以下の方法により、転送するデータパケットが制御プレーンデータパケットであることを指示することができる。
【０２２０】
指示方法１では、Ｄｏｎｏｒ  ＤＵは、制御プレーンデータパケットを、シグナリングの転送に専用のＧＴＰ−Ｕ  ｔｕｎｎｅｌを介してＣＵ−ＵＰに送信する。
【０２２１】
指示方法２では、Ｄｏｎｏｒ  ＤＵがＣＵ−ＵＰに送信したＦ１  ＧＴＰ−Ｕパケットヘッダには、ＣＰ指示情報が担持される。
【０２２２】
好ましくは、Ｄｏｎｏｒ  ＤＵは、以下の方法により、転送するデータパケットの送信先ノード情報を指示することができる。
【０２２３】
指示方法１では、Ｄｏｎｏｒ  ＤＵが受信したデータパケットのＡｄａｐｔｏｒ  ｌａｙｅｒのパケットヘッダにＵＥ識別子（すなわち、ＩＡＢ  ｎｏｄｅ  １のＭＴ  ｐａｒｔ）情報が含まれ、ＣＵ−ＣＰはＤｏｎｏｒ  ＤＵにＵＥ識別子とＣＵ−ＣＰノードとの間のマッピング関係を設定し、Ｄｏｎｏｒ  ＤＵは上記マッピング関係に基づき、送信先ＣＵ−ＣＰノード情報を確定し、Ｄｏｎｏｒ  ＤＵがＣＵ−ＵＰに送信したＧＴＰ−ＵパケットヘッダにＣＵ−ＣＰノード情報が担持される。
【０２２４】
指示方法２では、Ｄｏｎｏｒ  ＤＵが受信したデータパケットのＡｄａｐｔｏｒ  ｌａｙｅｒのパケットヘッダにＣＵ−ＣＰノード情報が含まれ、Ｄｏｎｏｒ  ＤＵがＣＵ−ＵＰに送信したＧＴＰ−ＵパケットヘッダにＣＵ−ＣＰノード情報が担持される。
【０２２５】
指示方法３では、ＣＵ−ＣＰは、ｄｏｎｏｒ  ＤＵおよびＣＵ−ＵＰに、Ｆ１  ＧＴＰ−ＵトンネルとＣＵ−ＣＰノード情報とのマッピング関係、Ｄｏｎｏｒ  ＤＵが受信したデータパケットのＡｄａｐｔｏｒ  ｌａｙｅｒのパケットヘッダに含まれるＣＵ−ＣＰノード情報、または方法１により取得したＣＵ−ＣＰノード情報を設定し、Ｄｏｎｏｒ  ＤＵは、上記マッピング関係およびＣＵ−ＣＰノード情報に基づき、該データパケットを転送するためのＦ１  ＧＴＰ−Ｕトンネルを確定する。
【０２２６】
好ましくは、Ｄｏｎｏｒ  ＤＵは、以下の方法により、転送するデータパケットの属する（すなわち、ＩＡＢ  ｎｏｄｅ１のＭＴ  ｐａｒｔ）ＵＥ識別子およびＤＲＢ  ＩＤ情報を指示することができる。
【０２２７】
指示方法１では、Ｄｏｎｏｒ  ＤＵがＣＵ−ＵＰに送信したＦ１  ＧＴＰ−Ｕパケットヘッダには、ＵＥ識別子および／またはＤＲＢ  ＩＤが担持される。
【０２２８】
指示方法２では、ＣＵ−ＣＰは、ｄｏｎｏｒ  ＤＵおよびＣＵ−ＵＰにＵＥ（すなわち、ＩＡＢ  ｎｏｄｅ  １のＭＴ    ｐａｒｔ）のＤＲＢとＦ１  ＧＴＰ−Ｕトンネルとのマッピング関係を設定する。Ｄｏｎｏｒ  ＤＵは、上記マッピング関係に基づき、該データパケットを転送するためのＦ１  ＧＴＰ−Ｕトンネルを確定する。
【０２２９】
本具体的な実施例の方法を採用した下りデータ転送の過程は以下のとおりであり、なお、以下のステップは任意に組み合わせて使用できる。
【０２３０】
ステップ１において、Ｄｏｎｏｒ  ＣＵ−ＣＰはＦ１ＡＰメッセージを生成し、Ｆ１ＡＰメッセージをＥ１ＡＰメッセージにパッケージし、Ｅ１インタフェースを介してＣＵ−ＵＰに送信する。Ｆ１ＡＰメッセージにＵＥ識別子および／またはベアラ識別子情報が含まれてもよい。好ましくは、Ｅ１ＡＰメッセージには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。好ましくは、ＣＵ−ＣＰのＩＰ層に含まれる送信先アドレスはＩＡＢ  ｎｏｄｅ  １のＩＰアドレスである。
【０２３１】
ステップ２において、ＣＵ−ＵＰはＦ１  ＧＴＰ−Ｕトンネルを介して、受信したデータパケットをｄｏｎｏｒ  ＤＵに送信する。
【０２３２】
好ましくは、ＣＵ−ＵＰは、以下の方法により、転送するデータパケットが制御プレーンデータパケットであることを指示することができる。
【０２３３】
指示方法１では、ＣＵ−ＵＰは、制御プレーンデータパケットをシグナリングの転送に専用のＧＴＰ−Ｕ  ｔｕｎｎｅｌを介してｄｏｎｏｒ  ＤＵに送信する。
【０２３４】
指示方法２では、ＣＵ−ＵＰがｄｏｎｏｒ  ＤＵに送信したＦ１  ＧＴＰ−Ｕパケットヘッダには、ＣＰ指示が担持される。
【０２３５】
ＣＵ−ＵＰは、以下の方法により、送信先ノード情報を確定することができる。
【０２３６】
確定方法１では、ＣＵ−ＵＰは、設定（例えば、ＣＵにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０２３７】
確定方法２では、ＣＵ−ＵＰは、受信したデータパケットのＥ１ＡＰメッセージに基づき、送信先ノード情報を取得することができる。
【０２３８】
確定方法３では、ＣＵ−ＵＰは、受信したデータパケットのＩＰ層に含まれる送信先ＩＰアドレス情報に基づき、好ましくは、ＣＵ−ＵＰは、更に設定されたＩＰアドレスと送信先ノード情報との間のマッピング関係に基づき、送信先識別情報を確定することができる。
【０２３９】
ＣＵ−ＵＰは、以下の方法により、転送するデータパケットの送信先ノード情報を指示することができる。
【０２４０】
指示方法１では、ＣＵ−ＵＰがｄｏｎｏｒ  ＤＵに送信したＧＴＰ−Ｕパケットヘッダには、送信先ノード情報が担持される。
【０２４１】
指示方法２では、ＣＵ−ＣＰは、ｄｏｎｏｒ  ＤＵおよびＣＵ−ＵＰにＦ１  ＧＴＰ−Ｕトンネルと送信先ＩＡＢノード情報とのマッピング関係を設定し、ＣＵ−ＵＰは、データパケットの送信先ＩＡＢ  ｎｏｄｅを確定した後、上記マッピング関係および送信先ＩＡＢ  ｎｏｄｅ情報に基づき、該データパケットを転送するためのＦ１  ＧＴＰ−Ｕトンネルを確定する。
【０２４２】
指示方法３では、ＣＵ−ＵＰがｄｏｎｏｒ  ＤＵに送信したデータパケットのＩＰパケットヘッダには、送信先ノードのＩＰアドレス情報が含まれている。
【０２４３】
好ましくは、ＣＵ−ＵＰは、以下の方法により、転送するデータパケットの属する（ＩＡＢ  ｎｏｄｅ  １のＭＴ  ｐａｒｔ）のＵＥ識別子およびＤＲＢ  ＩＤ情報を指示することができる。
【０２４４】
指示方法１では、ＣＵ−ＵＰがＤｏｎｏｒ  ＤＵに送信したＦ１  ＧＴＰ−Ｕパケットヘッダには、ＵＥ識別子および／またはＤＲＢ  ＩＤが担持される。
【０２４５】
指示方法２では、ＣＵ−ＣＰは、ｄｏｎｏｒ  ＤＵおよびＣＵ−ＵＰにＵＥのＤＲＢとＦ１  ＧＴＰ−Ｕトンネルとのマッピング関係を設定する。ＣＵ−ＵＰは、上記マッピング関係に基づき、該データパケットを転送するためのＦ１  ＧＴＰ−Ｕトンネルを確定する。
【０２４６】
ステップ３において、Ｄｏｎｏｒ  ＤＵは、受信したＧＴＰ−Ｕデータパケットを解析した後、アダプテーション層のパッケージを行い、アダプテーション層のパケットヘッダには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０２４７】
Ｄｏｎｏｒ  ＤＵは、以下の方法により、送信先ノード情報を確定することができる。
【０２４８】
確定方法１では、ｄｏｎｏｒ  ＤＵは、設定（例えば、ＣＵまたはＣＵ−ＣＰにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０２４９】
確定方法２では、ｄｏｎｏｒ  ＤＵは、受信したデータパケットのＧＴＰ−Ｕパケットヘッダから送信先ノード情報を取得する。
【０２５０】
確定方法３では、ｄｏｎｏｒ  ＤＵは、受信したデータパケットのＩＰ層から送信先ＩＰアドレス情報を取得した後、設定されたＩＰアドレスと送信先ノード情報との間のマッピング関係に基づき、送信先ノード情報を確定する。
【０２５１】
ステップ３において、Ｄｏｎｏｒ  ＤＵは次のホップ・ノードを確定し、ＤＲＢまたはユーザプレーンＲＬＣ  ｃｈａｎｎｅｌを介してＣＵ−ＵＰから受信した制御プレーンデータパケットをＩＡＢ  ｎｏｄｅ  ３に送信する。
【０２５２】
ステップ４において、ＩＡＢ  ｎｏｄｅ  ２は、アダプテーション層のパケットヘッダにおける情報に基づき、受信したデータパケットを、次のホップ・ノード、すなわち、ＩＡＢ  ｎｏｄｅ  ４に送信する。
【０２５３】
ステップ５において、ＩＡＢ  ｎｏｄｅ  １は、アダプテーション層のパケットヘッダにおける情報に基づき、データパケットの属するＵＥおよびベアラを確定し、データパケットをＤＲＢにより対応するＩＡＢ  ｎｏｄｅ  １のＭＴ  ｐａｒｔに送信する。
【０２５４】
また、本具体的な実施例の方法の上りデータ転送の過程のステップ１において、ＩＡＢ  ｎｏｄｅ  １は、自身が生成したＦ１メッセージに対してアダプテーション層の処理を実行しなくてもよく、すなわち、アダプテーション層のパケットヘッダを追加せず、その場合、ＩＡＢ  ｎｏｄｅ  ２はデータに対してアダプテーション層のパケットヘッダの添加を行う必要がある。ＩＡＢ  ｎｏｄｅ  １は、以下の２種の方式により、Ｆ１ＡＰメッセージを送信することができる。
【０２５５】
送信方法１：専用のＤＲＢ（またはセット１であり、制御プレーンデータパケットで、次のホップのＩＡＢ  ｎｏｄｅがアダプテーション層を解析せずにアダプテーション層のパッケージを行う必要があることを指示するために用いられる）により送信できる。ＩＡＢ  ｎｏｄｅ  １のＭＴ  ｐａｒｔが生成したユーザプレーンのデータパケットは、専用のＤＲＢ（またはセット２であり、ユーザプレーンのデータパケットで、次のホップのＩＡＢ  ｎｏｄｅがアダプテーション層を解析せずにアダプテーション層のパッケージを行う必要があることを指示するために用いられる）により送信できる。その後、ＩＡＢ  ｎｏｄｅ  ２は、専用のＤＲＢ（またはセット３であり、制御プレーンデータパケットで、次のホップのＩＡＢ  ｎｏｄｅが制御プレーンデータパケットにより高いＱｏＳを提供するためにアダプテーション層を解析する必要があることを指示するために用いられる）により次のホップ・ノードに送信される。
【０２５６】
送信方法２：１種の専用のＤＲＢ（またはセット）のみを定義し、次のホップのＩＡＢ  ｎｏｄｅがアダプテーション層を解析する必要があるか否かを区分するために用いられる。すなわち、ＩＡＢ  ｎｏｄｅ  １が生成したＦ１メッセージおよびＩＡＢ  ｎｏｄｅ  １のＭＴ  ｐａｒｔが生成したユーザプレーンのデータパケットは、ＩＡＢ  ｎｏｄｅ  １がアダプテーション層のパケットヘッダを添加せず、専用のＤＲＢ（またはセットであり、次のホップのＩＡＢ  ｎｏｄｅがアダプテーション層を解析せずにアダプテーション層のパッケージを行う必要があることを指示するために用いられる）により送信できる。ＩＡＢ  ｎｏｄｅ  ２はＤＲＢにより次のホップ・ノードに送信される。
【０２５７】
具体的な実施例７、ＮＡＳ／ＲＲＣメッセージをＣＰにより送信する方法１
本具体的な実施例７の方法は、ＮＡＳ／ＲＲＣメッセージを制御プレーンにより転送する方法１である。図１１は、本願の具体的な実施例７によるＵＥとＡＭＦとの間のプロトコルスタックの模式図であり、図１１に示すように、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。また、図１１におけるＤｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。具体的な実施例１と異なるのは、本具体的な実施例において、ＩＡＢ  ｎｏｄｅ／Ｄｏｎｏｒ  ＤＵは、ＳＲＢにより制御プレーンデータパケットを次のホップ・ノードに転送することである。Ｄｏｎｏｒ  ＤＵはベアラタイプ（すなわち、ＳＲＢ、ＤＲＢ）に基づき、受信した上りデータパケットが制御プレーンであるかユーザプレーンのデータパケットであるかを判断することができ、すなわち、Ｄｏｎｏｒ  ＤＵは、ＳＲＢにより上りデータパケットを受信した後、該データパケットが制御プレーンデータパケットであると判断することができる。該具体的な実施例の方法における他の上り、下りデータ転送のステップは、具体的な実施例１と類似する。
【０２５８】
具体的な実施例８、ＮＡＳ／ＲＲＣメッセージをＣＰにより送信する方法２
本具体的な実施例の方法は、ＮＡＳ／ＲＲＣメッセージを制御プレーンにより転送する方法２である。図１２は、本願の具体的な実施例８によるＵＥとＡＭＦとの間のプロトコルスタックの模式図であり、図１２に示すように、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。また、図１２におけるＤｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。具体的な実施例２と異なるのは、本具体的な実施例において、ＩＡＢ  ｎｏｄｅ／Ｄｏｎｏｒ  ＤＵはＳＲＢにより制御プレーンデータパケットを次のホップ・ノードに転送することである。Ｄｏｎｏｒ  ＤＵはベアラタイプ（すなわち、ＳＲＢ、ＤＲＢ）に基づき、受信した上りデータパケットが制御プレーンであるかユーザプレーンのデータパケットであるかを判断することができ、すなわち、Ｄｏｎｏｒ  ＤＵは、ＳＲＢにより上りデータパケットを受信した後、該データパケットが制御プレーンデータパケットであると判断することができる。該具体的な実施例の方法における他の上り、下りデータ転送のステップは、具体的な実施例２と類似する。
【０２５９】
具体的な実施例９、ＮＡＳ／ＲＲＣメッセージをＣＰにより送信する方法３
本具体的な実施例９の方法は、ＮＡＳ／ＲＲＣメッセージを制御プレーンにより転送する方法３である。図１３は、本願の具体的な実施例９によるＵＥとＡＭＦとの間のプロトコルスタックの模式図であり、図１３に示すように、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。また、図１３におけるＤｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。本具体的な実施例の方法において、ＳＣＴＰ／ＩＰ層はａｄａｐｔｏｒ  ｌａｙｅｒにより置換される。なお、Ｆ１ＡＰプロトコル層とアダプテーション層との間にＳＣＴＰ／ＩＰ層が存在する可能性がある。また、Ｄｏｎｏｒ  ＤＵ上にＦ１ＡＰ層がなくてもよく、すなわち、Ｄｏｎｏｒ  ＤＵはＦ１ＡＰプロトコル層の処理を行わない。
【０２６０】
具体的な実施例３と異なるのは、本具体的な実施例において、ＩＡＢ  ｎｏｄｅ／Ｄｏｎｏｒ  ＤＵは、ＳＲＢにより制御プレーンデータパケットを次のホップ・ノードに転送することである。Ｄｏｎｏｒ  ＤＵは、ベアラタイプ（すなわち、ＳＲＢ、ＤＲＢ）に基づき、受信した上りデータパケットが制御プレーンであるかユーザプレーンのデータパケットであるかを判断することができ、すなわち、Ｄｏｎｏｒ  ＤＵは、ＳＲＢにより上りデータパケットを受信した後、該データパケットが制御プレーンデータパケットであると判断することができる。該具体的な実施例の方法における他の上り、下りデータ転送のステップは、具体的な実施例２と類似する。
【０２６１】
具体的な実施例１０、Ｆ１ＡＰメッセージをＣＰにより送信する方法
本具体的な実施例１０の方法は、Ｆ１ＡＰメッセージを制御プレーンにより転送する方法である。図１４は、本願の具体的な実施例１０によるＩＡＢ  ｎｏｄｅ  １とＡＭＦとの間のプロトコルスタックの模式図であり、図１４に示すように、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。また、図１４におけるＤｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。また、Ｄｏｎｏｒ  ＤＵとＣＵ−ＣＰとの間のインタフェース上にアダプテーション層が存在してもよく、すなわち、Ｄｏｎｏｒ  ＤＵおよびＣＵ−ＣＰはアダプテーション層の処理およびパッケージを実行する。本具体的な実施例の図１４に示す方法において、Ｆ１ＡＰ／ＳＣＴＰ／ＩＰ層はａｄａｐｔｏｒ  ｌａｙｅｒにより置換される。好ましくは、アダプテーション層の上にＦ１ＡＰ層が存在する可能性があり、更に、Ｆ１ＡＰおよびアダプテーション層の前に、ＳＣＴＰ／ＩＰ層が存在する可能性がある。
【０２６２】
本具体的な実施例の方法を採用した上りデータ転送の過程は以下のとおりであり、なお、以下のステップは任意に組み合わせて使用できる。
【０２６３】
ステップ１において、ＩＡＢ  ｎｏｄｅ  １が生成したＦ１ＡＰメッセージを、ＩＡＢ  ｎｏｄｅ  １のＳＲＢにより送信する。ＩＡＢ  ｎｏｄｅ１はａｄａｐｔｏｒ  ｌａｙｅｒのパッケージを行い、ａｄａｐｔｏｒ  ｌａｙｅｒのパケットヘッダには、送信先ノード情報、データパケットの属するＵＥ（ＩＡＢ  ｎｏｄｅ１のＭＴ  ｐａｒｔ）の識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０２６４】
好ましくは、アダプテーション層のパケットヘッダに含まれるＩＡＢ  ｎｏｄｅ１のＭＴ  ｐａｒｔのＵＥ識別子は、以下の方法により割り当てることができる。
【０２６５】
割り当て方法１では、ａｄａｐｔに含まれるＵＥ  ＩＤがＣＵ−ＣＰにより割り当てられた場合、ＣＵ−ＣＰはＵＥ  ＩＤをＩＡＢ  ｎｏｄｅ１のＭＴ  ｐａｒｔ（例えば、ＭＡＣ層制御情報、ＲＲＣメッセージ）に送信する。好ましくは、ＣＵ−ＣＰはＦ１ＡＰ  ＩＤとＵＥ  ＩＤとのマッピング関係をｄｏｎｏｒ  ＤＵに送信する（例えば、Ｆ１シグナリングにより）。
【０２６６】
割り当て方法２では、ａｄａｐｔに含まれるＵＥ  ＩＤがＩＡＢ  ｎｏｄｅ  ２により割り当てられた場合、ＩＡＢ  ｎｏｄｅ  ２はＵＥ  ＩＤをＩＡＢ  ｎｏｄｅ  １のＭＴ  ｐａｒｔに送信する（例えば、ＭＡＣ制御情報により）。好ましくは、ＩＡＢ  ｎｏｄｅ  ２はＵＥ  ＩＤを、例えば、Ｆ１シグナリングによりＣＵ−ＣＰに送信する。好ましくは、ＣＵ−ＣＰはｄｏｎｏｒ  ＤＵにＵＥ  ＩＤとＦ１ＡＰ  ＩＤとのマッピング関係を設定する。
【０２６７】
ステップ２において、ＩＡＢ  ｎｏｄｅ  １が送信したデータパケットを、ＩＡＢ  ｎｏｄｅ  ２およびＩＡＢ  ｎｏｄｅ  ３の転送を介してＤｏｎｏｒ  ＤＵに送信する。Ｄｏｎｏｒ  ＤＵは、データパケットを制御プレーンにより受信した後、Ｆ１−Ｃインタフェースを介してＣＵ−ＣＰに送信する。
【０２６８】
好ましくは、Ｄｏｎｏｒ  ＤＵは、以下の方法により、該データパケットの送信先ノードを確定することができる：
【０２６９】
確定方法１では、ＣＵ−ＣＰは、ＩＡＢ  ｎｏｄｅ  １に送信先ＣＵ−ＣＰ情報を設定し、ＩＡＢ  ｎｏｄｅ  １のアダプテーション層のパケットヘッダには、送信先ＣＵ−ＣＰ情報が担持される。
【０２７０】
確定方法２では、ＣＵ−ＣＰはＩＡＢ  ｎｏｄｅ  １にＤｏｎｏｒ  ＤＵ情報およびＵＥ識別子情報を設定し、ＩＡＢ  ｎｏｄｅ  １のアダプテーション層のパケットヘッダには、Ｄｏｎｏｒ  ＤＵ識別子またはアドレス情報、ＵＥ識別子情報が担持される。ｄｏｎｏｒ  ＤＵは、設定（例えば、ＣＵまたはＣＵ−ＣＰにより設定）されたＵＥ識別子とＣＵ−ＣＰ識別子との間のマッピング関係に基づき、該データパケットの送信先ＣＵ−ＣＰノードを確定する。
【０２７１】
ステップ３において、Ｄｏｎｏｒ  ＤＵは、ＳＲＢから受信した制御プレーンデータパケットをＦ１−Ｃインタフェースを介してＣＵまたはＣＵ−ＣＰに送信する。好ましくは、Ｄｏｎｏｒ  ＤＵがＣＵ−ＣＰに送信したＦ１ＡＰメッセージには、ＵＥ（ＩＡＢ  ｎｏｄｅ１のＭＴ  ｐａｒｔ）識別子およびＳＲＢ  ＩＤが含まれている。好ましくは、ここで、ＵＥ識別子はＦ１ＡＰ  ＩＤであってもよく、例えば、受信したデータパケットのアダプテーション層のパケットヘッダから取得したＦ１ＡＰ  ＩＤであってもよい。
【０２７２】
または、Ｄｏｎｏｒ  ＤＵは、設定（例えば、ＣＵまたはＣＵ−ＣＰにより設定）されたＵＥ識別子とＦ１ＡＰ  ＩＤとの間のマッピング関係に基づき、データパケットの属するＵＥの識別子に対応するＦ１ＡＰ  ＩＤを確定する。その後、ｄｏｎｏｒ  ＤＵは、マッピング関係により確定したＦ１ＡＰ  ＩＤ、およびアダプテーション層のパケットヘッダから取得したＳＲＢ  ＩＤを、ＣＵ−ＣＰに送信されるＦ１ＡＰメッセージに含める。
【０２７３】
または、Ｄｏｎｏｒ  ＤＵは、設定（例えば、ＣＵまたはＣＵ−ＣＰにより設定）されたＵＥ識別子およびＳＲＢ  ＩＤの組み合わせとＦ１ＡＰ  ＩＤとの間のマッピング関係に基づき、データパケットの属するＵＥの識別子およびベアラに対応するＦ１ＡＰ  ＩＤを確定する。その後、ｄｏｎｏｒ  ＤＵは、マッピング関係により確定したＦ１ＡＰ  ＩＤを、ＣＵ−ＣＰに送信されるＦ１ＡＰメッセージに含める。
【０２７４】
好ましくは、本実施例の方法の上りデータ転送の過程のステップ１において、ＩＡＢ  ｎｏｄｅ  １は、自身が生成したＦ１メッセージに対してアダプテーション層の処理を実行しなくてもよく、すなわち、アダプテーション層のパケットヘッダを追加せず、その場合、ＩＡＢ  ｎｏｄｅ  ２はデータに対してアダプテーション層のパケットヘッダの添加を行う必要がある。この場合、ＩＡＢ  ｎｏｄｅ  １は、新規定義のＳＲＢ（またはセット１であり、次のホップのＩＡＢ  ｎｏｄｅがアダプテーション層を解析せずにアダプテーション層のパッケージを行う必要があることを指示するために用いられる）により、その自身が生成したＦ１ＡＰメッセージおよびＲＲＣメッセージを送信することができる。
【０２７５】
本具体的な実施例の方法を採用した下りデータ転送の過程は以下のとおりであり、なお、以下のステップは任意に組み合わせて使用できる。
【０２７６】
ステップ１において、Ｄｏｎｏｒ  ＣＵ−ＣＰは、Ｆ１ＡＰメッセージをＲＲＣメッセージにパッケージした後、ＲＲＣメッセージをＦ１ＡＰパッケージして新しいＦ１ＡＰメッセージを形成し、Ｆ１−Ｃインタフェースを介してＤｏｎｏｒ  ＤＵに送信する。好ましくは、Ｆ１ＡＰメッセージには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。好ましくは、ＣＵ−ＣＰのＩＰ層に含まれる送信先アドレスはＩＡＢ  ｎｏｄｅ  １のＩＰアドレスである。
【０２７７】
ステップ２において、Ｄｏｎｏｒ  ＤＵは、受信したＦ１ＡＰメッセージを解析した後、アダプテーション層のパッケージを行い、アダプテーション層のパケットヘッダには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０２７８】
Ｄｏｎｏｒ  ＤＵは、以下の方法により、送信先ノード情報を確定することができる。
【０２７９】
確定方法１では、ｄｏｎｏｒ  ＤＵは、設定（例えば、ＣＵまたはＣＵ−ＣＰにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０２８０】
確定方法２では、ｄｏｎｏｒ  ＤＵは、受信したデータパケットのＩＰ層から送信先ＩＰアドレス情報を取得する。
【０２８１】
確定方法３では、ｄｏｎｏｒ  ＤＵは、受信したデータパケットのＩＰ層から送信先ＩＰアドレス情報を取得した後、設定されたＩＰアドレスと送信先ノード情報との間のマッピング関係に基づき、送信先ノード情報を確定する。
【０２８２】
好ましくは、Ｄｏｎｏｒ  ＤＵは、設定（例えば、ＣＵまたはＣＵ−ＣＰにより設定）されたＵＥ識別子とＦ１ＡＰ  ＩＤとの間のマッピング関係に基づき、データパケットの属するＵＥのＵＥ識別子を確定する。好ましくは、Ｄｏｎｏｒ  ＤＵは、設定（例えば、ＣＵまたはＣＵ−ＣＰにより設定）されたＵＥ識別子およびＳＲＢ  ＩＤの組み合わせとＦ１ＡＰ  ＩＤとの間のマッピング関係に基づき、データパケットの属するＵＥの識別子およびベアラ識別子を確定する。
【０２８３】
ステップ３において、Ｄｏｎｏｒ  ＤＵは、ＳＲＢまたは制御プレーンＲＬＣ  ｃｈａｎｎｅｌを介してＣＵ−ＣＰから受信した制御プレーンデータパケットをＩＡＢ  ｎｏｄｅ  ３に送信する。
【０２８４】
ステップ４において、ＩＡＢ  ｎｏｄｅ  ３は、アダプテーション層のパケットヘッダにおける情報に基づき、受信したデータパケットを、次のホップ・ノード、すなわち、ＩＡＢ  ｎｏｄｅ  ２に送信する。
【０２８５】
ステップ５において、ＩＡＢ  ｎｏｄｅ  ２は、アダプテーション層のパケットヘッダにおける情報に基づき、データパケットの属するＵＥおよびベアラを確定し、データパケットをＳＲＢにより対応するＩＡＢ  ｎｏｄｅ  １のＭＴ  ｐａｒｔに送信する。
【０２８６】
以下、本願の書類に使用される英語略称の英語フルスペルまたは中国語略称を列挙する。
ＩＡＢの英語フルスペルがｉｎｔｅｇｒａｔｅｄ  ａｃｃｅｓｓ  ａｎｄ  ｂａｃｋｈａｕｌ  ｌｉｎｋｓであり、
ＳＲＢの英語フルスペルがｓｉｇａｌｌｉｎｇ  ｒａｄｉｏ  ｂｅａｒｅｒであり、
ＤＲＢの英語フルスペルがｄａｔａ  ｒａｄｉｏ  ｂｅａｒｅｒであり、
ＣＵ／ＤＵの英語フルスペルがｃｅｎｔｒａｌｉｚｅｄ  ｕｎｉｔｅ／ｄｉｓｔｒｉｂｕｔｅｄ  ｕｎｉｔであり、
ａｄａｐｔｏｒ  ｌａｙｅｒがアダプテーション層であり、
ＳＤＡＰの英語フルスペルがＳｅｒｖｉｃｅ  Ｄａｔａ  Ａｄａｐｔａｔｉｏｎ  Ｐｒｏｔｏｃｏｌであり、
ｐａｃｋｅｔ  ｆｉｌｔｅｒがパケットフィルタであり、
Ｐａｃｋｅｔ  Ｆｉｌｔｅｒ  Ｓｅｔであり、
ＭＮ／Ｓの英語フルスペルがｍａｓｔｅｒ  ｎｏｄｅ／ｓｅｃｏｎｄａｒｙ  ｎｏｄｅであり、
ｓｐｌｉｔ  ｂｅａｒｅｒ、
ＳＣＧの英語フルスペルがｓｅｃｏｎｄａｒｙ  ｃｅｌｌ  ｇｒｏｕｐであり、
ＭＮの英語フルスペルがｔｅｒｍｉｎａｔｅｄ  ＳＣＧ  ｂｅａｒｅｒであり、
ＭＣＧの英語フルスペルがｍａｓｔｅｒ  ｃｅｌｌ  ｇｒｏｕｐであり、
ＳＮ  ｔｅｒｍｉｎａｔｅｄ  ＭＣＧ  ｂｅａｒｅｒであり、
ＭＴの英語フルスペルがＭｏｂｉｌｅ  Ｔｅｒｍｉｎａｔｉｏｎであり、
ＬＣＩＤの英語フルスペルがｌｏｇｉｃａｌ  ｃｈａｎｎｅｌ  ＩＤであり、
ＲＢＩＤの英語フルスペルがｒａｄｉｏ  ｂｅａｒｅｒ  ＩＤであり、
ＵＰＦの英語フルスペルがＵｓｅｒ  Ｐｌａｎｅ  Ｆｕｎｃｔｉｏｎであり、
ＡＭＦの英語フルスペルがＡｃｃｅｓｓ  ａｎｄ  Ｍｏｂｉｌｉｔｙ  Ｍａｎａｇｅｍｅｎｔ  Ｆｕｎｃｔｉｏｎである。
【０２８７】
以上の実施形態の記述により、上記実施例による方法が、ソフトウェアに必要な汎用ハードウェアプラットフォームを追加する方式で実現でき、もちろん、ハードウェアにより実現できるが、多くの場合、前者はより好ましい実施形態であることを、当業者は明らかに理解できる。このような理解に基づき、本願の技術案は、本質的に、または従来技術に貢献する部分は、ソフトウェア製品の形式で具現化でき、該コンピュータソフトウェア製品は、１つの記憶媒体（例えば、ＲＯＭ／ＲＡＭ、磁気ディスク、光ディスク）に記憶され、１台の端末デバイス（携帯電話、コンピュータ、サーバ、またはネットワークデバイス等であってもよい）が本願の各実施例に記載の方法を実行するための複数の命令を含む。
【実施例２】
【０２８８】
本実施例において、上記実施例および実施形態を実現するための情報伝送装置を更に提供し、既に説明した内容は省略する。以下に使用されるように、「モジュール」という用語は、所定の機能を実現可能なソフトウェアおよび／またはハードウェアの組み合わせである。以下の実施例に記述される装置はソフトウェアで実現されるが、ハードウェア、またはソフトウェアとハードウェアとの組み合わせでの実現も構想され得る。
【０２８９】
本願の一実施例によれば、情報伝送装置を更に提供し、第１のＩＡＢノードに適用され、
第１のデータパケットを取得するための第１の取得モジュールと、
前記第１のデータパケットをＩＡＢ  ｄｏｎｏｒに送信するための第１の送信モジュールと、
を備える。
【０２９０】
好ましくは、第１のＩＡＢノードが第１のデータパケットを取得することは、前記第１のＩＡＢノードがＵＥから送信された第１のデータパケットを受信することと、前記第１のＩＡＢノード自身が前記第１のデータパケットを生成することと、前記第１のＩＡＢノードが前記第２のＩＡＢノードから送信された第１のデータパケットを受信することとのいずれかを含む。ここで、ＩＡＢが第１のデータパケットを取得する３種の形式を列挙したが、これらに限定されない。
【０２９１】
好ましくは、前記第１のＩＡＢノードが前記第１のデータパケットをＩＡＢ  ｄｏｎｏｒに送信することは、前記第１のＩＡＢノードが前記第１のデータパケットを前記ＩＡＢ  ｄｏｎｏｒに送信することと、または、前記第１のＩＡＢノードが前記第１のデータパケットを次のホップ・ノードに送信し、前記次のホップ・ノードにより前記第１のデータパケットを前記ＩＡＢ  ｄｏｎｏｒに転送することとのいずれかを含む。前記第１のＩＡＢノードが前記第１のデータパケットを前記ＩＡＢ  ｄｏｎｏｒに送信することは、第１のＩＡＢノードが第１のデータパケットをＩＡＢ  ｄｏｎｏｒに直接送信し、中間の１つまたは複数のホップ・ノードにより転送する必要がないと理解できる。
【０２９２】
好ましくは、前記第１のＩＡＢノードが前記第１のデータパケットをＩＡＢ  ｄｏｎｏｒに送信することは、前記第１のＩＡＢノードが制御プレーンの論理チャネルまたは制御プレーンのベアラにより前記第１のデータパケットを前記ＩＡＢ  ｄｏｎｏｒに送信することと、前記第１のＩＡＢノードがユーザプレーンの論理チャネルまたはユーザプレーンのベアラにより前記第１のデータパケットを前記ＩＡＢ  ｄｏｎｏｒに送信することとのいずれかを含む。
【０２９３】
好ましくは、第１のＩＡＢノードが第１のデータパケットを取得した後、前記第１のＩＡＢノードは前記第１のデータパケットにアダプテーション層のパケットヘッダを追加し、前記アダプテーション層のパケットヘッダには、送信先ノード情報、第１のデータパケットの属するＵＥ識別子、第１のデータパケットの属するベアラ識別子、第１のデータパケットの属するチャネル識別子、ルーティング経路情報、サービス品質ＱｏＳ（Ｑｕａｌｉｔｙ  ｏｆ  ｓｅｒｖｉｕｃｅ）情報、ＧＴＰトンネル情報（ＧＰＲＳトンネルプロトコル、ＧＴＰと呼ばれてもよい）、Ｆ１ＡＰ  ＩＤ情報（ＩＤ情報は識別情報であってもよい）、制御プレーン指示情報、ユーザプレーン指示情報、プロトコルタイプ指示情報、ロングフォーマット指示情報、ショートフォーマット指示情報の少なくとも１つが含まれている。
【０２９４】
なお、１つのデータパケットの最終的に送信されるＩＡＢ  ｄｏｎｏｒまたはＩＡＢノードは送信先ノードと呼ばれ、現在のＩＡＢノードと送信先ノードとの間のノードは、１つまたは複数のホップ・ノードと呼ばれてもよい。
【０２９５】
好ましくは、送信先ノード情報は、
ＩＡＢ  ｎｏｄｅ識別子、ＤＵ識別子、ＣＵ識別子、基地局識別子、ＣＵ−ＵＰ識別子、ＣＵ−ＣＰ識別子、ＡＭＦ識別子、セル識別子、送信先インデックス番号のような送信先ノードの識別子、
または、送信先ノードのＩＰアドレス、
または、送信先ノードのＩＰアドレスインデックス情報、
または、次のホップ・ノード情報、
を含んでもよいが、これらに限定されない。
【０２９６】
好ましくは、データパケットの属するＵＥ識別子情報は、データパケットの属するＵＥのＵＥ識別子またはデータパケットの属するＩＡＢ  ｎｏｄｅのＵＥ識別子であり、更に、ＵＥ識別子は、Ｅ１ＡＰ  ＩＤ、Ｆ１ＡＰ  ＩＤ、Ｃ−ＲＮＴＩ、Ｓ１  ＡＰ  ＩＤ、Ｘ２  ＡＰ  ＩＤ、ＮＧ  ＡＰ  ＩＤ、Ｘｎ  ＡＰ  ＩＤ、新規定義の識別子を含んでもよいが、これらに限定されない。
【０２９７】
好ましくは、データパケットの属するベアラ／チャネル識別子情報は、データパケットの属するＵＥのベアラ／チャネルの識別子またはデータパケットの属するＩＡＢ  ｎｏｄｅのベアラ／チャネルの識別子である。前記ベアラ識別子は、ＤＲＢ  ＩＤ、ＳＲＢ  ＩＤ、ＬＣＩＤ、ＱＦＩ、ｆｌｏｗ識別子の１つである。
【０２９８】
好ましくは、ルーティング経路情報は、
ルーティング経路識別子、ルーティング経路番号、ルーティング経路インデックス番号を含んでもよいが、これらに限定されない。
【０２９９】
好ましくは、ＱｏＳ関連情報は、ＱＣＩ、または５ＱＩ、またはＱＦＩ、またはＤＳＣＰ値を含んでもよいが、これらに限定されない。
【０３００】
好ましくは、ＧＴＰトンネル情報は、ＴＮＬアドレスおよび／またはＧＴＰ  ＴＥＩＤ情報を含む。
【０３０１】
好ましくは、プロトコルタイプ指示情報は、ＲＲＣメッセージ、ＮＡＳメッセージ、Ｆ１ＡＰメッセージ、ＯＡＭ情報を含んでもよいが、これらに限定されない。
【０３０２】
好ましくは、ロングフォーマット指示情報は、アダプテーション層のパケットヘッダにロングフォーマット指示情報以外の他の情報が含まれることを指示するために用いられ、ショートフォーマット指示情報は、アダプテーション層のパケットヘッダにショートフォーマット指示情報のみが含まれることを指示するために用いられる。
【０３０３】
好ましくは、前記第１のＩＡＢノードが前記第１のデータパケットにアダプテーション層のパケットヘッダを追加する前に、前記第１のＩＡＢノードが前記第１のデータパケットをＦ１ＡＰメッセージにパッケージすることを更に含み、パッケージした後のＦ１ＡＰメッセージに、Ｆ１ＡＰ  ＩＤ、第１のデータパケットの属するＵＥ識別子、第１のデータパケットの属するベアラ識別子、第１のデータパケットの属するチャネル識別子の少なくとも１つが含まれている。第１のデータパケットの属するＵＥ識別子は、第１のデータパケットを送信するＵＥの識別子であってもよいし、第１のデータパケットを生成するＵＥであってもよい。
【０３０４】
好ましくは、前記ＩＡＢ  ｄｏｎｏｒは、ＩＡＢ  ｄｏｎｏｒ基地局と、ＩＡＢ  ｄｏｎｏｒ  ＣＵと、ＩＡＢ  ｄｏｎｏｒ  ＤＵと、ＩＡＢ  ｄｏｎｏｒ  ＣＵ−ＵＰと、ＩＡＢ  ｄｏｎｏｒ  ＣＵ−ＣＰとの少なくとも１つを含む。
【０３０５】
好ましくは、前記第１のデータパケットは、ユーザプレーンのデータパケットまたは制御プレーンデータパケットであり、具体的には、ＮＡＳメッセージ、ＲＲＣメッセージ、Ｆ１メッセージ、Ｓ１シグナリング、Ｘ２シグナリング、ＮＧシグナリング、Ｘｎシグナリング、ＯＡＭ情報であってもよい。
【０３０６】
本願の一実施例によれば、
ＩＡＢ  ｄｏｎｏｒ  ＤＵに適用され、
第１のＩＡＢノードから送信された制御プレーンデータパケットを受信するための第２の受信モジュールと、
制御プレーンデータパケットを送信先集中型ユニット（ＣＵ）または送信先集中型ユニット−制御プレーン（送信先ＣＵ−ＣＰ）に送信し、または、ＣＵ−ＵＰ（ユーザプレーン）により前記制御プレーンデータパケットを前記送信先ＣＵ−ＣＰに転送するための第２の送信モジュールと、
を備えるＩＡＢ制御プレーンの情報伝送装置を更に提供する。
【０３０７】
本願の一実施例によれば、
ＩＡＢ  ｄｏｎｏｒに適用され、
第２のデータパケットを受信するまたは自ら生成するための第１の確定モジュールと、
１つまたは複数のホップ・ノードにより前記第２のデータパケットを第４のＩＡＢノードに送信するための第３の送信モジュールと、
を備える情報伝送装置を更に提供する、
【０３０８】
好ましくは、前記ＩＡＢ  ｄｏｎｏｒが１つまたは複数のホップ・ノードにより前記第２のデータパケットを第４のＩＡＢノードに送信することは、前記ＩＡＢ  ｄｏｎｏｒがＦ１  ＧＴＰ−ＵデータパケットまたはＦ１ＡＰメッセージまたはＥ１ＡＰメッセージにより前記第２のデータパケットを送信し、次のホップ・ノードにより前記第２のデータパケットを前記第４のＩＡＢノードに転送することを含む。
【０３０９】
好ましくは、前記Ｆ１  ＧＴＰ−ＵデータパケットまたはＦ１ＡＰメッセージまたはＥ１ＡＰメッセージに、
送信先ノード情報、前記第２のデータパケットの属するＵＥ識別子、前記第２のデータパケットの属するベアラ識別子、前記第２のデータパケットの属するチャネル識別子、ルーティング経路情報、ＱｏＳ情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０３１０】
好ましくは、前記ＩＡＢ  ｄｏｎｏｒがＦ１  ＧＴＰ−ＵデータパケットまたはＦ１ＡＰメッセージまたはＥ１ＡＰメッセージにより前記第２のデータパケットを次のホップ・ノードに送信した後、前記次のホップ・ノードは前記データパケットにアダプテーション層のパケットヘッダを追加し、前記アダプテーション層のパケットヘッダに、送信先ノード情報、前記第２のデータパケットの属するＵＥ識別子、前記第２のデータパケットの属するベアラ識別子、前記第２のデータパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０３１１】
好ましくは、送信先ノード情報は、
ＩＡＢ  ｎｏｄｅ識別子、ＤＵ識別子、ＣＵ識別子、基地局識別子、ＣＵ−ＵＰ識別子、ＣＵ−ＣＰ識別子、ＡＭＦ識別子、セル識別子、送信先インデックス番号のような送信先ノードの識別子、
または、送信先ノードのＩＰアドレス、
または、送信先ノードのＩＰアドレスインデックス情報、
または、次のホップ・ノード情報、
を含んでもよいが、これらに限定されない。
【０３１２】
好ましくは、データパケットの属するＵＥ識別子情報は、データパケットの属するＵＥのＵＥ識別子またはデータパケットの属するＩＡＢ  ｎｏｄｅのＵＥ識別子であり、更に、ＵＥ識別子は、Ｅ１ＡＰ  ＩＤ、Ｆ１ＡＰ  ＩＤ、Ｃ−ＲＮＴＩ、Ｓ１  ＡＰ  ＩＤ、Ｘ２  ＡＰ  ＩＤ、ＮＧ  ＡＰ  ＩＤ、Ｘｎ  ＡＰ  ＩＤ、新規定義の識別子を含んでもよいが、これらに限定されない。
【０３１３】
好ましくは、データパケットの属するベアラ／チャネル識別子情報は、データパケットの属するＵＥのベアラ／チャネルの識別子またはデータパケットの属するＩＡＢ  ｎｏｄｅのベアラ／チャネルの識別子である。前記ベアラ識別子は、ＤＲＢ  ＩＤ、ＳＲＢ  ＩＤ、ＬＣＩＤ、ＱＦＩ、ｆｌｏｗ識別子の１つである。
【０３１４】
好ましくは、ルーティング経路情報は、
ルーティング経路識別子、ルーティング経路番号、ルーティング経路インデックス番号を含んでもよいが、これらに限定されない。
【０３１５】
好ましくは、ＱｏＳ関連情報は、ＱＣＩ、または５ＱＩ、またはＱＦＩ、またはＤＳＣＰ値を含んでもよいが、これらに限定されない。
【０３１６】
好ましくは、ＧＴＰトンネル情報は、ＴＮＬアドレスおよび／またはＧＴＰ  ＴＥＩＤ情報を含む。
【０３１７】
好ましくは、プロトコルタイプ指示情報は、ＲＲＣメッセージ、ＮＡＳメッセージ、Ｆ１ＡＰメッセージ、ＯＡＭ情報を含んでもよいが、これらに限定されない。
【０３１８】
本願の一実施例によれば、
第１のＩＡＢノードに適用され、
送信先ノード情報、次のホップ・ノード情報、ルーティング経路情報の少なくとも１つが含まれている第１の設定情報を取得するための第２の取得モジュールと、
前記第１の設定情報に従って転送待ちのデータパケットの次のホップ・ノードを確定するための第２の確定モジュールと、
を備える情報取得装置を更に提供する。
【０３１９】
好ましくは、ＩＡＢ  ｎｏｄｅが第１の設定情報を取得することは、前記ＩＡＢ  ｎｏｄｅがＦ１メッセージによりＣＵまたはＣＵ−ＣＰから前記第１の設定情報を取得することを含む。
【０３２０】
本願の一実施例によれば、
ＩＡＢ  ｄｏｎｏｒ  ＤＵに適用され、
第２の設定情報を取得するための第３の取得モジュールと、
前記第２の設定情報に従ってデータパケットを転送するための第３の確定モジュールとを備え、
第２の設定情報に、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係と、
ＩＰアドレスと送信先ノード情報との間のマッピング関係と、
ＵＥ識別子とＣＵ−ＣＰ識別子との間のマッピング関係と、
ＵＥ識別子と基地局識別子との間のマッピング関係と、
ＵＥ識別子とＩＡＢ  ｎｏｄｅ識別子との間のマッピング関係と、
Ｆ１  ＧＴＰ−ＵトンネルとＣＵ−ＣＰノード情報とのマッピング関係と、
Ｆ１  ＧＴＰ−Ｕトンネルと送信先ノード情報とのマッピング関係と、
ＵＥ識別子と送信先ノード情報とのマッピング関係と、
ＵＥのシグナリング無線ベアラＳＲＢとＦ１  ＧＴＰ−Ｕトンネルとの間のマッピング関係と、
の少なくとも１つが含まれているＩＡＢ制御プレーン情報の取得装置を更に提供する。
【０３２１】
本願の一実施例によれば、
ＩＡＢ  ｄｏｎｏｒ  ＣＵ−ＵＰネットワーク要素に適用され、
第３の設定情報を取得するための第４の取得モジュールと、
前記第３の設定情報に従ってデータパケットを転送するための転送モジュールとを備え、
前記第３の設定情報に、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係と、
受信したデータパケットの属するＩＰアドレスと送信先ノード情報との間のマッピング関係と、
ＵＥ識別子とＣＵ−ＣＰ識別子との間のマッピング関係と、
ＵＥ識別子と基地局識別子／ＩＰアドレスとの間のマッピング関係と、
ＵＥ識別子とＩＡＢ  ｎｏｄｅ識別子との間のマッピング関係と、
Ｆ１  ＧＴＰ−ＵトンネルとＣＵ−ＣＰノード情報とのマッピング関係と、
ＵＥのＳＲＢとＦ１  ＧＴＰ−Ｕトンネルとの間のマッピング関係と、
Ｆ１  ＧＴＰ−Ｕトンネルと送信先ノード情報とのマッピング関係と、
ＵＥ識別子と送信先ノード情報とのマッピング関係との少なくとも１つが含まれている、ＩＡＢ制御プレーン情報の取得装置を更に提供する。
【０３２２】
好ましくは、ＩＡＢ  ｄｏｎｏｒ  ＤＵが第２の設定情報を取得することは、前記ＩＡＢ  ｄｏｎｏｒ  ＤＵがＦ１メッセージによりＣＵまたはＣＵ−ＣＰから前記第２の設定情報を取得することを含む。
【０３２３】
本願の一実施例によれば、
ＩＡＢ  ｄｏｎｏｒ  ＣＵ−ＵＰまたはＩＡＢ  ｄｏｎｏｒ  ＤＵに適用され、
前記ＩＡＢ  ｄｏｎｏｒ  ＣＵ−ＵＰと前記ＩＡＢ  ｄｏｎｏｒ  ＤＵとの間でデータパケットを伝送するための第１の伝送モジュールを備え、
前記データパケットにＧＴＰ−Ｕパケットヘッダが含まれ、
前記ＧＴＰ−Ｕパケットヘッダには、
ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている情報伝送装置を更に提供する。
【０３２４】
本願の一実施例によれば、
ＩＡＢ  ｄｏｎｏｒ  ＤＵまたはＩＡＢ  ｄｏｎｏｒ  ＣＵ−ＣＰに適用され、
前記ＩＡＢ  ｄｏｎｏｒ  ＤＵと前記ＩＡＢ  ｄｏｎｏｒ  ＣＵ−ＣＰとの間でＦ１ＡＰメッセージを伝送するための第２の伝送モジュールを備え、
前記Ｆ１ＡＰメッセージには、
ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送装置を更に提供する。
【０３２５】
本願の一実施例によれば、
ＩＡＢ  ｄｏｎｏｒ  ＣＵ−ＵＰまたはＩＡＢ  ｄｏｎｏｒ  ＣＵ−ＣＰに適用され、
前記ＩＡＢ  ｄｏｎｏｒ  ＣＵ−ＵＰと前記ＩＡＢ  ｄｏｎｏｒ  ＣＵ−ＣＰとの間でＥ１ＡＰメッセージを伝送するための第３の伝送モジュールを備え、
前記Ｅ１ＡＰメッセージには、
ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送装置を更に提供する。
【０３２６】
なお、上記各モジュールは、ソフトウェアまたはハードウェアで実現でき、後者の場合、上記モジュールがいずれも同一のプロセッサに位置するか、または、上記各モジュールが任意の組み合わせの形式でそれぞれ異なるプロセッサに位置するという方式により実現できるが、これに限定されない。
【実施例３】
【０３２７】
本願の別の実施例によれば、コンピュータプログラムが記憶されている記憶媒体を更に提供し、ここで、前記コンピュータプログラムは、動作すると上記実施例におけるいずれか１項に記載の方法を実行させるように構成される。
【実施例４】
【０３２８】
本願の更なる実施例によれば、コンピュータプログラムが記憶されているメモリと、前記コンピュータプログラムを動作させて上記いずれか１項に記載の方法の実施例におけるステップを実行するように構成されるプロセッサとを備える電子装置を更に提供する。
【０３２９】
明らかに、当業者であれば、上記本願の各モジュールまたは各ステップは、汎用の計算装置で実現でき、それが単一の計算装置に集中されてもよいし、または複数の計算装置からなるネットワークに分布されてもよいことを理解すべきである。好ましくは、それらが計算装置実行可能なプログラムコードで実現できるため、それらを記憶装置に記憶して計算装置により実行することができ、且つ、いくつかの場合、ここでの順序と異なる順序で示されたまたは記述されたステップを実行してもよし、または、それらをそれぞれの集積回路モジュールに作製し、あるいは、それらのうちの複数のモジュールまたはステップを単一の集積回路モジュールに作製して実現してもよい。このように、本願は、任意の特定のハードウェアとソフトウェアとの組み合わせに限定されない。
【０３３０】
上記は本願の好ましい実施例に過ぎず、本願を限定するものではなく、当業者にとって、本願は様々な変更及び変化が可能である。本願の精神および原則内で行われた任意の修正、均等置換、改良等は、全て本願の保護範囲内に含まれるべきである。
【図１】
2021523638.tif 000003
【図２】
2021523638.tif 000004
【図３】
2021523638.tif 000005
【図４】
2021523638.tif 000006
【図５】
2021523638.tif 000007
【図６】
2021523638.tif 000008
【図７】
2021523638.tif 000009
【図８ａ】
2021523638.tif 000010
【図８ｂ】
2021523638.tif 000011
【図８ｃ】
2021523638.tif 000012
【図９】
2021523638.tif 000013
【図１０】
2021523638.tif 000014
【図１１】
2021523638.tif 000015
【図１２】
2021523638.tif 000016
【図１３】
2021523638.tif 000017
【図１４】
2021523638.tif 000018
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
第１のＩＡＢノードがデータパケットを取得することと、
前記第１のＩＡＢノードが前記データパケットをＩＡＢ  ｄｏｎｏｒに送信することとを含む情報伝送方法であって、
第１のＩＡＢノードがデータパケットを取得することは、
前記第１のＩＡＢノードがＵＥから送信された前記データパケットを受信することと、
前記第１のＩＡＢノード自身が前記データパケットを生成することと、
前記第１のＩＡＢノードが第２のＩＡＢノードから送信された前記データパケットを受信することとのいずれかを含み、
前記第１のＩＡＢノードが前記データパケットをＩＡＢ  ｄｏｎｏｒに送信することは、
前記第１のＩＡＢノードが前記データパケットを前記ＩＡＢ  ｄｏｎｏｒに送信することと、
前記第１のＩＡＢノードが前記データパケットを次のホップ・ノードに送信し、前記次のホップ・ノードにより前記データパケットを前記ＩＡＢ  ｄｏｎｏｒに転送することとのいずれかを含み、
前記第１のＩＡＢノードが前記データパケットをＩＡＢ  ｄｏｎｏｒに送信することは、
前記第１のＩＡＢノードが、制御プレーンの論理チャネルまたは制御プレーンのベアラにより前記データパケットを前記ＩＡＢ  ｄｏｎｏｒに送信することと、
前記第１のＩＡＢノードが、ユーザプレーンの論理チャネルまたはユーザプレーンのベアラにより前記データパケットを前記ＩＡＢ  ｄｏｎｏｒに送信することとのいずれかを含み、
前記第１のＩＡＢノードが前記データパケットを取得した後、
前記第１のＩＡＢノードが前記データパケットにアダプテーション層のパケットヘッダを追加することを更に含み、
前記アダプテーション層のパケットヘッダに、送信先ノード情報、データパケットの属するＵＥ識別子、データパケットの属するベアラ識別子、データパケットの属するチャネル識別子、ルーティング経路情報、サービス品質ＱｏＳ情報、制御プレーン指示情報、ユーザプレーン指示情報、プロトコルタイプ指示情報の少なくとも１つが含まれ、
前記データパケットは、ユーザプレーンのデータパケットまたは制御プレーンデータパケットである、
情報伝送方法。
【請求項２】
ＩＡＢ  ｄｏｎｏｒがデータパケットを受信するまたは自ら生成することと、
前記ＩＡＢ  ｄｏｎｏｒが１つまたは複数のホップ・ノードにより前記データパケットをＩＡＢノードに送信することとを含む情報伝送方法であって、
前記ＩＡＢ  ｄｏｎｏｒが１つまたは複数のホップ・ノードにより前記データパケットをＩＡＢノードに送信することは、
前記ＩＡＢ  ｄｏｎｏｒがＦ１  ＧＴＰ−ＵデータパケットまたはＦ１ＡＰメッセージにより前記データパケットを送信し、次のホップ・ノードにより前記データパケットを前記ＩＡＢノードに転送することを含み、
前記ＩＡＢ  ｄｏｎｏｒがＦ１  ＧＴＰ−ＵデータパケットまたはＦ１ＡＰメッセージにより前記データパケットを次のホップ・ノードに送信した後、前記次のホップ・ノードが前記データパケットにアダプテーション層のパケットヘッダを追加することを更に含み、
前記アダプテーション層のパケットヘッダに、送信先ノード情報、前記データパケットの属するＵＥ識別子、前記データパケットの属するベアラ識別子、前記データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている、
情報伝送方法。
【請求項３】
ＩＡＢノードが設定情報を取得することと、
前記ＩＡＢノードが前記設定情報に従って転送待ちのデータパケットの次のホップ・ノードを確定することとを含む情報取得方法であって、
前記設定情報に、送信先ノード情報、次のホップ・ノード情報、ルーティング経路情報の少なくとも１つが含まれ、
ＩＡＢ  ｎｏｄｅが設定情報を取得することは、
前記ＩＡＢ  ｎｏｄｅがＦ１メッセージによりＣＵまたはＣＵ−ＣＰから前記設定情報を取得することを含む、
情報取得方法。
【請求項４】
ＩＡＢ  ｄｏｎｏｒ  ＤＵが設定情報を取得することと、
前記ＩＡＢ  ｄｏｎｏｒ  ＤＵが前記設定情報に従ってデータパケットを転送することとを含み、
前記設定情報に、ＩＰアドレスと送信先ノード情報との間のマッピング関係と、Ｆ１  ＧＴＰ−Ｕトンネルと送信先ノード情報との間のマッピング関係との少なくとも１つが含まれ、
ＩＡＢ  ｄｏｎｏｒ  ＤＵが設定情報を取得することは、前記ＩＡＢ  ｄｏｎｏｒ  ＤＵがＦ１メッセージによりＣＵまたはＣＵ−ＣＰから前記設定情報を取得することを含む、
情報取得方法。
【請求項５】
ＩＡＢ  ｄｏｎｏｒ  ＣＵ−ＵＰネットワーク要素が設定情報を取得することと、
前記ＩＡＢ  ｄｏｎｏｒ  ＣＵ−ＵＰが前記設定情報に従ってデータパケットを転送することとを含み、
前記設定情報に、ＵＥ識別子とＦ１ＡＰ  ＩＤとの間のマッピング関係と、ＵＥのシグナリング無線ベアラＳＲＢとＦ１ＡＰ  ＩＤとの間のマッピング関係と、ＵＥ識別子とＣＵ識別子との間のマッピング関係と、受信したデータパケットの属するＩＰアドレスと送信先ノード情報との間のマッピング関係と、ＵＥ識別子とＣＵ−ＣＰ識別子との間のマッピング関係と、ＵＥ識別子と基地局識別子／ＩＰアドレスとの間のマッピング関係と、ＵＥ識別子とＩＡＢ  ｎｏｄｅ識別子との間のマッピング関係と、Ｆ１  ＧＴＰ−ＵトンネルとＣＵ−ＣＰノード情報との間のマッピング関係と、ＵＥのＳＲＢとＦ１  ＧＴＰ−Ｕトンネルとの間のマッピング関係と、Ｆ１  ＧＴＰ−Ｕトンネルと送信先ノード情報との間のマッピング関係と、ＵＥ識別子と送信先ノード情報との間のマッピング関係との少なくとも１つが含まれ、
ＩＡＢ  ｄｏｎｏｒ  ＣＵ−ＵＰネットワーク要素が設定情報を取得することは、ＩＡＢ  ｄｏｎｏｒ  ＣＵ−ＵＰがＥ１メッセージによりＣＵ−ＣＰから前記設定情報を取得することを含む、
情報取得方法。
【請求項６】
ＩＡＢ  ｄｏｎｏｒ  ＣＵ−ＵＰとＩＡＢ  ｄｏｎｏｒ  ＣＵ−ＣＰとの間でＥ１ＡＰメッセージを伝送することを含み、
前記Ｅ１ＡＰメッセージに、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、
情報伝送方法。
【請求項７】
第１のＩＡＢノードに適用され、
データパケットを取得するように構成される取得モジュールと、
前記データパケットをＩＡＢ  ｄｏｎｏｒに送信するように構成される送信モジュールとを備え、
データパケットを取得することは、
ＵＥから送信された前記データパケットを受信することと、
前記データパケットを生成することと、
第２のＩＡＢノードから送信された前記データパケットを受信することとのいずれかを含み、
前記データパケットをＩＡＢ  ｄｏｎｏｒに送信することは、
前記データパケットを前記ＩＡＢ  ｄｏｎｏｒに送信することと、
前記データパケットを次のホップ・ノードに送信し、前記次のホップ・ノードにより前記データパケットを前記ＩＡＢ  ｄｏｎｏｒに転送することとのいずれかを含み、
前記データパケットをＩＡＢ  ｄｏｎｏｒに送信することは、
制御プレーンの論理チャネルまたは制御プレーンのベアラにより前記データパケットを前記ＩＡＢ  ｄｏｎｏｒに送信することと、
ユーザプレーンの論理チャネルまたはユーザプレーンのベアラにより前記データパケットを前記ＩＡＢ  ｄｏｎｏｒに送信することとのいずれかを含み、
前記データパケットを取得した後、
前記データパケットにアダプテーション層のパケットヘッダを追加することを更に含み、
前記アダプテーション層のパケットヘッダに、送信先ノード情報、データパケットの属するＵＥ識別子、データパケットの属するベアラ識別子、データパケットの属するチャネル識別子、ルーティング経路情報、サービス品質ＱｏＳ情報、制御プレーン指示情報、ユーザプレーン指示情報、プロトコルタイプ指示情報の少なくとも１つが含まれ、
前記データパケットは、ユーザプレーンのデータパケットまたは制御プレーンデータパケットである、
情報伝送装置。
【請求項８】
ＩＡＢ  ｄｏｎｏｒに適用され、
データパケットを受信するまたは自ら生成するように構成される確定モジュールと、
１つまたは複数のホップ・ノードにより前記データパケットをＩＡＢノードに送信するように構成される送信モジュールとを備え、
１つまたは複数のホップ・ノードにより前記データパケットをＩＡＢノードに送信することは、
Ｆ１  ＧＴＰ−ＵデータパケットまたはＦ１ＡＰメッセージにより前記データパケットを送信し、次のホップ・ノードにより前記データパケットを前記ＩＡＢノードに転送することを含み、
Ｆ１  ＧＴＰ−ＵデータパケットまたはＦ１ＡＰメッセージにより前記データパケットを次のホップ・ノードに送信した後、前記次のホップ・ノードが前記データパケットにアダプテーション層のパケットヘッダを追加することを更に含み、
前記アダプテーション層のパケットヘッダに、送信先ノード情報、前記データパケットの属するＵＥ識別子、前記データパケットの属するベアラ識別子、前記データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている、
情報伝送装置。
【請求項９】
ＩＡＢノードに適用され、
送信先ノード情報、次のホップ・ノード情報、ルーティング経路情報の少なくとも１つが含まれている設定情報を取得するように構成される取得モジュールと、
前記設定情報に従って転送待ちのデータパケットの次のホップ・ノードを確定するように構成される確定モジュールとを備え、
設定情報を取得することは、
Ｆ１メッセージによりＣＵまたはＣＵ−ＣＰから前記設定情報を取得することを含む、
情報取得装置。
【請求項１０】
ＩＡＢ  ｄｏｎｏｒ  ＤＵに適用され、
設定情報を取得するように構成される取得モジュールと、
前記設定情報に従ってデータパケットを転送するように構成される確定モジュールとを備え、
前記設定情報に、
ＩＰアドレスと送信先ノード情報との間のマッピング関係と、
Ｆ１  ＧＴＰ−Ｕトンネルと送信先ノード情報との間のマッピング関係と、の少なくとも１つが含まれ、
設定情報を取得することは、Ｆ１メッセージによりＣＵまたはＣＵ−ＣＰから前記設定情報を取得することを含む、
ＩＡＢ情報取得装置。
【請求項１１】
ＩＡＢ  ｄｏｎｏｒ  ＣＵ−ＵＰネットワーク要素に適用され、
設定情報を取得するように構成される取得モジュールと、
前記設定情報に従ってデータパケットを転送するように構成される転送モジュールとを備え、
前記設定情報に、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係と、
受信したデータパケットの属するＩＰアドレスと送信先ノード情報との間のマッピング関係と、
ＵＥ識別子とＣＵ−ＣＰ識別子との間のマッピング関係と、
ＵＥ識別子と基地局識別子／ＩＰアドレスとの間のマッピング関係と、
ＵＥ識別子とＩＡＢ  ｎｏｄｅ識別子との間のマッピング関係と、
Ｆ１  ＧＴＰ−ＵトンネルとＣＵ−ＣＰノード情報との間のマッピング関係と、
ＵＥのＳＲＢとＦ１  ＧＴＰ−Ｕトンネルとの間のマッピング関係と、
Ｆ１  ＧＴＰ−Ｕトンネルと送信先ノード情報との間のマッピング関係と、
ＵＥ識別子と送信先ノード情報との間のマッピング関係との少なくとも１つが含まれ、
設定情報を取得することは、Ｅ１メッセージによりＣＵ−ＣＰから前記設定情報を取得することを含む、
ＩＡＢ情報取得装置。
【請求項１２】
ＩＡＢ  ｄｏｎｏｒ  ＣＵ−ＵＰまたはＩＡＢ  ｄｏｎｏｒ  ＣＵ−ＣＰに適用され、
前記ＩＡＢ  ｄｏｎｏｒ  ＣＵ−ＵＰと前記ＩＡＢ  ｄｏｎｏｒ  ＣＵ−ＣＰとの間でＥ１ＡＰメッセージを伝送するように構成される伝送モジュールを備え、
前記Ｅ１ＡＰメッセージに、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、
情報伝送装置。
【請求項１３】
動作すると前記請求項１〜６のいずれか１項に記載の方法を実行させるように構成されるコンピュータプログラムが記憶されている、
記憶媒体。
【請求項１４】
コンピュータプログラムが記憶されているメモリと、前記コンピュータプログラムを動作させて前記請求項１〜６のいずれか１項に記載の方法を実行するように構成されるプロセッサとを備える、
電子装置。
【手続補正２】
【補正対象書類名】明細書
【補正対象項目名】全文
【補正方法】変更
【補正の内容】
【発明の詳細な説明】
【技術分野】
【０００１】
（関連出願の相互参照）
本願は、２０１８年５月１０日に中国専利局に提出された出願番号が２０１８１０４４５３２７．８である中国特許出願に対して優先権を主張するものであり、該出願の全ての内容を引用により本出願に援用する。
【０００２】
（技術分野）
本願は通信分野に関し、具体的には、情報伝送方法および装置に関する。
【背景技術】
【０００３】
関連技術において、ＮＲ（Ｎｅｗ  Ｒａｄｉｏ）は、ロングタームイボリューションシステムＬＴＥよりも大きな使用可能帯域幅を有し、大規模の分散型アンテナｍａｓｓｉｖｅ  ＭＩＭＯ、およびマルチビームｍｕｌｔｉ−ｂｅａｍの使用により、自己アクセスおよびバックホールリンク（ＩＡＢ、ｉｎｔｅｇｒａｔｅｄ  ａｃｃｅｓｓ  ａｎｄ  ｂａｃｋｈａｕｌ  ｌｉｎｋｓ）の研究および適用が可能となる。無線のバックホールリンクおよび中継リンクにより、密集したＮＲセルネットワークを柔軟に配置できる一方、伝送ネットワークの密集な配置を対応して追加する必要がない。ｉｎｔｅｇｒａｔｅｄ  ａｃｃｅｓｓ  ａｎｄ  ｂａｃｋｈａｕｌ  ｌｉｎｋｓが配置されたネットワークの一例は図１に示すとおりである。図１は、関連技術に係るＩＡＢのシーンの模式図であり、図１に示すように、Ａ、Ｂ、Ｃはいずれもアクセスノードであり、ユーザ機器は、ａｃｃｅｓｓ  ｌｉｎｋ（アクセスリンク）を介してアクセスノードＡ、Ｂ、Ｃにアクセスすることができるが、アクセスノードＡとコアネットワークとの間のみに有線接続が存在し、アクセスノードＢおよびＣと、コアネットワークのネットワーク要素との間に有線接続が存在しない。なお、ＩＡＢアーキテクチャーにおいて、制御シグナリングを正確に伝送や受信するために、制御シグナリングが中継転送をどのように行うかという問題は解決されるべきである。
【０００４】
関連技術における、新しいシステムに適用されるＩＡＢアーキテクチャーで情報を伝送する態様が欠乏しているという問題に対し、現在、有効な解決策は未だにない。
【発明の概要】
【発明が解決しようとする課題】
【０００５】
本願の実施例は、関連技術における、新しいシステムに適用されるＩＡＢアーキテクチャーで情報を伝送する態様が欠乏しているという問題を少なくとも解決するための情報伝送方法および装置を提供する。
【課題を解決するための手段】
【０００６】
本願の一実施例によれば、第１のＩＡＢノードが第１のデータパケットを取得することと、前記第１のＩＡＢノードが前記第１のデータパケットをＩＡＢ  ｄｏｎｏｒに送信することとを含む情報伝送方法を提供する。
【０００７】
本願の別の実施例によれば、ＩＡＢ  ｄｏｎｏｒ  ＤＵが第１のＩＡＢノードから送信された制御プレーンデータパケットを受信することと、前記ＩＡＢ  ｄｏｎｏｒ  ＤＵが、制御プレーンデータパケットを送信先集中型ユニット（送信先ＣＵ）または送信先集中型ユニット−制御プレーン（送信先ＣＵ−ＣＰ）に送信し、または、ＣＵ−ＵＰ（集中型ユニット−ユーザプレーン）により前記制御プレーンデータパケットを前記送信先ＣＵ−ＣＰに転送することとを含むＩＡＢ制御プレーンの情報伝送方法を更に提供する。
【０００８】
本願の別の実施例によれば、ＩＡＢ  ｄｏｎｏｒが第２のデータパケットを受信するまたは自ら生成することと、前記ＩＡＢ  ｄｏｎｏｒが１つまたは複数のホップ・ノードにより前記第２のデータパケットを第４のＩＡＢノードに送信することとを含む情報伝送方法を更に提供する。
【０００９】
本願の別の実施例によれば、第１のＩＡＢノードが、送信先ノード情報、次のホップ・ノード情報、ルーティング経路情報の少なくとも１つが含まれた第１の設定情報を取得することと、前記第１のＩＡＢノードが前記第１の設定情報に従って転送待ちのデータパケットの次のホップ・ノードを確定することとを含む情報取得方法を更に提供する。本願の別の実施例によれば、ＩＡＢ  ｄｏｎｏｒ  ＤＵは、ＵＥ識別子とＦ１ＡＰ  ＩＤとの間のマッピング関係と、ＵＥのシグナリング無線ベアラＳＲＢとＦ１ＡＰ  ＩＤとの間のマッピング関係と、ＵＥ識別子とＣＵ識別子との間のマッピング関係と、ＩＰアドレスと送信先ノード情報との間のマッピング関係と、ＵＥ識別子とＣＵ−ＣＰ識別子との間のマッピング関係と、ＵＥ識別子と基地局識別子との間のマッピング関係と、ＵＥ識別子とＩＡＢ  ｎｏｄｅ識別子との間のマッピング関係と、Ｆ１  ＧＴＰ−ＵトンネルとＣＵ−ＣＰノード情報とのマッピング関係と、Ｆ１  ＧＴＰ−Ｕトンネルと送信先ノード情報とのマッピング関係と、ＵＥ識別子と送信先ノード情報とのマッピング関係と、ＵＥのシグナリング無線ベアラＳＲＢとＦ１  ＧＴＰ−Ｕトンネルとの間のマッピング関係との少なくとも１つが含まれた第２の設定情報を取得することと、前記ＩＡＢ  ｄｏｎｏｒ  ＤＵが前記第２の設定情報に従ってデータパケットを転送することと含む情報取得方法を更に提供する。
【００１０】
本願の別の実施例によれば、
ＩＡＢ  ｄｏｎｏｒ  ＣＵ−ＵＰネットワーク要素が設定情報を取得することと、
前記ＩＡＢ  ｄｏｎｏｒ  ＣＵ−ＵＰが前記設定情報に従ってデータパケットを転送することとを含み、
前記設定情報に、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係と、
受信したデータパケットの属するＩＰアドレスと送信先ノード情報との間のマッピング関係と、
ＵＥ識別子とＣＵ−ＣＰ識別子との間のマッピング関係と、
ＵＥ識別子と基地局識別子／ＩＰアドレスとの間のマッピング関係と、
ＵＥ識別子とＩＡＢ  ｎｏｄｅ識別子との間のマッピング関係と、
Ｆ１  ＧＴＰ−ＵトンネルとＣＵ−ＣＰノード情報との間のマッピング関係と、
ＵＥのＳＲＢとＦ１  ＧＴＰ−Ｕトンネルとの間のマッピング関係と、
Ｆ１  ＧＴＰ−Ｕトンネルと送信先ノード情報との間のマッピング関係と、
ＵＥ識別子と送信先ノード情報との間のマッピング関係と、の少なくとも１つが含まれている、
情報取得方法を更に提供する。
【００１１】
本願の別の実施例によれば、ＩＡＢ  ｄｏｎｏｒ  ＣＵ−ＵＰとＩＡＢ  ｄｏｎｏｒ  ＤＵとの間でデータパケットを伝送することを含み、前記データパケットにＧＴＰ−Ｕパケットヘッダが含まれ、前記ＧＴＰ−Ｕパケットヘッダには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送方法を更に提供する。
【００１２】
本願の別の実施例によれば、ＩＡＢ  ｄｏｎｏｒ  ＤＵとＩＡＢ  ｄｏｎｏｒ  ＣＵ−ＣＰとの間でＦ１ＡＰメッセージを伝送することを含み、前記Ｆ１ＡＰメッセージには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送方法を更に提供する。
【００１３】
本願の別の実施例によれば、ＩＡＢ  ｄｏｎｏｒ  ＣＵ−ＵＰとＩＡＢ  ｄｏｎｏｒ  ＣＵ−ＣＰとの間でＥ１ＡＰメッセージを伝送することを含み、前記Ｅ１ＡＰメッセージには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送方法を更に提供する。
【００１４】
本願の別の実施例によれば、第１のＩＡＢノードに適用され、第１のデータパケットを取得するように構成される第１の取得モジュールと、前記第１のデータパケットをＩＡＢ  ｄｏｎｏｒに送信するように構成される第１の送信モジュールとを備える情報伝送装置を更に提供する。
【００１５】
本願の別の実施例によれば、ＩＡＢ  ｄｏｎｏｒ  ＤＵに適用され、第１のＩＡＢノードから送信された制御プレーンデータパケットを受信するように構成される第２の受信モジュールと、制御プレーンデータパケットを送信先集中型ユニット（ＣＵ）または送信先集中型ユニット−制御プレーン（送信先ＣＵ−ＣＰ）に送信し、または、ＣＵ−ＵＰ（ユーザプレーン）により前記制御プレーンデータパケットを前記送信先ＣＵ−ＣＰに転送するように構成される第２の送信モジュールとを備えるＩＡＢ制御プレーンの情報伝送装置を更に提供する。
【００１６】
本願の別の実施例によれば、ＩＡＢ  ｄｏｎｏｒに適用され、第２のデータパケットを受信するまたは自ら生成するように構成される第１の確定モジュールと、１つまたは複数のホップ・ノードにより前記第２のデータパケットを第４のＩＡＢノードに送信するように構成される第３の送信モジュールとを備える情報伝送装置を更に提供する。
【００１７】
本願の別の実施例によれば、第１のＩＡＢノードに適用され、送信先ノード情報、次のホップ・ノード情報、ルーティング経路情報の少なくとも１つが含まれた第１の設定情報を取得するように構成される第２の取得モジュールと、前記第１の設定情報に従って転送待ちのデータパケットの次のホップ・ノードを確定するように構成される第２の確定モジュールとを備える情報取得装置を更に提供する。
【００１８】
本願の別の実施例によれば、ＩＡＢ  ｄｏｎｏｒ  ＤＵに適用され、第２の設定情報を取得するように構成される第３の取得モジュールと、前記第２の設定情報に従ってデータパケットを転送するように構成される第３の確定モジュールとを備え、前記第２の設定情報に、ＵＥ識別子とＦ１ＡＰ  ＩＤとの間のマッピング関係と、ＵＥのシグナリング無線ベアラＳＲＢとＦ１ＡＰ  ＩＤとの間のマッピング関係と、ＵＥ識別子とＣＵ識別子との間のマッピング関係と、ＩＰアドレスと送信先ノード情報との間のマッピング関係と、ＵＥ識別子とＣＵ−ＣＰ識別子との間のマッピング関係と、ＵＥ識別子と基地局識別子との間のマッピング関係と、ＵＥ識別子とＩＡＢ  ｎｏｄｅ識別子との間のマッピング関係と、Ｆ１  ＧＴＰ−ＵトンネルとＣＵ−ＣＰノード情報とのマッピング関係と、Ｆ１  ＧＴＰ−Ｕトンネルと送信先ノード情報とのマッピング関係と、ＵＥ識別子と送信先ノード情報とのマッピング関係と、ＵＥのシグナリング無線ベアラＳＲＢとＦ１  ＧＴＰ−Ｕトンネルとの間のマッピング関係との少なくとも１つが含まれている、ＩＡＢ制御プレーン情報の取得装置を更に提供する。
【００１９】
本願の別の実施例によれば、ＩＡＢ  ｄｏｎｏｒ  ＣＵ−ＵＰネットワーク要素に適用され、第３の設定情報を取得するように構成される第４の取得モジュールと、前記第３の設定情報に従ってデータパケットを転送するように構成される転送モジュールとを備え、前記第３の設定情報に、ＵＥ識別子とＦ１ＡＰ  ＩＤとの間のマッピング関係と、ＵＥのシグナリング無線ベアラＳＲＢとＦ１ＡＰ  ＩＤとの間のマッピング関係と、ＵＥ識別子とＣＵ識別子との間のマッピング関係と、受信したデータパケットの属するＩＰアドレスと送信先ノード情報との間のマッピング関係と、ＵＥ識別子とＣＵ−ＣＰ識別子との間のマッピング関係と、ＵＥ識別子と基地局識別子／ＩＰアドレスとの間のマッピング関係と、ＵＥ識別子とＩＡＢ  ｎｏｄｅ識別子との間のマッピング関係と、Ｆ１  ＧＴＰ−ＵトンネルとＣＵ−ＣＰノード情報とのマッピング関係と、ＵＥのＳＲＢとＦ１  ＧＴＰ−Ｕトンネルとの間のマッピング関係と、Ｆ１  ＧＴＰ−Ｕトンネルと送信先ノード情報とのマッピング関係と、ＵＥ識別子と送信先ノード情報とのマッピング関係との少なくとも１つが含まれている、ＩＡＢ制御プレーン情報の取得装置を更に提供する。
【００２０】
本願の別の実施例によれば、ＩＡＢ  ｄｏｎｏｒ  ＣＵ−ＵＰまたはＩＡＢ  ｄｏｎｏｒ  ＤＵに適用され、前記ＩＡＢ  ｄｏｎｏｒ  ＣＵ−ＵＰと前記ＩＡＢ  ｄｏｎｏｒ  ＤＵとの間でデータパケットを伝送するように構成される第１の伝送モジュールを備え、前記データパケットにＧＴＰ−Ｕパケットヘッダが含まれ、前記ＧＴＰ−Ｕパケットヘッダには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送装置を更に提供する。
【００２１】
本願の別の実施例によれば、ＩＡＢ  ｄｏｎｏｒ  ＤＵまたはＩＡＢ  ｄｏｎｏｒ  ＣＵ−ＣＰに適用され、前記ＩＡＢ  ｄｏｎｏｒ  ＤＵと前記ＩＡＢ  ｄｏｎｏｒ  ＣＵ−ＣＰとの間でＦ１ＡＰメッセージを伝送するように構成される第２の伝送モジュールを備え、前記Ｆ１ＡＰメッセージには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送装置を更に提供する。
【００２２】
本願の別の実施例によれば、ＩＡＢ  ｄｏｎｏｒ  ＣＵ−ＵＰまたはＩＡＢ  ｄｏｎｏｒ  ＣＵ−ＣＰに適用され、前記ＩＡＢ  ｄｏｎｏｒ  ＣＵ−ＵＰと前記ＩＡＢ  ｄｏｎｏｒ  ＣＵ−ＣＰとの間でＥ１ＡＰメッセージを伝送するように構成される第３の伝送モジュールを備え、前記Ｅ１ＡＰメッセージには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送装置を更に提供する。
【００２３】
本願の更なる実施例によれば、動作すると上記いずれかの実施例に記載の方法を実行させるように構成されるコンピュータプログラムが記憶されている記憶媒体を更に提供する。
【００２４】
本願の更なる実施例によれば、コンピュータプログラムが記憶されているメモリと、前記コンピュータプログラムを動作させて上記いずれかの実施例に記載の方法を実行するように構成されるプロセッサとを備える電子装置を更に提供する。
【発明の効果】
【００２５】
本願により、ＩＡＢのシーンにおいて、ＩＡＢノードは第１のデータパケットを取得し、第１のＩＡＢノードは第１のデータパケットをＩＡＢ  ｄｏｎｏｒに送信し、上記技術案を採用することにより、関連技術における、新しいシステムに適用されるＩＡＢアーキテクチャーで情報を伝送する態様が欠乏しているという問題を解決し、ＩＡＢノードが情報をＩＡＢ  ｄｏｎｏｒに伝送することを実現する。
【図面の簡単な説明】
【００２６】
ここで説明する図面は、本願に対する更なる理解を提供するためのものであり、本願の一部を構成し、本願の例示的な実施例およびその説明は、本願を解釈するためのものであり、本願を不当に限定するものではない。
【００２７】
【図１】関連技術によるＩＡＢのシーンの模式図である。
【図２】関連技術によるＩＡＢ配置シーンにおける非ＣＵ／ＤＵ分離の模式図である。
【図３】関連技術によるＩＡＢ配置シーンにおけるＣＵ／ＤＵ分離の模式図である。
【図４】本願の実施例による情報伝送方法のフローチャートである。
【図５】具体的な実施例１によるＵＥとＡＭＦとの間のプロトコルスタックの模式図である。
【図６】具体的な実施例２によるＵＥとＡＭＦとの間のプロトコルスタックの模式図である。
【図７】具体的な実施例３によるＵＥとＡＭＦとの間のプロトコルスタックの模式図である。
【図８ａ】具体的な実施例４によるＵＥとＡＭＦとの間のプロトコルスタックの模式図１である。
【図８ｂ】具体的な実施例４によるＣＵ−ＵＰ上にアダプテーション層が存在するプロトコルスタックの模式図である。
【図８ｃ】具体的な実施例４によるＣＵ−ＵＰおよびＣＵ−ＣＰ上にアダプテーション層が存在するプロトコルスタックの模式図である。
【図９】本願の具体的な実施例５によるＵＥとＡＭＦとの間のプロトコルスタックの模式図である。
【図１０】本願の具体的な実施例６によるＩＡＢ  ｎｏｄｅ  １とＡＭＦとの間のプロトコルスタックの模式図である。
【図１１】本願の具体的な実施例７によるＵＥとＡＭＦとの間のプロトコルスタックの模式図である。
【図１２】本願の具体的な実施例８によるＵＥとＡＭＦとの間のプロトコルスタックの模式図である。
【図１３】本願の具体的な実施例９によるＵＥとＡＭＦとの間のプロトコルスタックの模式図である。
【図１４】本願の具体的な実施例１０によるＩＡＢ  ｎｏｄｅ  １とＡＭＦとの間のプロトコルスタックの模式図である。
【発明を実施するための形態】
【００２８】
以下、図面および実施例を参照しながら本願について詳細に説明する。なお、矛盾しない限り、本願に係る実施例と実施例における特徴は、互いに任意に組み合わせることができる。
【００２９】
なお、本願の明細書、特許請求の範囲および上記図面における「第１の」、「第２の」等という用語は、類似する対象を区別するためのものであり、特定の順序または優先順位を記述するために用いる必要わけではない。
【００３０】
本願の実施例において、移動通信ネットワーク（５Ｇ移動通信ネットワークを含んでもよいが、これに限定されない）を提供し、該ネットワークのネットワークアーキテクチャーは、ネットワーク側デバイス（例えば、基地局）および端末を含んでもよい。本実施例において、上記ネットワークアーキテクチャーで動作可能な情報伝送方法を提供し、なお、本願の実施例に係る上記情報伝送方法の動作環境は、上記ネットワークアーキテクチャーに限定されない。本願の書類におけるＩＡＢノードは、基地局の一部または全てのデバイスであってもよい。本願の書類におけるＦ１ＡＰ、Ｅ１ＡＰは、いずれも３ＧＰＰ規格における用語である。
【実施例１】
【００３１】
本願の書類の応用シーンは図１に示すように、ここで、ユーザ機器（Ｕｓｅｒ  Ｅｑｕｉｐｍｅｎｔ、ＵＥ）の無線アクセスをサポートしてユーザプレーンまたは制御プレーンデータパケットを無線バックホールするアクセスノードをＩＡＢノード（ＩＡＢ  ｎｏｄｅ）と呼ぶ。ＩＡＢ  ｎｏｄｅに無線バックホール機能を提供してＵＥとコアネットワークとを接続させるアクセスノードをＩＡＢ  ｄｏｎｏｒと呼ぶ。アクセスノード間で、無線のバックホールリンクｂａｃｋｈａｕｌ  ｌｉｎｋを介してユーザプレーンまたは制御プレーンデータパケットを伝送することができる。例えば、アクセスノードＢは無線のｂａｃｋｈａｕｌ  ｌｉｎｋを介してＵＥから受信したデータパケットをアクセスノードＡに送信した後、アクセスノードＡは更にＵＥデータパケットをコアネットワークのネットワーク要素に送信することができる。下りの場合、コアネットワークのネットワーク要素はＵＥデータパケットをアクセスノードＡに送信した後、アクセスノードＡは更に無線のｂａｃｋｈａｕｌ  ｌｉｎｋを介してＵＥデータパケットをアクセスノードＢに送信し、アクセスノードＢは更にａｃｃｅｓｓ  ｌｉｎｋを介してＵＥデータをＵＥに送信することができる。Ａｃｃｅｓｓ  ｌｉｎｋとｂａｃｋｈａｕｌ  ｌｉｎｋとは、同じまたは異なるキャリア周波数を使用してもよい。また、ユーザプレーンまたは制御プレーンデータパケットは、アクセスノードとコアネットワークのネットワーク要素との間の複数のホップの中継バックホールリンクを介して伝送できる。図２は、関連技術によるＩＡＢ配置シーンにおける非ＣＵ／ＤＵ分離の模式図であり、図２に示すように、ＵＥの上りデータパケットは、２つのＩＡＢ  ｎｏｄｅによりＩＡＢ  ｄｏｎｏｒに送信された後、更に５Ｇコアネットワーク（ＮＧＣ）に送信することができる。一方、ＣＵ／ＤＵ分離配置をサポートすることは、ＮＲにおける１つの重要な技術的特徴であり、図３は、関連技術によるＩＡＢ配置シーンにおけるＣＵ／ＤＵ分離の模式図であり、図３に示すように、ｇＮＢは、集中型ユニット（Ｃｅｎｔｒａｌｉｚｅｄ  Ｕｎｉｔ、ＣＵと略称する）および分散型ユニット（Ｄｉｓｔｒｉｂｕｔｅｄ  Ｕｎｉｔ、ＤＵと略称する）の論理機能から構成されるため、ＣＵ／ＤＵ分離配置のシーンでＩＡＢ機能をサポートする必要がある。また、ＣＵは制御プレーン（ＣＵ−ＣＰと呼ばれてもよい）およびユーザプレーン（ＣＵ−ＵＰと呼ばれてもよい）の論理機能から構成されてもよい。
【００３２】
本実施例において、ＩＡＢのシーンで動作可能な情報伝送方法を提供し、図４は、本願の実施例による情報伝送方法のフローチャートであり、図４に示すように、該フローは以下のステップを含む。
【００３３】
ステップＳ４０２において、第１のＩＡＢノードが第１のデータパケットを取得する。
【００３４】
ステップＳ４０４において、前記第１のＩＡＢノードが前記第１のデータパケットをＩＡＢ  ｄｏｎｏｒに送信する。
【００３５】
上記ステップにより、ＩＡＢのシーンで、ＩＡＢノードが第１のデータパケットを取得し、第１のＩＡＢノードが第１のデータパケットをＩＡＢ  ｄｏｎｏｒに送信し、上記技術案を採用することにより、関連技術における、新しいシステムに適用されるＩＡＢアーキテクチャーで情報を伝送する態様が欠乏しているという問題を解決し、ＩＡＢノードが情報をＩＡＢ  ｄｏｎｏｒに伝送することを実現する。
【００３６】
好ましくは、ステップＳ４０２およびステップＳ４０４の実行順序は互いに交換でき、すなわち、ステップＳ４０４を実行してからＳ４０２を実行してもよい。
【００３７】
好ましくは、第１のＩＡＢノードが第１のデータパケットを取得することは、前記第１のＩＡＢノードがＵＥから送信された第１のデータパケットを受信することと、前記第１のＩＡＢノード自身が前記第１のデータパケットを生成することと、前記第１のＩＡＢノードが前記第２のＩＡＢノードから送信された第１のデータパケットを受信することとのいずれかを含む。ここで、ＩＡＢが第１のデータパケットを取得する３種の形式を列挙したが、これらに限定されない。
【００３８】
好ましくは、前記第１のＩＡＢノードが前記第１のデータパケットをＩＡＢ  ｄｏｎｏｒに送信することは、前記第１のＩＡＢノードが前記第１のデータパケットを前記ＩＡＢ  ｄｏｎｏｒに送信することと、前記第１のＩＡＢノードが前記第１のデータパケットを次のホップ・ノードに送信し、前記次のホップ・ノードにより前記第１のデータパケットを前記ＩＡＢ  ｄｏｎｏｒに転送することとのいずれかを含む。前記第１のＩＡＢノードが前記第１のデータパケットを前記ＩＡＢ  ｄｏｎｏｒに送信することは、第１のＩＡＢノードが第１のデータパケットをＩＡＢ  ｄｏｎｏｒに直接送信し、中間の１つまたは複数のホップ・ノードにより転送する必要がないと理解できる。
【００３９】
好ましくは、前記第１のＩＡＢノードが前記第１のデータパケットをＩＡＢ  ｄｏｎｏｒに送信することは、前記第１のＩＡＢノードが制御プレーンの論理チャネルまたは制御プレーンのベアラにより前記第１のデータパケットを前記ＩＡＢ  ｄｏｎｏｒに送信することと、前記第１のＩＡＢノードがユーザプレーンの論理チャネルまたはユーザプレーンのベアラにより前記第１のデータパケットを前記ＩＡＢ  ｄｏｎｏｒに送信することとのいずれかを含む。
【００４０】
好ましくは、第１のＩＡＢノードが第１のデータパケットを取得した後、前記第１のＩＡＢノードは前記第１のデータパケットにアダプテーション層のパケットヘッダを追加し、前記アダプテーション層のパケットヘッダに、送信先ノード情報、第１のデータパケットの属するＵＥ識別子、第１のデータパケットの属するベアラ識別子、第１のデータパケットの属するチャネル識別子、ルーティング経路情報、サービス品質ＱｏＳ（Ｑｕａｌｉｔｙ  ｏｆ  ｓｅｒｖｉｕｃｅ）情報、ＧＴＰトンネル情報（ＧＰＲＳトンネルプロトコル、ＧＴＰと呼ばれてもよい）、Ｆ１ＡＰ  ＩＤ情報（ＩＤ情報は識別情報であってもよい）、制御プレーン指示情報、ユーザプレーン指示情報、プロトコルタイプ指示情報、ロングフォーマット指示情報、ショートフォーマット指示情報の少なくとも１つが含まれている。
【００４１】
なお、１つのデータパケットの最終的に送信されるＩＡＢ  ｄｏｎｏｒまたはＩＡＢノードは送信先ノードと呼ばれ、現在のＩＡＢノードと送信先ノードとの間のノードは、１つまたは複数のホップ・ノードと呼ばれてもよい。
【００４２】
好ましくは、送信先ノード情報は、
ＩＡＢ  ｎｏｄｅ識別子、ＤＵ識別子、ＣＵ識別子、基地局識別子、ＣＵ−ＵＰ識別子、ＣＵ−ＣＰ識別子、ＡＭＦ識別子、セル識別子、送信先インデックス番号のような送信先ノードの識別子、
または、送信先ノードのＩＰアドレス、
または、送信先ノードのＩＰアドレスインデックス情報、
または、次のホップ・ノード情報、
を含んでもよいが、これらに限定されない。
【００４３】
好ましくは、データパケットの属するＵＥ識別子情報は、データパケットの属するＵＥのＵＥ識別子またはデータパケットの属するＩＡＢ  ｎｏｄｅのＵＥ識別子であり、更に、ＵＥ識別子は、Ｅ１ＡＰ  ＩＤ、Ｆ１ＡＰ  ＩＤ、セル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ、Ｃ−ＲＮＴＩ）、Ｓ１  ＡＰ  ＩＤ、Ｘ２  ＡＰ  ＩＤ、ＮＧ  ＡＰ  ＩＤ、Ｘｎ  ＡＰ  ＩＤ、新規定義の識別子を含んでもよいが、これらに限定されない。
【００４４】
好ましくは、データパケットの属するベアラ／チャネル識別子情報は、データパケットの属するＵＥのベアラ／チャネルの識別子またはデータパケットの属するＩＡＢ  ｎｏｄｅのベアラ／チャネルの識別子である。前記ベアラ識別子は、ＤＲＢ  ＩＤ、ＳＲＢ  ＩＤ、ＬＣＩＤ、ＱｏＳフロー識別子（Ｑｕａｌｉｔｙ  ｏｆ  Ｓｅｒｖｉｃｅ  ｆｌｏｗ  Ｉｄｅｎｔｉｆｉｅｒ、ＱＦＩ、）フロー（ｆｌｏｗ）識別子の１つである。
【００４５】
好ましくは、ルーティング経路情報は、
ルーティング経路識別子、ルーティング経路番号、ルーティング経路インデックス番号を含んでもよいが、これらに限定されない。
【００４６】
好ましくは、ＱｏＳ関連情報は、サービス品質クラス識別子（ＱｏＳ  Ｃｌａｓｓ  Ｉｄｅｎｔｉｆｉｅｒ、ＱＣＩ）、または第５世代移動通信サービス品質指標（５ｔｈ−Ｇｅｎｅｒａｔｉｏｎ  ＱｏＳ  Ｉｎｄｉｃａｔｏｒ、５ＱＩ）、またはＱＦＩ、または差別化されたサービスコードポイント（Ｄｉｆｆｅｒｅｎｔｉａｔｅｄ  Ｓｅｒｖｉｃｅｓ  Ｃｏｄｅ  Ｐｏｉｎｔ、ＤＳＣＰ）値を含んでもよいが、これらに限定されない。
【００４７】
好ましくは、ＧＴＰトンネル情報に、伝送ネットワーク層（Ｔｒａｎｓｐｏｒｔ  Ｎｅｔｗｏｒｋ  Ｌａｙｅｒ、ＴＮＬ）アドレスおよび／またはＧＴＰトンネル端点識別子（Ｔｕｎｎｅｌ  Ｅｎｄ  ｐｏｉｎｔ  Ｉｄｅｎｔｉｆｉｅｒ、ＴＥＩＤ）情報が含まれている。
【００４８】
好ましくは、プロトコルタイプ指示情報は、ＲＲＣメッセージ、ＮＡＳメッセージ、Ｆ１ＡＰメッセージ、ＯＡＭ情報を含んでもよいが、これらに限定されない。
【００４９】
好ましくは、ロングフォーマット指示情報は、アダプテーション層のパケットヘッダにロングフォーマット指示情報以外の他の情報が含まれることを指示するために用いられ、ショートフォーマット指示情報は、アダプテーション層のパケットヘッダにショートフォーマット指示情報のみが含まれることを指示するために用いられる。
【００５０】
好ましくは、前記第１のＩＡＢノードが前記第１のデータパケットにアダプテーション層のパケットヘッダを追加する前に、前記方法は、前記第１のＩＡＢノードが前記第１のデータパケットをＦ１ＡＰメッセージにパッケージすることを更に含み、パッケージした後のＦ１ＡＰメッセージに、Ｆ１ＡＰ  ＩＤ、第１のデータパケットの属するＵＥ識別子、第１のデータパケットの属するベアラ識別子、第１のデータパケットの属するチャネル識別子の少なくとも１つが含まれている。第１のデータパケットの属するＵＥ識別子は、第１のデータパケットを送信するＵＥの識別子であってもよいし、第１のデータパケットを生成するＵＥであってもよい。
【００５１】
好ましくは、前記ＩＡＢ  ｄｏｎｏｒは、ＩＡＢ  ｄｏｎｏｒ基地局と、ＩＡＢ  ｄｏｎｏｒ  ＣＵと、ＩＡＢ  ｄｏｎｏｒ  ＤＵと、ＩＡＢ  ｄｏｎｏｒ  ＣＵ−ＵＰと、ＩＡＢ  ｄｏｎｏｒ  ＣＵ−ＣＰとの少なくとも１つを含む。
【００５２】
好ましくは、前記第１のデータパケットは、ユーザプレーンのデータパケットまたは制御プレーンデータパケットであり、具体的には、ＮＡＳメッセージ、ＲＲＣメッセージ、Ｆ１メッセージ、Ｓ１シグナリング、Ｘ２シグナリング、ＮＧシグナリング、Ｘｎシグナリング、ＯＡＭ情報であってもよい。
【００５３】
本願の別の実施例によれば、以下のステップを含むＩＡＢ制御プレーンの情報伝送方法を更に提供する。
【００５４】
ステップ１において、ＩＡＢ  ｄｏｎｏｒ  ＤＵが第１のＩＡＢノードから送信された制御プレーンデータパケットを受信する。
【００５５】
ステップ２において、前記ＩＡＢ  ｄｏｎｏｒ  ＤＵが、制御プレーンデータパケットを送信先集中型ユニット（ＣＵ）または送信先集中型ユニット−制御プレーン（送信先ＣＵ−ＣＰ）に送信し、または、ＣＵ−ＵＰ（ユーザプレーン）により前記制御プレーンデータパケットを前記送信先ＣＵ−ＣＰに転送する。
【００５６】
上記技術案を採用することにより、新しいシステムに適用される、ＩＡＢ  ｄｏｎｏｒ  ＤＵが制御プレーンデータパケットを送信する方式が与えられる。
【００５７】
本願の別の実施例によれば、以下のステップを含む情報伝送方法を更に提供する。
【００５８】
ステップ１において、ＩＡＢ  ｄｏｎｏｒが第２のデータパケットを受信するまたは自ら生成する。
【００５９】
ステップ２において、前記ＩＡＢ  ｄｏｎｏｒが１つまたは複数のホップ・ノードにより前記第２のデータパケットを第４のＩＡＢノードに送信する。
【００６０】
上記ステップ２における第４のＩＡＢノードは、異なるＩＡＢノードを指示するためのものであってもよく、ネットワークアーキテクチャーの意味がない。
【００６１】
上記技術案を採用することにより、新しいシステムに適用される、ＩＡＢ  ｄｏｎｏｒが第２のデータパケットを送信する方式が与えられる。
【００６２】
好ましくは、前記ＩＡＢ  ｄｏｎｏｒが１つまたは複数のホップ・ノードにより前記第２のデータパケットを第４のＩＡＢノードに送信することは、前記ＩＡＢ  ｄｏｎｏｒがＦ１  ＧＴＰ−ＵデータパケットまたはＦ１ＡＰメッセージまたはＥ１ＡＰメッセージにより前記第２のデータパケットを送信し、次のホップ・ノードにより前記第２のデータパケットを前記第４のＩＡＢノードに転送することを含む。
【００６３】
好ましくは、前記Ｆ１  ＧＴＰ−ＵデータパケットまたはＦ１ＡＰメッセージまたはＥ１ＡＰメッセージに、
送信先ノード情報、前記第２のデータパケットの属するＵＥ識別子、前記第２のデータパケットの属するベアラ識別子、前記第２のデータパケットの属するチャネル識別子、ルーティング経路情報、ＱｏＳ情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【００６４】
好ましくは、前記ＩＡＢ  ｄｏｎｏｒがＦ１  ＧＴＰ−ＵデータパケットまたはＦ１ＡＰメッセージまたはＥ１ＡＰメッセージにより前記第２のデータパケットを次のホップ・ノードに送信した後、前記次のホップ・ノードは前記データパケットにアダプテーション層のパケットヘッダを追加し、前記アダプテーション層のパケットヘッダに、送信先ノード情報、前記第２のデータパケットの属するＵＥ識別子、前記第２のデータパケットの属するベアラ識別子、前記第２のデータパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【００６５】
好ましくは、送信先ノード情報は、
ＩＡＢ  ｎｏｄｅ識別子、ＤＵ識別子、ＣＵ識別子、基地局識別子、ＣＵ−ＵＰ識別子、ＣＵ−ＣＰ識別子、ＡＭＦ識別子、セル識別子、送信先インデックス番号のような送信先ノードの識別子、
または、送信先ノードのＩＰアドレス、
または、送信先ノードのＩＰアドレスインデックス情報、
または、次のホップ・ノード情報、
を含んでもよいが、これらに限定されない。
【００６６】
好ましくは、データパケットの属するＵＥ識別子情報は、データパケットの属するＵＥのＵＥ識別子またはデータパケットの属するＩＡＢ  ｎｏｄｅのＵＥ識別子であり、更に、ＵＥ識別子は、Ｅ１ＡＰ  ＩＤ、Ｆ１ＡＰ  ＩＤ、Ｃ−ＲＮＴＩ、Ｓ１  ＡＰ  ＩＤ、Ｘ２  ＡＰ  ＩＤ、ＮＧ  ＡＰ  ＩＤ、Ｘｎ  ＡＰ  ＩＤ、新規定義の識別子を含んでもよいが、これらに限定されない。
【００６７】
好ましくは、データパケットの属するベアラ／チャネル識別子情報は、データパケットの属するＵＥのベアラ／チャネルの識別子またはデータパケットの属するＩＡＢ  ｎｏｄｅのベアラ／チャネルの識別子である。前記ベアラ識別子は、ＤＲＢ  ＩＤ、ＳＲＢ  ＩＤ、ＬＣＩＤ、ＱＦＩ、ｆｌｏｗ識別子の１つである。
【００６８】
好ましくは、ルーティング経路情報は、
ルーティング経路識別子、ルーティング経路番号、ルーティング経路インデックス番号を含んでもよいが、これらに限定されない。
【００６９】
好ましくは、ＱｏＳ関連情報は、ＱＣＩ、または５ＱＩ、またはＱＦＩ、またはＤＳＣＰ値を含んでもよいが、これらに限定されない。
【００７０】
好ましくは、ＧＴＰトンネル情報は、ＴＮＬアドレスおよび／またはＧＴＰ  ＴＥＩＤ情報を含む。
【００７１】
好ましくは、プロトコルタイプ指示情報は、無線リソース制御（Ｒａｄｉｏ  Ｒｅｓｏｕｒｃｅ  Ｃｏｎｔｒｏｌ、ＲＲＣ）メッセージ、非アクセス層（Ｎｏｎ−ａｃｃｅｓｓ  ｓｔｒａｔｕｍ、ＮＡＳ）メッセージ、Ｆ１ＡＰメッセージ、運用保守管理（Ｏｐｅｒａｔｉｏｎ  Ａｄｍｉｎｉｓｔｒａｔｉｏｎ  ａｎｄ  Ｍａｉｎｔｅｎａｎｃｅ、ＯＡＭ）情報を含んでもよいが、これらに限定されない。
【００７２】
本願の別の実施例によれば、以下のステップを含む情報取得方法を更に提供する。
【００７３】
ステップ１において、第１のＩＡＢノードが第１の設定情報を取得し、前記第１の設定情報は、送信先ノード情報、次のホップ・ノード情報、ルーティング経路情報、差別化されたサービスコードポイントＤＳＣＰとサービス品質フロー識別子ＱＦＩ（ＱｏＳ  Ｆｌｏｗ  ＩＤ）との間のマッピング関係の少なくとも１つを含む。
【００７４】
本願の書類における送信先ノード情報は、いずれも前述した実施例に記載されたアダプテーション層における送信先ノード情報であってもよい。上記の第１の設定情報は、ＵＥを粒度として設定されるものであるか、またはベアラを粒度として設定されるものである。
【００７５】
ステップ２において、前記第１のＩＡＢノードは、前記第１の設定情報に従って転送待ちのデータパケットの次のホップ・ノードを確定する。ここでの次のホップ・ノードは、送信先ノードとの間の１つまたは複数のホップ・ノードである可能性があり、送信先ノードである可能性もある。
【００７６】
好ましくは、ＩＡＢ  ｎｏｄｅが第１の設定情報を取得することは、前記ＩＡＢ  ｎｏｄｅがＦ１メッセージによりＣＵまたはＣＵ−ＣＰから前記第１の設定情報を取得することを含む。
【００７７】
本願の別の実施例によれば、以下のステップを含む情報取得方法を更に提供する。
【００７８】
ステップ１において、ＩＡＢ  ｄｏｎｏｒ  ＤＵは第２の設定情報を取得し、前記第２の設定情報に、
Ｆ１ＡＰ  ＩＤの間のマッピング関係と、
ＤＳＣＰとＱＦＩとの間のマッピング関係と、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係であって、ＩＡＢ  ｄｏｎｏｒ  ＤＵは該マッピング関係に基づき、ＵＥ識別子に基づいて対応するＦ１ＡＰ  ＩＤを確定すること、または、Ｆ１ＡＰ  ＩＤに基づいて対応するＵＥ識別子を確定することを実現することができるマッピング関係と、
ＵＥ識別子とＣＵ識別子との間のマッピング関係であって、ＣＵ識別子は、基地局識別子、ＣＵ識別子、ＩＰアドレス等の情報であってもよいマッピング関係と、
ＩＰアドレスと送信先ノード情報との間のマッピング関係であって、ここでのＩＰアドレスは、ＩＰパケットヘッダにおける送信先ＩＰアドレスであってもよいマッピング関係と、
ＵＥ識別子とＣＵ−ＣＰ識別子との間のマッピング関係であって、ＣＵ−ＣＰ識別子は、基地局識別子、ＣＵ−ＣＰ識別子、ＩＰアドレス等の情報であってもよいマッピング関係と、
ＵＥ識別子と基地局識別子との間のマッピング関係であって、ここではＵＥ識別子とＩＰアドレスとの間のマッピング関係であってもよいマッピング関係と、
ＵＥ識別子とＩＡＢ  ｎｏｄｅ識別子との間のマッピング関係であって、ＩＡＢ  ｎｏｄｅ識別子は、基地局識別子、ＤＵ識別子、ＩＰアドレス等の情報であってもよいマッピング関係と、
Ｆ１  ＧＴＰ−ＵトンネルとＣＵ−ＣＰノード情報とのマッピング関係であって、ここではＩＡＢ  ｄｏｎｏｒ  ＤＵが受信したデータパケットの属するＦ１  ＧＴＰ−Ｕトンネルであってもよいマッピング関係と、
Ｆ１  ＧＴＰ−Ｕトンネルと送信先ノード情報とのマッピング関係と、
ＵＥ識別子と送信先ノード情報とのマッピング関係と、
ＵＥのシグナリング無線ベアラＳＲＢとＦ１  ＧＴＰ−Ｕトンネルとの間のマッピング関係と、
の少なくとも１つが含まれている。
【００７９】
ステップ２において、前記ＩＡＢ  ｄｏｎｏｒ  ＤＵが前記第２の設定情報に従ってデータパケットを転送する。
【００８０】
好ましくは、ＩＡＢ  ｄｏｎｏｒ  ＤＵが第２の設定情報を取得することは、前記ＩＡＢ  ｄｏｎｏｒ  ＤＵがＦ１メッセージによりＣＵまたはＣＵ−ＣＰから前記第２の設定情報を取得することを含む。
【００８１】
本願の別の実施例によれば、以下のステップを含む情報取得方法を更に提供する。
【００８２】
ステップ１において、ＩＡＢ  ｄｏｎｏｒ  ＣＵ−ＵＰネットワーク要素が第３の設定情報を取得し、前記第３の設定情報に、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係であって、ＣＵ識別子は、基地局識別子、ＣＵ識別子、ＩＰアドレス等の情報であってもよいマッピング関係と、
受信したデータパケットの属するＩＰアドレスと送信先ノード情報との間のマッピング関係と、
ＵＥ識別子とＣＵ−ＣＰ識別子との間のマッピング関係であって、ＣＵ−ＣＰ識別子は、基地局識別子、ＣＵ−ＣＰ識別子、ＩＰアドレス等の情報であってもよいマッピング関係と、
ＵＥ識別子と基地局識別子／ＩＰアドレスとの間のマッピング関係と、
ＵＥ識別子とＩＡＢ  ｎｏｄｅ識別子との間のマッピング関係であって、ＩＡＢ  ｎｏｄｅ識別子は、基地局識別子、ＤＵ識別子、ＩＰアドレス等の情報であってもよいマッピング関係と、
Ｆ１  ＧＴＰ−ＵトンネルとＣＵ−ＣＰノード情報とのマッピング関係と、
ＵＥのＳＲＢとＦ１  ＧＴＰ−Ｕトンネルとの間のマッピング関係と、
Ｆ１  ＧＴＰ−Ｕトンネルと送信先ノード情報とのマッピング関係と、
ＵＥ識別子と送信先ノード情報とのマッピング関係と、の少なくとも１つが含まれている。
【００８３】
ステップ２において、前記ＩＡＢ  ｄｏｎｏｒ  ＣＵ−ＵＰは前記第３の設定情報に従ってデータパケットを転送する。
【００８４】
上記技術案を採用することにより、ＮＲに適用される、ＩＡＢ  ｄｏｎｏｒ  ＣＵ−ＵＰが設定情報に従ってデータパケットを送信する方式が与えられる。
【００８５】
好ましくは、ＩＡＢ  ｄｏｎｏｒ  ＣＵ−ＵＰネットワーク要素が第３の設定情報を取得することは、ＩＡＢ  ｄｏｎｏｒ  ＣＵ−ＵＰがＥ１メッセージによりＣＵ−ＣＰから第３の設定情報を取得することを含む。
【００８６】
本願の別の実施例によれば、以下のステップを含む情報伝送方法を更に提供する。
【００８７】
ステップ１において、ＩＡＢ  ｄｏｎｏｒ  ＣＵ−ＵＰとＩＡＢ  ｄｏｎｏｒ  ＤＵとの間でデータパケットを伝送し、ここで、前記データパケットにＧＴＰユーザプレーン（ＧＴＰ−Ｕ）パケットヘッダが含まれ、前記ＧＴＰ−Ｕパケットヘッダには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている。
【００８８】
上記技術案を採用することにより、ＮＲに適用される、ＩＡＢ  ｄｏｎｏｒ  ＣＵ−ＵＰとＩＡＢ  ｄｏｎｏｒ  ＤＵとの間でデータパケットを伝送する技術案が与えられる。
【００８９】
本願の別の実施例によれば、以下のステップを含む情報伝送方法を更に提供する。
【００９０】
ステップ１において、ＩＡＢ  ｄｏｎｏｒ  ＤＵとＩＡＢ  ｄｏｎｏｒ  ＣＵ−ＣＰとの間でＦ１ＡＰメッセージを伝送し、ここで、前記Ｆ１ＡＰメッセージには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている。
【００９１】
上記技術案を採用することにより、ＮＲに適用される、ＩＡＢ  ｄｏｎｏｒ  ＤＵとＩＡＢ  ｄｏｎｏｒ  ＣＵ−ＣＰとの間でデータパケットを伝送する技術案が与えられる。
【００９２】
本願の別の実施例によれば、以下のステップを含む情報伝送方法を更に提供する。
【００９３】
ステップ１において、ＩＡＢ  ｄｏｎｏｒ  ＣＵ−ＵＰとＩＡＢ  ｄｏｎｏｒ  ＣＵ−ＣＰとの間でＥ１ＡＰメッセージを伝送し、前記Ｅ１ＡＰメッセージには、ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている。
【００９４】
上記技術案を採用することにより、ＮＲに適用される、ＩＡＢ  ｄｏｎｏｒ  ＣＵ−ＵＰとＩＡＢ  ｄｏｎｏｒ  ＣＵ−ＣＰとの間でデータパケットを伝送する技術案が与えられる。
【００９５】
以下、本願のいくつかの具体的な実施例を参照しながら更に説明する。
【００９６】
具体的な実施例１、ＮＡＳ／ＲＲＣメッセージをＵＰにより送信する方法１
本具体的な実施例の方法は、ＮＡＳ／ＲＲＣメッセージをユーザプレーンにより転送する方法１である。図５は、具体的な実施例１によるＵＥとＡＭＦとの間のプロトコルスタックの模式図であり、図５に示すように、アダプテーション層は、ＩＡＢ  ｎｏｄｅおよびＩＡＢ  ｄｏｎｏｒ  ＤＵの無線リンク制御（Ｒａｄｉｏ  Ｌｉｎｋ  Ｃｏｎｔｒｏｌ、ＲＬＣ）層の上に位置する。なお、アダプテーション層（ａｄａｐｔｏｒ  ｌａｙｅｒ／ａｄａｐｔａｔｉｏｎ  ｌａｙｅｒ）は、ＲＬＣ層とメディアアクセス制御（Ｍｅｄｉａ  Ａｃｃｅｓｓ  Ｃｏｎｔｒｏｌ、ＭＡＣ）層との間に位置してもよく、またはアダプテーション層の機能は、ＲＬＣまたは  ＭＡＣ層に位置してもよい。また、図５におけるＤｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。
【００９７】
本具体的な実施例の方法を採用した上りデータ転送の過程は以下のとおりであり、なお、以下のステップは任意に組み合わせて使用できる。
【００９８】
ステップ１において、ＵＥのＮＡＳ／ＲＲＣメッセージをＳＲＢによりＩＡＢ  ｎｏｄｅ１に送信した後、ＩＡＢ  ｎｏｄｅ  １は、設定（例えば、ＣＵまたはＣＵ−ＣＰにより設定）されたＵＥコンテキスト（例えば、送信先ノード情報および／またはルーティング経路情報であり、送信先ノード情報は、ＣＵ識別子／アドレス、またはｄｏｎｏｒ  ＤＵ識別子／アドレス、またはＣＵ−ＣＰ識別子／アドレス、またはＣＵ−ＵＰ識別子／アドレスを含んでもよいが、これらに限定されない）に基づいて該データパケットの次のホップ・ノードを確定し、図５に示す例において、次のホップ・ノードはＩＡＢ  ｎｏｄｅ  ２である。
【００９９】
その後、ＩＡＢ  ｎｏｄｅ１はアダプテーション層の処理およびパッケージを行い、アダプテーション層のパケットヘッダには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報、ロングフォーマット指示情報、ショートフォーマット指示情報の少なくとも１つが含まれている。
【０１００】
ここで、送信先ノード情報は、ＤＵ識別子、ＣＵ識別子、基地局識別子、ＣＵ−ＵＰ識別子、ＣＵ−ＣＰ識別子、ＡＭＦ識別子、セル識別子、送信先インデックス番号のような送信先ノードの識別子、または送信先ノードのＩＰアドレス、または送信先ノードのＩＰアドレスインデックス情報を含んでもよいが、これらに限定されない。
【０１０１】
ここで、データパケットの属するＵＥ識別子情報は、データパケットの属するＵＥのＵＥ識別子またはデータパケットの属するＩＡＢ  ｎｏｄｅのＵＥ識別子であり、更に、ＵＥ識別子は、Ｆ１ＡＰ  ＩＤ、Ｃ−ＲＮＴＩ、Ｓ１  ＡＰ  ＩＤ、Ｘ２  ＡＰ  ＩＤ、ＮＧ  ＡＰ  ＩＤ、Ｘｎ  ＡＰ  ＩＤ、新規定義の識別子を含んでもよいが、これらに限定されない。
【０１０２】
ここで、データパケットの属するベアラ／チャネル識別子情報は、データパケットの属するＵＥのベアラ／チャネルの識別子またはデータパケットの属するＩＡＢ  ｎｏｄｅのベアラ／チャネルの識別子である。前記ベアラ識別子は、ＤＲＢ  ＩＤ、ＳＲＢ  ＩＤ、ＬＣＩＤ、ＱＦＩ、ｆｌｏｗ識別子の１つである。
【０１０３】
ここで、ルーティング経路情報は、ルーティング経路識別子、ルーティング経路番号、ルーティング経路インデックス番号を含んでもよいが、これらに限定されない。
【０１０４】
ここで、ＱｏＳ関連情報は、ＱＣＩ、または５ＱＩ、またはＱＦＩ、またはＤＳＣＰ値を含んでもよいが、これらに限定されない。
【０１０５】
ここで、ＧＴＰトンネル情報は、ＴＮＬアドレスおよび／またはＧＴＰ  ＴＥＩＤ情報を含む。
【０１０６】
ここで、プロトコルタイプ指示情報は、ＲＲＣメッセージ、ＮＡＳメッセージ、Ｆ１ＡＰ  メッセージ、ＯＡＭ情報を含んでもよいが、これらに限定されない。
【０１０７】
ここで、ロングフォーマット指示情報は、アダプテーション層のパケットヘッダにロングフォーマット指示情報以外の他の情報が含まれることを指示するために用いられ、ショートフォーマット指示情報は、アダプテーション層のパケットヘッダにショートフォーマット指示情報のみが含まれることを指示するために用いられる。
【０１０８】
ステップ２において、ＩＡＢ  ｎｏｄｅ  １は、自身のＤＲＢまたはユーザプレーンＲＬＣ  ｃｈａｎｎｅｌによりＵＥから受信したＮＡＳ／ＲＲＣメッセージのデータパケットをＩＡＢ  ｎｏｄｅ  ２に送信する。好ましくは、ＩＡＢ  ｎｏｄｅ  １は、制御プレーンシグナリングの転送に専用のＤＲＢにより、ＵＥから受信したＮＡＳ／ＲＲＣメッセージのデータパケットをＩＡＢ  ｎｏｄｅ  ２に送信する。
【０１０９】
ステップ３において、ＩＡＢ  ｎｏｄｅ  ２は、アダプテーション層のパケットヘッダにおける情報に基づいて受信したデータパケットを次のホップ・ノードに送信する。
【０１１０】
ステップ４において、好ましくは、Ｄｏｎｏｒ  ＤＵは、ＩＡＢ  ｎｏｄｅ  ２からデータパケットを受信した後、以下の方法により、制御プレーン／ユーザプレーンのデータパケットを区分する。
【０１１１】
区分方法１では、Ｄｏｎｏｒ  ＤＵが制御プレーンシグナリングの転送に専用のＤＲＢからデータパケットを受信し場合、該データパケットは制御プレーンシグナリングデータパケットである。
【０１１２】
区分方法２では、アダプテーション層のパケットヘッダに制御プレーン指示情報またはＳＲＢ  ＩＤが含まれる場合、該データパケットは制御プレーンシグナリングデータパケットである。
【０１１３】
好ましくは、Ｄｏｎｏｒ  ＤＵは、以下の方法により、該データパケットの送信先ノードを確定することができる。
【０１１４】
確定方法１では、ＣＵ−ＣＰがＩＡＢ  ｎｏｄｅ  １に送信先ＣＵ−ＣＰ情報を設定した場合、ＩＡＢ  ｎｏｄｅ  １はアダプテーション層のパケットヘッダにおいて送信先ＣＵ−ＣＰ情報を担持する。
【０１１５】
確定方法２では、ＣＵ−ＣＰがＩＡＢ  ｎｏｄｅ  １にＤｏｎｏｒ  ＤＵ情報およびＵＥ識別子情報を設定した場合、ＩＡＢ  ｎｏｄｅ  １はアダプテーション層のパケットヘッダにおいてＤｏｎｏｒ  ＤＵ識別子またはアドレス情報、ＵＥ識別子情報を担持する。ｄｏｎｏｒ  ＤＵは、設定（例えば、ＣＵまたはＣＵ−ＣＰにより設定）されたＵＥ識別子とＣＵ−ＣＰ識別子との間のマッピング関係に基づき、該データパケットの送信先ＣＵ−ＣＰノードを確定する。
【０１１６】
ステップ５において、Ｄｏｎｏｒ  ＤＵは、ＤＲＢから受信した制御プレーンデータパケットをＦ１−Ｃインタフェースを介してＣＵまたはＣＵ−ＣＰに送信する。好ましくは、Ｄｏｎｏｒ  ＤＵからＣＵ−ＣＰに送信されたＦ１ＡＰメッセージには、ＵＥ識別子およびＳＲＢ  ＩＤが含まれている。ここで、ＵＥ識別子は、Ｆ１ＡＰ  ＩＤであってもよく、例えば、受信したデータパケットのアダプテーション層のパケットヘッダから取得したＦ１ＡＰ  ＩＤである。
【０１１７】
または、Ｄｏｎｏｒ  ＤＵは、設定（例えば、ＣＵまたはＣＵ−ＣＰにより設定）されたＵＥ識別子とＦ１ＡＰ  ＩＤとの間のマッピング関係に基づき、データパケットの属するＵＥの識別子およびベアラに対応するＦ１ＡＰ  ＩＤを確定する。その後、ｄｏｎｏｒ    ＤＵは、マッピング関係に基づき、確定したＦ１ＡＰ  ＩＤおよびアダプテーション層のパケットヘッダから取得したＳＲＢ  ＩＤを、ＣＵ−ＣＰに送信されるＦ１ＡＰメッセージに含める。
【０１１８】
または、Ｄｏｎｏｒ  ＤＵは、設定（例えば、ＣＵまたはＣＵ−ＣＰにより設定）されたＵＥ識別子およびＳＲＢ  ＩＤの組み合わせとＦ１ＡＰ  ＩＤとの間のマッピング関係に基づき、データパケットの属するＵＥの識別子およびベアラに対応するＦ１ＡＰ  ＩＤを確定する。その後、ｄｏｎｏｒ  ＤＵは、マッピング関係に基づき、確定したＦ１ＡＰ  ＩＤを、ＣＵ−ＣＰに送信されるＦ１ＡＰメッセージに含める。
【０１１９】
ステップ６において、ＣＵ−ＣＰは、Ｄｏｎｏｒ  ＤＵからデータを受信した後、Ｆ１メッセージにおける情報（例えば、Ｆ１ＡＰ  ＩＤおよび／またはＳＲＢ  ＩＤ）に基づいてデータパケットに対応するＵＥおよびＳＲＢを確定し、その後、対応するパケットデータ統合プロトコル（ＰａｃｋｅｔＤａｔａ  Ｃｏｎｖｅｒｇｅ  Ｐｒｏｔｏｃｏｌ、ＰＤＣＰ）エンティティに配達して後続処理を行う。
【具体的な実施例１の例１】
【０１２０】
ＩＡＢ  ｎｏｄｅ  １は、ＵＥの上りユーザプレーンのデータパケットをＩＡＢ  ｎｏｄｅ  １のＲＬＣチャネルまたは無線ベアラにマッピングすることにより、ＩＡＢ  ｎｏｄｅ  ２に送信する。具体的には、ＩＡＢ  ｎｏｄｅ  １は、以下のいくつかの方法に基づき、ＵＥのユーザプレーンのデータパケットをＩＡＢ  ｎｏｄｅ  １のＲＬＣチャネルまたは無線ベアラ（なお、該方法は、同様に、他の中間ＩＡＢノード、例えば、図５におけるＩＡＢ  ｎｏｄｅ  ２にも適用される）にマッピングすることができる。
【０１２１】
方法１では、ＩＡＢ  ｎｏｄｅ１は、ＵＥのデータパケットを、特定のマッピング規則に基づいて対応するベアラまたはＲＬＣチャネルにマッピングする。
【０１２２】
具体的には、ＩＡＢ  ｎｏｄｅ１は、受信したＵＥデータパケットから、属するベアラまたはＱｏＳ  ｆｌｏｗのＱＣＩまたは５ＱＩまたはＱＦＩ値またはベアラ識別子を取得する。その後、設定（例えば、ＣＵはＦ１シグナリングによりＩＡＢ  ｎｏｄｅ  １に設定するか、または、非ＣＵ／ＤＵ分離の場合、ＩＡＢ  ｎｏｄｅ  １がｇＮＢであり、ＩＡＢ  ｄｏｎｏｒはＸｎまたはＸ２インタフェースによりＩＡＢ  ｎｏｄｅ  １に設定する）されたマッピング関係情報に基づき、対応するマッピングを行う。
マッピング関係情報に、
ＱＣＩとＤＳＣＰとの間のマッピング関係と、
５ＱＩとＤＳＣＰとの間のマッピング関係と、
ＱＦＩとＤＳＣＰとの間のマッピング関係と、
ＤＳＣＰとベアラとの間のマッピング関係と、
５ＱＩとＴＯＳとの間のマッピング関係と、
ＱＣＩとＴＯＳとの間のマッピング関係と、
５ＱＩとＱＣＩとの間のマッピング関係と、
ＱＣＩとＱＣＩとの間のマッピング関係と、
５ＱＩと５ＱＩとの間のマッピング関係と、
ＱＦＩとＱＦＩとの間のマッピング関係と、
ベアラ識別子とＱＦＩとの間のマッピング関係と、の少なくとも１つが含まれている。
【０１２３】
ＩＡＢ  ｎｏｄｅ１は、ＵＥデータパケットの属するベアラに基づいて対応する１つまたは複数のＱｏＳ  ｆｌｏｗを取得する。その後、ＩＡＢ  ｎｏｄｅ  １は、１つまたは複数のＱｏＳ  ｆｌｏｗに対応する１つまたは複数のＱＣＩまたは５ＱＩまたはＱＦＩ値を取得する。ＩＡＢ  ｎｏｄｅ  １は、１つまたは複数のＱＣＩまたは５ＱＩまたはＱＦＩ値およびマッピング関係情報に基づき、対応する１つまたは複数のＤＳＣＰまたはサービスタイプ（Ｔｙｐｅ  ｏｆ  Ｓｅｒｖｉｃｅ、ＴＯＳ）値を取得する。ＩＡＢ  ｎｏｄｅ１は、ＤＳＣＰまたはＴＯＳ値、および設定されたパケットマッピング規則（例えば、ＱｏＳ  ｒｕｌｅ、Ｐａｃｋｅｔ  Ｆｉｌｔｅｒ  Ｓｅｔ、またはＴＦＴ）に基づき、転送待ちのデータパケットを、対応するＩＡＢ  ｎｏｄｅ１の無線ベアラまたはＲＬＣチャネルまたはＱｏＳ  ｆｌｏｗにマッピングする。好ましくは、ＩＡＢ  ｎｏｄｅ１が、ＤＳＣＰまたはＴＯＳ値、および設定されたパケットマッピング規則に基づき、ＵＥデータパケットを対応するＱｏＳ  ｆｌｏｗにマッピングすると、ＩＡＢ  ｎｏｄｅ１は、更にマッピング関係に基づき、ＱｏＳ  ｆｌｏｗを無線ベアラまたはＲＬＣチャネルにマッピングし、対応する無線ベアラまたはＲＬＣチャネルを介してＵＥデータパケットをＩＡＢ  ｎｏｄｅ２に送信する。
【０１２４】
方法２では、ＩＡＢ  ｎｏｄｅ１は、ＵＥデータパケットの属するベアラに基づいて対応する１つまたは複数のＱｏＳ  ｆｌｏｗを取得する。その後、ＩＡＢ  ｎｏｄｅ  １は、１つまたは複数のＱｏＳ  ｆｌｏｗに対応する１つまたは複数のＱＣＩまたは５ＱＩまたはＱＦＩ値を取得する。その後、該データパケットを、設定されたＱｏＳ  ｒｕｌｅｓまたはＴＦＴにおける該ＱＣＩまたは５ＱＩまたはＱＦＩ値に対応するＱｏＳ  ｆｌｏｗまたはベアラまたはＲＬＣチャネルにマッピングする。ＵＥデータパケットを対応するＱｏＳ  ｆｌｏｗにマッピングすると、ＩＡＢ  ｎｏｄｅ１は、更にマッピング関係に基づき、ＱｏＳ  ｆｌｏｗを無線ベアラまたはＲＬＣチャネルにマッピングし、対応する無線ベアラまたはＲＬＣチャネルを介してＵＥデータパケットをＩＡＢ  ｎｏｄｅ２に送信する。
【０１２５】
上記は、具体的な実施例１の上りデータ転送の過程であり、ここで、本具体的な実施例１の方法を採用した下りデータ転送過程を以下のように記載し、なお、以下のステップは任意に組み合わせて使用できる。
【０１２６】
ステップ１において、Ｄｏｎｏｒ  ＣＵ−ＣＰは、ＵＥのＲＲＣメッセージのデータパケットをＦ１ＡＰメッセージにパッケージし、Ｆ１−Ｃインタフェースを介してＤｏｎｏｒ  ＤＵに送信する。好ましくは、Ｆ１ＡＰメッセージには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。好ましくは、ＣＵ−ＣＰのＩＰ層に含まれる送信先アドレスはＩＡＢ  ｎｏｄｅ  １のＩＰアドレスである。
【０１２７】
ここで、送信先ノード情報は、ＩＡＢ  ｎｏｄｅ識別子、ＤＵ識別子、基地局識別子、セル識別子、送信先インデックス番号のような送信先ノードの識別子、または送信先ノードのＩＰアドレス、または送信先ノードのＩＰアドレスインデックス情報を含んでもよいが、これらに限定されない。
【０１２８】
ここで、データパケットの属するＵＥ識別子情報は、データパケットの属するＵＥのＵＥ識別子またはデータパケットの属するＩＡＢ  ｎｏｄｅのＵＥ識別子であり、更に、ＵＥ識別子は、Ｆ１ＡＰ  ＩＤ、Ｃ−ＲＮＴＩ、Ｓ１  ＡＰ  ＩＤ、Ｘ２  ＡＰ  ＩＤ、ＮＧ  ＡＰ  ＩＤ、Ｘｎ  ＡＰ  ＩＤ、新規定義の識別子を含んでもよいが、これらに限定されない。
【０１２９】
ここで、データパケットの属するベアラ／チャネル識別子情報は、データパケットの属するＵＥのベアラ／チャネルの識別子またはデータパケットの属するＩＡＢ  ｎｏｄｅのベアラ／チャネルの識別子である。前記ベアラ識別子は、ＤＲＢ  ＩＤ、ＳＲＢ  ＩＤ、ＬＣＩＤ、ＱＦＩ、ｆｌｏｗ識別子の１つである。
【０１３０】
ここで、ルーティング経路情報は、ルーティング経路識別子、ルーティング経路番号、ルーティング経路インデックス番号を含んでもよいが、これらに限定されない。
【０１３１】
ここで、ＱｏＳ関連情報は、ＱＣＩ、または５ＱＩ、またはＱＦＩ、またはＤＳＣＰ値を含んでもよいが、これらに限定されない。
【０１３２】
ここで、ＧＴＰトンネル情報は、ＴＮＬアドレスおよび／またはＧＴＰ  ＴＥＩＤ情報を含む。
【０１３３】
ここで、プロトコルタイプ指示情報は。ＲＲＣメッセージ、ＮＡＳメッセージ、Ｆ１ＡＰメッセージ、ＯＡＭ情報を含んでもよいが、これらに限定されない。
【０１３４】
ステップ２において、Ｄｏｎｏｒ  ＤＵは、受信したＦ１ＡＰメッセージを解析した後、アダプテーション層のパッケージを行い、アダプテーション層のパケットヘッダには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０１３５】
Ｄｏｎｏｒ  ＤＵは、以下の方法により、送信先ノード情報を確定することができる。
【０１３６】
確定方法１では、ｄｏｎｏｒ  ＤＵは、設定（例えば、ＣＵまたはＣＵ−ＣＰにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０１３７】
確定方法２では、ｄｏｎｏｒ  ＤＵは、受信したデータパケットのＩＰ層から送信先ＩＰアドレス情報を取得する。
【０１３８】
確定方法３では、ｄｏｎｏｒ  ＤＵは、受信したデータパケットのＩＰ層から送信先ＩＰアドレス情報を取得した後、設定されたＩＰアドレスと送信先ノード情報との間のマッピング関係に基づき、送信先ノード情報を確定する。
【０１３９】
好ましくは、Ｄｏｎｏｒ  ＤＵは、設定（例えば、ＣＵまたはＣＵ−ＣＰにより設定）されたＵＥ識別子とＦ１ＡＰ  ＩＤとの間のマッピング関係に基づき、データパケットの属するＵＥのＵＥ識別子を確定する。好ましくは、Ｄｏｎｏｒ  ＤＵは、設定（例えば、ＣＵまたはＣＵ−ＣＰにより設定）されたＵＥ識別子およびＳＲＢ  ＩＤの組み合わせとＦ１ＡＰ  ＩＤとの間のマッピング関係に基づき、データパケットの属するＵＥの識別子およびベアラ識別子を確定する。
【０１４０】
ステップ３において、Ｄｏｎｏｒ  ＤＵは、ＤＲＢまたはユーザプレーンＲＬＣ  ｃｈａｎｎｅｌを介してＣＵ−ＣＰから受信した制御プレーンデータパケットをＩＡＢ  ｎｏｄｅ  ２に送信する。
【０１４１】
ステップ４において、ＩＡＢ  ｎｏｄｅ  ２は、アダプテーション層のパケットヘッダにおける情報に基づき、受信したデータパケットを、次のホップ・ノード、すなわち、ＩＡＢ  ｎｏｄｅ  １に送信する。
【０１４２】
ステップ５において、ＩＡＢ  ｎｏｄｅ  １は、アダプテーション層のパケットヘッダにおける情報に基づき、データパケットの属するＵＥおよびベアラを確定し、データパケットをＳＲＢにより対応するＵＥに送信する。
【具体的な実施例１の例２】
【０１４３】
ＩＡＢ  ｎｏｄｅ  １は、ＵＥの上りユーザプレーンのデータパケットをＩＡＢ  ｎｏｄｅ  １のＲＬＣチャネルまたは無線ベアラにマッピングすることにより、ＩＡＢ  ｎｏｄｅ  ２に送信する。
【０１４４】
ＩＡＢ  ｄｏｎｏｒ  ＤＵは、ｄｏｎｏｒ  ＣＵ（またはｄｏｎｏｒ  ＣＵ−ＵＰ）からデータパケットを受信した後、次のホップ・ノードがＩＡＢ  ｎｏｄｅ  ２であることを確定する。好ましくは、ＩＡＢ  ｄｏｎｏｒ  ＤＵは、受信したデータパケットのＩＰパケットヘッダにおけるＤＳＣＰまたはＴＯＳ情報および設定されたマッピング情報（例えば、ＣＵはＦ１シグナリングによりＩＡＢ  ｄｏｎｏｒ  ＤＵに設定するか、または、非ＣＵ／ＤＵ分離の場合、ＩＡＢ  ｄｏｎｏｒ  ＤＵが基地局により置換され、ＣＵはＸｎまたはＸ２インタフェースを介して基地局に設定する）に基づき、データパケットを対応するＱＣＩまたは５ＱＩまたはＱＦＩ値のＩＡＢ  ｎｏｄｅ  ２のＱｏＳ  ｆｌｏｗにマッピングし、その後、マッピング情報に基づいてＱｏＳ  ｆｌｏｗを対応するベアラまたはＲＬＣ  ｃｈａｎｎｅｌにマッピングし、該ベアラまたはＲＬＣ  ｃｈａｎｎｅｌを介してデータパケットをＩＡＢ  ｎｏｄｅ  ２に送信する。具体的には、マッピング情報に、
ＱＣＩとＤＳＣＰとの間のマッピング関係と、
ＤＳＣＰと５ＱＩとの間のマッピング関係と、
ＤＳＣＰとＱＦＩとの間のマッピング関係と、
ＤＳＣＰとベアラとの間のマッピング関係と、
５ＱＩとＴＯＳとの間のマッピング関係と、
ＱＣＩとＴＯＳとの間のマッピング関係と、
５ＱＩとＱＣＩとの間のマッピング関係と、
ＱＣＩとＱＣＩとの間のマッピング関係と、
５ＱＩと５ＱＩとの間のマッピング関係と、
ＱＦＩとＱＦＩとの間のマッピング関係と、
ベアラ識別子とＱＦＩとの間のマッピング関係とのいずれかが含まれている。
【０１４５】
好ましくは、ＩＡＢ  ｎｏｄｅ２は、受信したデータパケットの属するベアラに基づき、対応する１つまたは複数のＱｏＳ  ｆｌｏｗを取得する。その後、ＩＡＢ  ｎｏｄｅ  ２は、１つまたは複数のＱｏＳ  ｆｌｏｗに対応する１つまたは複数のＱＣＩまたは５ＱＩまたはＱＦＩ値を取得し、または、受信したデータパケットのａｄａｐｔｏｒ  ｌａｙｅｒのパケットヘッダ情報に基づき、そのＱｏＳ情報（ＱＣＩまたは５ＱＩまたはＱＦＩ値）を確定する。その後、データパケットを対応するＱＣＩまたは５ＱＩまたはＱＦＩ値のＩＡＢ  ｎｏｄｅ  １のＱｏＳ  ｆｌｏｗ／ベアラにマッピングし、ＩＡＢ  ｎｏｄｅ  １に送信する。データパケットを対応するＱｏＳ  ｆｌｏｗにマッピングすると、ＩＡＢ  ｎｏｄｅ  ２は、更にマッピング関係に基づき、ＱｏＳ  ｆｌｏｗを無線ベアラまたはＲＬＣチャネルにマッピングし、対応する無線ベアラまたはＲＬＣチャネルを介してＵＥデータパケットをＩＡＢ  ｎｏｄｅ１に送信する。
【０１４６】
具体的な実施例２、ＮＡＳ／ＲＲＣメッセージをＵＰにより送信する方法２
本具体的な実施例の方法は、ＮＡＳ／ＲＲＣメッセージをユーザプレーンにより転送する方法２である。図６は、具体的な実施例２によるＵＥとＡＭＦとの間のプロトコルスタックの模式図であり、図６に示すとおりである。図６において、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）は、更にＲＬＣ層とＭＡＣ層の間に位置してもよく、またはアダプテーション層の機能はＲＬＣまたはＭＡＣ層に位置してもよい。また、図６において、Ｄｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。
【０１４７】
上りデータパケットの転送の場合、本方法が具体的な実施例１と異なるのは、Ｄｏｎｏｒ  ＤＵがＣＵ−ＣＰに送信するＦ１ＡＰメッセージには、ＵＥ識別子およびＳＲＢ  ＩＤが含まれなくてもよいことである。Ｄｏｎｏｒ  ＤＵがＣＵ−ＣＰに送信するデータパケットのアダプテーション層のパケットヘッダおよび／またはＦ１ＡＰプロトコルのパケットヘッダには、データパケットの属するＵＥ識別子、データパケットの属するベアラ識別子、データパケットの属するチャネル識別子の少なくとも１つが含まれている。
【０１４８】
下りデータパケットの転送の場合、本方法が具体的な実施例１と異なるのは、ＣＵ−ＣＰが受信した上りデータパケットに対してアダプテーション層の処理を実行してからＦ１ＡＰ処理を行うことである。ＣＵ−ＣＰがＤｏｎｏｒ  ＤＵに送信する下りデータパケットのアダプテーション層のパケットヘッダおよび／またはＦ１ＡＰプロトコルのパケットヘッダには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０１４９】
具体的な実施例３、ＮＡＳ／ＲＲＣメッセージをＵＰにより送信する方法３
本具体的な実施例の方法は、ＮＡＳ／ＲＲＣメッセージをユーザプレーンにより転送する方法３である。図７は、具体的な実施例３によるＵＥとＡＭＦとの間のプロトコルスタックの模式図であり、図７に示すとおりである。図７において、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層の間に位置してもよく、またはアダプテーション層の機能はＲＬＣまたはＭＡＣ層に位置してもよい。また、図７において、Ｄｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。また、Ｄｏｎｏｒ  ＤＵとＣＵ−ＣＰとの間のインタフェースにはアダプテーション層が存在してもよく、すなわち、Ｄｏｎｏｒ  ＤＵおよびＣＵ−ＣＰはアダプテーション層の処理およびパッケージを実行する。
【０１５０】
本具体的な実施例の方法において、ストリーム制御伝送プロトコル（Ｓｔｒｅａｍ  Ｃｏｎｔｒｏｌ  Ｔｒａｎｓｍｉｓｓｉｏｎ  Ｐｒｏｔｏｃｏｌ、ＳＣＴＰ）／インターネットプロトコル（Ｉｎｔｅｒｎｅｔ  Ｐｒｏｔｏｃｏｌ、ＩＰ）層は、アダプテーション層ａｄａｐｔｏｒ  ｌａｙｅｒにより置換される。なお、Ｆ１ＡＰプロトコル層とアダプテーション層との間には、ＳＣＴＰ／ＩＰ層が存在する可能性がある。また、Ｄｏｎｏｒ  ＤＵ上にＦ１ＡＰ層がなくてもよく、すなわち、Ｄｏｎｏｒ  ＤＵはＦ１ＡＰプロトコル層の処理を行わない。
【０１５１】
上りの場合、ＩＡＢ  ｎｏｄｅ１は、アダプテーション層のパッケージを実行する前に、先にＦ１ＡＰパッケージを行う。好ましくは、Ｆ１ＡＰメッセージには、ＵＥ識別子および／またはベアラ識別子情報が含まれてもよい。
【０１５２】
Ｄｏｎｏｒ  ＤＵは、該データパケットの送信先ノード（すなわち、ＣＵ−ＣＰ）を確定する必要があり、以下の方法により確定できる。
【０１５３】
確定方法１では、ＣＵ−ＣＰはＩＡＢ  ｎｏｄｅ  １に送信先ＣＵ−ＣＰ識別子またはアドレスを設定し、ＩＡＢ  ｎｏｄｅ１はａｄａｐｔｏｒ  ｌａｙｅｒにおいて送信先ＣＵ−ＣＰ識別子またはアドレス情報を担持する。
【０１５４】
確定方法２では、ＣＵ−ＣＰはＩＡＢ  ｎｏｄｅ  １にＤｏｎｏｒ  ＤＵ識別子またはアドレス、ＵＥ識別子情報（例えば、Ｆ１ＡＰ  ＩＤ）を設定し、ＩＡＢ  ｎｏｄｅ  １はａｄａｐｔｏｒ  ｌａｙｅｒにおいてＤｏｎｏｒ  ＤＵ識別子またはアドレス情報を担持する。Ｄｏｎｏｒ  ＤＵは、Ｆ１ＡＰメッセージを解析してそのうちのＦ１ＡＰ  ＩＤを取得することができる。その後、ｄｏｎｏｒ  ＤＵは、設定（例えば、ＣＵ−ＣＰにより設定）されたＵＥ識別子情報とＣＵ−ＣＰ識別子との間のマッピング関係に基づき、該データパケットの送信先ＣＵ−ＣＰノードを確定する。
【０１５５】
ＣＵ−ＣＰはＤｏｎｏｒ  ＤＵからデータを受信した後、Ｆ１ＡＰメッセージに含まれるＦ１ＡＰ  ＩＤおよびＳＲＢ  ＩＤに基づき、データパケットに対応するＵＥおよびＳＲＢを識別することができ、以下のいくつかの方法がある。
【０１５６】
識別方法１では、Ｄｏｎｏｒ  ＤＵからＣＵ−ＣＰに送信されたＦ１ＡＰメッセージには、Ｄｏｎｏｒ  ＤＵが受信したデータパケットに対してＦ１ＡＰ解析を実行した後に取得したＦ１ＡＰ  ＩＤおよびＳＲＢ  ＩＤが含まれている。
【０１５７】
識別方法２では、Ｄｏｎｏｒ  ＤＵは、ＩＡＢ  ｎｏｄｅ  ２から受信したデータパケットに対してＦ１ＡＰ解析の処理を実行せず、Ｆ１ＡＰパッケージの処理も実行せず、すなわち、図３におけるＤｏｎｏｒ  ＤＵ上にＦ１ＡＰプロトコル層がない。
【０１５８】
識別方法３では、ＣＵ−ＣＰはｄｏｎｏｒ  ＤＵにＦ１ＡＰ  ＩＤ間のマッピング関係（例えば、上りおよび／または下りを含む）を設定する。ｄｏｎｏｒ  ＤＵは、受信したデータパケットに対してＦ１ＡＰ解析を実行した後、Ｆ１ＡＰ  ＩＤおよびＳＲＢ  ＩＤを取得し、その後、Ｆ１ＡＰ  ＩＤ間のマッピング関係に基づき、対応するＦ１ＡＰ  ＩＤを確定する。ｄｏｎｏｒ  ＤＵは、マッピング関係に基づいて確定した対応するＦ１ＡＰ  ＩＤおよびＳＲＢ  ＩＤを、ＣＵ−ＣＰに送信されるＦ１ＡＰメッセージに含める。
【０１５９】
本具体的な実施例の方法を採用した下りデータ転送の過程は以下のとおりであり、なお、以下のステップは任意に組み合わせて使用できる。
【０１６０】
ステップ１において、Ｄｏｎｏｒ  ＣＵ−ＣＰは、ＵＥのＲＲＣメッセージのデータパケットをＦ１ＡＰメッセージにパッケージし、Ｆ１−Ｃインタフェースを介してＤｏｎｏｒ  ＤＵに送信する。好ましくは、Ｆ１ＡＰメッセージには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。好ましくは、ＣＵ−ＣＰのＩＰ層に含まれる送信先アドレスはＩＡＢ  ｎｏｄｅ  １のＩＰアドレスである。
【０１６１】
ステップ２において、Ｄｏｎｏｒ  ＤＵは、受信したＦ１ＡＰメッセージを解析した後、アダプテーション層のパッケージを行い、アダプテーション層のパケットヘッダには、送信先ノード情報ルーティング経路情報、ＱｏＳ関連情報、ＧＴＰトンネル情報、制御プレーン指示情報、ユーザプレーン指示情報、プロトコルタイプ指示情報の少なくとも１つが含まれている。
【０１６２】
Ｄｏｎｏｒ  ＤＵは、以下の方法により、送信先ノード情報を確定することができる。
【０１６３】
確定方法１では、ｄｏｎｏｒ  ＤＵは、設定（例えば、ＣＵまたはＣＵ−ＣＰにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０１６４】
確定方法２では、ｄｏｎｏｒ  ＤＵは、受信したデータパケットのＦ１ＡＰメッセージから送信先ノード情報を取得する。
【０１６５】
確定方法３では、ｄｏｎｏｒ  ＤＵは、受信したデータパケットのＩＰ層から送信先ＩＰアドレス情報を取得した後、設定されたＩＰアドレスと送信先ノード情報との間のマッピング関係に基づき、送信先識別情報を確定する。
【０１６６】
好ましくは、Ｄｏｎｏｒ  ＤＵは、設定（例えば、ＣＵまたはＣＵ−ＣＰにより設定）されたＵＥ識別子とＦ１ＡＰ  ＩＤとの間のマッピング関係に基づき、データパケットの属するＵＥのＵＥ識別子を確定する。好ましくは、Ｄｏｎｏｒ  ＤＵは、設定（例えば、ＣＵまたはＣＵ−ＣＰにより設定）されたＵＥ識別子およびＳＲＢ  ＩＤの組み合わせとＦ１ＡＰ  ＩＤとの間のマッピング関係に基づき、データパケットの属するＵＥの識別子およびベアラ識別子を確定する。
【０１６７】
ステップ３において、Ｄｏｎｏｒ  ＤＵは、ＤＲＢまたはユーザプレーンＲＬＣ  ｃｈａｎｎｅｌを介してＣＵ−ＣＰから受信した制御プレーンデータパケットをＩＡＢ  ｎｏｄｅ  ２に送信する。
【０１６８】
ステップ４において、ＩＡＢ  ｎｏｄｅ  ２は、アダプテーション層のパケットヘッダにおける情報に基づき、受信したデータパケットを、次のホップ・ノード、すなわち、ＩＡＢ  ｎｏｄｅ  １に送信する。
【０１６９】
ステップ５において、ＩＡＢ  ｎｏｄｅ  １は、アダプテーション層のパケットヘッダおよびＦ１ＡＰメッセージにおける情報に基づき、データパケットの属するＵＥおよびベアラを確定し、データパケットをＳＲＢにより対応するＵＥに送信する。
【０１７０】
具体的な実施例４、ＮＡＳ／ＲＲＣメッセージをＵＰにより送信し、ＣＵ−ＵＰを経由する。
本具体的な実施例４の方法は、ＮＡＳ／ＲＲＣメッセージをユーザプレーンにより転送する方法４であり、図８ａは、具体的な実施例４によるＵＥとＡＭＦとの間のプロトコルスタックの模式図１であり、図８ｂは、具体的な実施例４によるＣＵ−ＵＰ上にアダプテーション層が存在するプロトコルスタックの模式図であり、図８ｃは、具体的な実施例４によるＣＵ−ＵＰおよびＣＵ−ＣＰ上にアダプテーション層が存在するプロトコルスタックの模式図であり、図８ａ〜図８ｃに示すように、ＵＥのＮＡＳ／ＲＲＣメッセージは、ＩＡＢ  ｎｏｄｅの転送を介してＣＵ−ＵＰに送信され、更にＣＵ−ＵＰによりＣＵ−ＣＰに送信される。アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。
【０１７１】
図８ａの具体的な実施例に基づく方法において、上りデータ転送の場合、ステップ１〜ステップ３が具体的な実施例１と同じであるため、前の具体的な実施例１を参照することができ、後続のステップは以下のとおりである。
【０１７２】
ステップ４において、Ｄｏｎｏｒ  ＤＵは、データパケットを受信した後、Ｆ１−Ｕインタフェースを介してＣＵ−ＵＰに送信する。好ましくは、Ｄｏｎｏｒ  ＤＵは、以下の方法により、転送するデータパケットが制御プレーンデータパケットであることを指示することができる。
【０１７３】
Ｏｐｔｉｏｎ  １．Ｄｏｎｏｒ  ＤＵは、制御プレーンデータパケットを、シグナリングの転送に専用のＧＴＰ−Ｕ  ｔｕｎｎｅｌを介してＣＵ−ＵＰに送信する。
【０１７４】
Ｏｐｔｉｏｎ  ２．Ｄｏｎｏｒ  ＤＵからＣＵ−ＵＰに送信されたＦ１  ＧＴＰ−Ｕパケットヘッダには、ＳＲＢ  ＩＤ、ＣＰ指示の１つが担持される。
【０１７５】
好ましくは、Ｄｏｎｏｒ  ＤＵは、以下の方法により、転送するデータパケットの送信先ノード情報を指示することができる。
【０１７６】
１）Ｄｏｎｏｒ  ＤＵが受信したデータパケットのＡｄａｐｔｏｒ  ｌａｙｅｒのパケットヘッダにＣＵ−ＣＰノード情報が含まれ、Ｄｏｎｏｒ  ＤＵがＣＵ−ＵＰに送信したＧＴＰ−ＵパケットヘッダにＣＵ−ＣＰノード情報が担持される。
【０１７７】
２）ＣＵ−ＣＰは、ｄｏｎｏｒ  ＤＵおよびＣＵ−ＵＰにＦ１  ＧＴＰ−ＵトンネルとＣＵ−ＣＰノード情報とのマッピング関係を設定し、Ｄｏｎｏｒ  ＤＵが受信したデータパケットのＡｄａｐｔｏｒ  ｌａｙｅｒのパケットヘッダにＣＵ−ＣＰノード情報が含まれ、Ｄｏｎｏｒ  ＤＵは、上記マッピング関係およびＣＵ−ＣＰノード情報に基づき、該データパケットを転送するためのＦ１  ＧＴＰ−Ｕトンネルを確定する。
【０１７８】
好ましくは、Ｄｏｎｏｒ  ＤＵは、以下の方法により、転送するデータパケットの属するＵＥ識別子およびＳＲＢ  ＩＤ情報を指示することができる。
【０１７９】
指示方法１では、Ｄｏｎｏｒ  ＤＵからＣＵ−ＵＰに送信されたＦ１  ＧＴＰ−Ｕパケットヘッダには、ＵＥ識別子および／またはＳＲＢ  ＩＤが担持される。
【０１８０】
指示方法２では、ＣＵ−ＣＰは、ｄｏｎｏｒ  ＤＵおよびＣＵ−ＵＰにＵＥのＳＲＢとＦ１  ＧＴＰ−Ｕトンネルとのマッピング関係を設定する。Ｄｏｎｏｒ  ＤＵは、上記マッピング関係に基づき、該データパケットを転送するためのＦ１ＧＴＰ−Ｕトンネルを確定する。
【０１８１】
ステップ５において、ＣＵ−ＵＰがＣＵ−ＣＰに送信したＥ１ＡＰメッセージには、ＵＥ識別子およびＳＲＢ  ＩＤが含まれている。好ましくは、ＵＥ識別子はＥ１ＡＰ  ＩＤであってもよい。
【０１８２】
図８ａの具体的な実施例４に基づく方法の下りデータ転送の過程は以下のとおりであり、なお、以下のステップは任意に組み合わせて使用できる。
【０１８３】
ステップ１において、Ｄｏｎｏｒ  ＣＵ−ＣＰは、ＵＥのＲＲＣメッセージのデータパケットをＥ１ＡＰメッセージにパッケージし、Ｅ１インタフェースを介してＣＵ−ＵＰに送信する。好ましくは、Ｅ１ＡＰメッセージには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。好ましくは、ＣＵ−ＣＰのＩＰ層に含まれる送信先アドレスはＩＡＢ  ｎｏｄｅ  １のＩＰアドレスである。
【０１８４】
ステップ２において、ＣＵ−ＵＰは、Ｆ１  ＧＴＰ−Ｕトンネルを介して受信したデータパケットをｄｏｎｏｒ  ＤＵに送信する。
【０１８５】
好ましくは、ＣＵ−ＵＰは、以下の方法により、転送するデータパケットが制御プレーンデータパケットであることを指示することができる。
【０１８６】
指示方法１では、ＣＵ−ＵＰは、制御プレーンデータパケットを、シグナリングの転送に専用のＧＴＰ−Ｕ  ｔｕｎｎｅｌを介してｄｏｎｏｒ  ＤＵに送信する。
【０１８７】
指示方法２では、ＣＵ−ＵＰがｄｏｎｏｒ  ＤＵに送信したＦ１  ＧＴＰ−Ｕパケットヘッダには、ＳＲＢ  ＩＤ、ＣＰ指示の１つが担持される。
【０１８８】
ＣＵ−ＵＰは、以下の方法により送信先ノード情報を確定することができる。
【０１８９】
確定方法１では、ＣＵ−ＵＰは、設定（例えば、ＣＵにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０１９０】
確定方法２では、ＣＵ−ＵＰは、受信したデータパケットのＥ１ＡＰメッセージに基づき、送信先ノード情報を取得することができる。
【０１９１】
確定方法３では、ＣＵ−ＵＰは、受信したデータパケットのＩＰ層に含まれる送信先ＩＰアドレス情報に基づき、その後、設定されたＩＰアドレスと送信先ノード情報との間のマッピング関係に基づき、送信先識別情報を確定することができる。
【０１９２】
ＣＵ−ＵＰは、以下の方法により転送するデータパケットの送信先ノード情報を指示することができる。
【０１９３】
指示方法１では、ＣＵ−ＵＰからｄｏｎｏｒ  ＤＵに送信されたＧＴＰ−Ｕパケットヘッダには、送信先ノード情報が担持される。
【０１９４】
指示方法２では、ＣＵ−ＣＰは、ｄｏｎｏｒ  ＤＵおよびＣＵ−ＵＰのためにＦ１  ＧＴＰ−ＵトンネルとＣＵ−ＣＰノード情報とのマッピング関係を設定し、Ｄｏｎｏｒ  ＤＵが受信したデータパケットのＡｄａｐｔｏｒ  ｌａｙｅｒのパケットヘッダにＣＵ−ＣＰノード情報が含まれ、Ｄｏｎｏｒ  ＤＵは、上記マッピング関係およびＣＵ−ＣＰノード情報に基づき、該データパケットを転送するためのＦ１  ＧＴＰ−Ｕトンネルを確定する。
【０１９５】
好ましくは、ＣＵ−ＵＰは、以下の方法により転送するデータパケットの属するＵＥ識別子およびＳＲＢ  ＩＤ情報を指示することができる。
【０１９６】
指示方法１では、ＣＵ−ＵＰがＤｏｎｏｒ  ＤＵに送信したＦ１  ＧＴＰ−Ｕパケットヘッダには、ＵＥ識別子および／またはＳＲＢ  ＩＤが担持される。
【０１９７】
指示方法２では、ＣＵ−ＣＰは、ｄｏｎｏｒ  ＤＵおよびＣＵ−ＵＰにＵＥのＳＲＢとＦ１  ＧＴＰ−Ｕトンネルとのマッピング関係を設定する。ＣＵ−ＵＰは、上記マッピング関係に基づき、該データパケットを転送するためのＦ１  ＧＴＰ−Ｕトンネルを確定する。
【０１９８】
ステップ３において、Ｄｏｎｏｒ  ＤＵは、受信したＧＴＰ−Ｕデータパケットを解析した後、アダプテーション層のパッケージを行い、アダプテーション層のパケットヘッダには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０１９９】
Ｄｏｎｏｒ  ＤＵは、以下の方法により、送信先ノード情報を確定することができる。
【０２００】
確定方法１では、ｄｏｎｏｒ  ＤＵは、設定（例えば、ＣＵまたはＣＵ−ＣＰにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０２０１】
確定方法２では、ｄｏｎｏｒ  ＤＵは、受信したデータパケットのＧＴＰ−Ｕパケットヘッダから送信先ノード情報を取得する。
【０２０２】
確定方法３では、ｄｏｎｏｒ  ＤＵは、受信したデータパケットのＩＰ層から送信先ＩＰアドレス情報を取得した後、設定されたＩＰアドレスと送信先ノード情報との間のマッピング関係に基づき、送信先ノード情報を確定する。
【０２０３】
ステップ４において、Ｄｏｎｏｒ  ＤＵは、ＤＲＢまたはユーザプレーンＲＬＣ  ｃｈａｎｎｅｌを介してＣＵ−ＵＰから受信した制御プレーンデータパケットをＩＡＢ  ｎｏｄｅ  ２に送信する。
【０２０４】
ステップ５において、ＩＡＢ  ｎｏｄｅ  ２は、アダプテーション層のパケットヘッダにおける情報に基づき、受信したデータパケットを、次のホップ・ノード、すなわち、ＩＡＢ  ｎｏｄｅ  １に送信する。
【０２０５】
ステップ６において、ＩＡＢ  ｎｏｄｅ  １は、アダプテーション層のパケットヘッダにおける情報に基づき、データパケットの属するＵＥおよびベアラを確定し、データパケットをＳＲＢにより対応するＵＥに送信する。
【０２０６】
また、ＣＵ−ＵＰおよび／またはＣＵ−ＣＰ上にアダプテーション層が存在してもよく、すなわち、ＣＵ−ＵＰおよび／またはＣＵ−ＣＰはアダプテーション層の処理およびパッケージを実行する。図８ｂは、ＣＵ−ＵＰ上にアダプテーション層が存在するプロトコルスタックの模式図である。図８ｃは、ＣＵ−ＵＰおよびＣＵ−ＣＰ上にアダプテーション層が存在するプロトコルスタックの模式図である。
【０２０７】
具体的な実施例５、ＮＡＳ／ＲＲＣメッセージをＵＰにより送信し、ＣＵ−ＵＰを経由し、Ｆ１ＡＰプロトコル層を保留する。
本具体的な実施例５の方法は、ＮＡＳ／ＲＲＣメッセージをユーザプレーンにより転送する方法５である。図９は、本願の具体的な実施例５によるＵＥとＡＭＦとの間のプロトコルスタックの模式図であり、図９に示すように、アダプテーション層は、ＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。本具体的な実施例の方法において、ＳＣＴＰ／ＩＰ層はａｄａｐｔｏｒ  ｌａｙｅｒにより置換される。なお、Ｆ１ＡＰプロトコル層とアダプテーション層との間には、ＳＣＴＰ／ＩＰ層が存在する可能性がある。
【０２０８】
具体的な実施例４と異なるのは、上りの場合、ＩＡＢ  ｎｏｄｅ１は、アダプテーション層のパッケージを実行する前に、先にＦ１ＡＰパッケージを行うことである。好ましくは、Ｆ１ＡＰメッセージにＵＥ識別子および／またはベアラ識別子情報が含まれてもよい。下りの場合、ＣＵ−ＣＰは先にＲＲＣメッセージに対してＦ１ＡＰパッケージを行い、Ｆ１ＡＰメッセージにＵＥ識別子および／またはベアラ識別子情報が含まれてもよく、その後、Ｅ１ＡＰパッケージを実行してＣＵ−ＵＰに送信する。
【０２０９】
具体的な実施例６、Ｆ１ＡＰメッセージをＵＰによりルーティングする。
本具体的な実施例６の方法は、Ｆ１ＡＰメッセージをユーザプレーンにより転送する方法である。図１０は、本願の具体的な実施例６によるＩＡＢ  ｎｏｄｅ  １とＡＭＦとの間のプロトコルスタックの模式図であり、図１０に示すように、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。図６におけるＦ１ＡＰプロトコル層の下にＳＣＴＰ／ＩＰプロトコル層が存在し、好ましくは、ＳＣＴＰ／ＩＰプロトコル層は削除されてもよい。また、ＣＵ−ＵＰおよび／またはＣＵ−ＣＰ上にアダプテーション層が存在してもよく、すなわち、ＣＵ−ＵＰおよび／またはＣＵ−ＣＰはアダプテーション層の処理およびパッケージを実行する。
【０２１０】
本具体的な実施例の方法を採用した上りデータ転送の過程は以下のとおりであり、なお、以下のステップは任意に組み合わせて使用できる。
【０２１１】
ステップ１において、ＩＡＢ  ｎｏｄｅ  １が生成したＦ１ＡＰメッセージを、ＩＡＢ  ｎｏｄｅ  １のＤＲＢにより送信する。ＩＡＢ  ｎｏｄｅ１はａｄａｐｔｏｒ  ｌａｙｅｒのパッケージを行い、ａｄａｐｔｏｒ  ｌａｙｅｒのパケットヘッダには、送信先ノード情報、データパケットの属するＵＥ（ＩＡＢ  ｎｏｄｅ１のＭＴ  ｐａｒｔ）の識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０２１２】
好ましくは、アダプテーション層のパケットヘッダに含まれるＩＡＢ  ｎｏｄｅ１のＭＴ  ｐａｒｔのＵＥ識別子は、以下の方法により割り当てることができる。
【０２１３】
割り当て方法１では、ａｄａｐｔに含まれるＵＥ  ＩＤは、ＣＵ−ＣＰにより割り当てられ、ＣＵ−ＣＰは、ＵＥ  ＩＤをＩＡＢ  ｎｏｄｅ１のＭＴ  ｐａｒｔ（例えば、ＭＡＣ層制御情報、ＲＲＣメッセージ）に送信し、好ましくは、ＣＵ−ＣＰはＥ１ＡＰ  ＩＤとＵＥ  ＩＤとのマッピング関係をＣＵ−ＵＰに送信する（例えば、Ｅ１シグナリングにより）。
【０２１４】
割り当て方法２では、ａｄａｐｔに含まれるＵＥ  ＩＤは、ＣＵ−ＵＰにより割り当てられ、ＣＵ−ＵＰは、ＵＥ  ＩＤをＩＡＢ  ｎｏｄｅ１のＭＴ  ｐａｒｔに割り当てた後、ＵＥ  ＩＤをＣＵ−ＣＰに送信し（例えば、Ｅ１シグナリングにより）、ＣＵ−ＣＰはＵＥ  ＩＤをＩＡＢ  ｎｏｄｅ  １のＭＴ  ｐａｒｔ（例えば、ＭＡＣ層制御情報、ＲＲＣメッセージ）に送信する。
【０２１５】
割り当て方法３では、ａｄａｐｔに含まれるＵＥ  ＩＤが上位ＩＡＢノード（ＩＡＢ  ｎｏｄｅ  ２）により割り当てられた場合、ＩＡＢ  ｎｏｄｅ  ２はＵＥ  ＩＤをＣＵ−ＣＰに送信し（例えば、Ｆ１シグナリングにより）、ＣＵ−ＣＰは、更にＵＥ  ＩＤをＣＵ−ＵＰに送信する（例えば、Ｅ１シグナリングにより）。
【０２１６】
ステップ２において、ＩＡＢ  ｎｏｄｅ  １から送信されたデータパケットを、ＩＡＢ  ｎｏｄｅ  ２およびＩＡＢ  ｎｏｄｅ  ３の転送を介してＤｏｎｏｒ  ＤＵに送信する。Ｄｏｎｏｒ  ＤＵは、ユーザプレーンによりデータパケットを受信した後、Ｆ１−Ｕインタフェースを介してＣＵ−ＵＰに送信する。Ｄｏｎｏｒ  ＤＵは、ＩＡＢ  ｎｏｄｅ  ３からデータパケットを受信した後、以下の方法により、制御プレーン／ユーザプレーンのデータパケットを区分する。
【０２１７】
区分方法１では、Ｄｏｎｏｒ  ＤＵが制御プレーンシグナリングの転送に専用のＤＲＢからデータパケットを受信した場合、該データパケットは制御プレーンシグナリングデータパケットである。
【０２１８】
区分方法２では、アダプテーション層のパケットヘッダに制御プレーン指示情報が含まれる場合、該データパケットは制御プレーンシグナリングデータパケットである。
【０２１９】
好ましくは、Ｄｏｎｏｒ  ＤＵは、以下の方法により、転送するデータパケットが制御プレーンデータパケットであることを指示することができる。
【０２２０】
指示方法１では、Ｄｏｎｏｒ  ＤＵは、制御プレーンデータパケットを、シグナリングの転送に専用のＧＴＰ−Ｕ  ｔｕｎｎｅｌを介してＣＵ−ＵＰに送信する。
【０２２１】
指示方法２では、Ｄｏｎｏｒ  ＤＵがＣＵ−ＵＰに送信したＦ１  ＧＴＰ−Ｕパケットヘッダには、ＣＰ指示情報が担持される。
【０２２２】
好ましくは、Ｄｏｎｏｒ  ＤＵは、以下の方法により、転送するデータパケットの送信先ノード情報を指示することができる。
【０２２３】
指示方法１では、Ｄｏｎｏｒ  ＤＵが受信したデータパケットのＡｄａｐｔｏｒ  ｌａｙｅｒのパケットヘッダにＵＥ識別子（すなわち、ＩＡＢ  ｎｏｄｅ  １のＭＴ  ｐａｒｔ）情報が含まれ、ＣＵ−ＣＰはＤｏｎｏｒ  ＤＵにＵＥ識別子とＣＵ−ＣＰノードとの間のマッピング関係を設定し、Ｄｏｎｏｒ  ＤＵは上記マッピング関係に基づき、送信先ＣＵ−ＣＰノード情報を確定し、Ｄｏｎｏｒ  ＤＵがＣＵ−ＵＰに送信したＧＴＰ−ＵパケットヘッダにＣＵ−ＣＰノード情報が担持される。
【０２２４】
指示方法２では、Ｄｏｎｏｒ  ＤＵが受信したデータパケットのＡｄａｐｔｏｒ  ｌａｙｅｒのパケットヘッダにＣＵ−ＣＰノード情報が含まれ、Ｄｏｎｏｒ  ＤＵがＣＵ−ＵＰに送信したＧＴＰ−ＵパケットヘッダにＣＵ−ＣＰノード情報が担持される。
【０２２５】
指示方法３では、ＣＵ−ＣＰは、ｄｏｎｏｒ  ＤＵおよびＣＵ−ＵＰに、Ｆ１  ＧＴＰ−ＵトンネルとＣＵ−ＣＰノード情報とのマッピング関係、Ｄｏｎｏｒ  ＤＵが受信したデータパケットのＡｄａｐｔｏｒ  ｌａｙｅｒのパケットヘッダに含まれるＣＵ−ＣＰノード情報、または方法１により取得したＣＵ−ＣＰノード情報を設定し、Ｄｏｎｏｒ  ＤＵは、上記マッピング関係およびＣＵ−ＣＰノード情報に基づき、該データパケットを転送するためのＦ１  ＧＴＰ−Ｕトンネルを確定する。
【０２２６】
好ましくは、Ｄｏｎｏｒ  ＤＵは、以下の方法により、転送するデータパケットの属する（すなわち、ＩＡＢ  ｎｏｄｅ１のＭＴ  ｐａｒｔ）ＵＥ識別子およびＤＲＢ  ＩＤ情報を指示することができる。
【０２２７】
指示方法１では、Ｄｏｎｏｒ  ＤＵがＣＵ−ＵＰに送信したＦ１  ＧＴＰ−Ｕパケットヘッダには、ＵＥ識別子および／またはＤＲＢ  ＩＤが担持される。
【０２２８】
指示方法２では、ＣＵ−ＣＰは、ｄｏｎｏｒ  ＤＵおよびＣＵ−ＵＰにＵＥ（すなわち、ＩＡＢ  ｎｏｄｅ  １のＭＴ    ｐａｒｔ）のＤＲＢとＦ１  ＧＴＰ−Ｕトンネルとのマッピング関係を設定する。Ｄｏｎｏｒ  ＤＵは、上記マッピング関係に基づき、該データパケットを転送するためのＦ１  ＧＴＰ−Ｕトンネルを確定する。
【０２２９】
本具体的な実施例の方法を採用した下りデータ転送の過程は以下のとおりであり、なお、以下のステップは任意に組み合わせて使用できる。
【０２３０】
ステップ１において、Ｄｏｎｏｒ  ＣＵ−ＣＰはＦ１ＡＰメッセージを生成し、Ｆ１ＡＰメッセージをＥ１ＡＰメッセージにパッケージし、Ｅ１インタフェースを介してＣＵ−ＵＰに送信する。Ｆ１ＡＰメッセージにＵＥ識別子および／またはベアラ識別子情報が含まれてもよい。好ましくは、Ｅ１ＡＰメッセージには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。好ましくは、ＣＵ−ＣＰのＩＰ層に含まれる送信先アドレスはＩＡＢ  ｎｏｄｅ  １のＩＰアドレスである。
【０２３１】
ステップ２において、ＣＵ−ＵＰはＦ１  ＧＴＰ−Ｕトンネルを介して、受信したデータパケットをｄｏｎｏｒ  ＤＵに送信する。
【０２３２】
好ましくは、ＣＵ−ＵＰは、以下の方法により、転送するデータパケットが制御プレーンデータパケットであることを指示することができる。
【０２３３】
指示方法１では、ＣＵ−ＵＰは、制御プレーンデータパケットをシグナリングの転送に専用のＧＴＰ−Ｕ  ｔｕｎｎｅｌを介してｄｏｎｏｒ  ＤＵに送信する。
【０２３４】
指示方法２では、ＣＵ−ＵＰがｄｏｎｏｒ  ＤＵに送信したＦ１  ＧＴＰ−Ｕパケットヘッダには、ＣＰ指示が担持される。
【０２３５】
ＣＵ−ＵＰは、以下の方法により、送信先ノード情報を確定することができる。
【０２３６】
確定方法１では、ＣＵ−ＵＰは、設定（例えば、ＣＵにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０２３７】
確定方法２では、ＣＵ−ＵＰは、受信したデータパケットのＥ１ＡＰメッセージに基づき、送信先ノード情報を取得することができる。
【０２３８】
確定方法３では、ＣＵ−ＵＰは、受信したデータパケットのＩＰ層に含まれる送信先ＩＰアドレス情報に基づき、好ましくは、ＣＵ−ＵＰは、更に設定されたＩＰアドレスと送信先ノード情報との間のマッピング関係に基づき、送信先識別情報を確定することができる。
【０２３９】
ＣＵ−ＵＰは、以下の方法により、転送するデータパケットの送信先ノード情報を指示することができる。
【０２４０】
指示方法１では、ＣＵ−ＵＰがｄｏｎｏｒ  ＤＵに送信したＧＴＰ−Ｕパケットヘッダには、送信先ノード情報が担持される。
【０２４１】
指示方法２では、ＣＵ−ＣＰは、ｄｏｎｏｒ  ＤＵおよびＣＵ−ＵＰにＦ１  ＧＴＰ−Ｕトンネルと送信先ＩＡＢノード情報とのマッピング関係を設定し、ＣＵ−ＵＰは、データパケットの送信先ＩＡＢ  ｎｏｄｅを確定した後、上記マッピング関係および送信先ＩＡＢ  ｎｏｄｅ情報に基づき、該データパケットを転送するためのＦ１  ＧＴＰ−Ｕトンネルを確定する。
【０２４２】
指示方法３では、ＣＵ−ＵＰがｄｏｎｏｒ  ＤＵに送信したデータパケットのＩＰパケットヘッダには、送信先ノードのＩＰアドレス情報が含まれている。
【０２４３】
好ましくは、ＣＵ−ＵＰは、以下の方法により、転送するデータパケットの属する（ＩＡＢ  ｎｏｄｅ  １のＭＴ  ｐａｒｔ）のＵＥ識別子およびＤＲＢ  ＩＤ情報を指示することができる。
【０２４４】
指示方法１では、ＣＵ−ＵＰがＤｏｎｏｒ  ＤＵに送信したＦ１  ＧＴＰ−Ｕパケットヘッダには、ＵＥ識別子および／またはＤＲＢ  ＩＤが担持される。
【０２４５】
指示方法２では、ＣＵ−ＣＰは、ｄｏｎｏｒ  ＤＵおよびＣＵ−ＵＰにＵＥのＤＲＢとＦ１  ＧＴＰ−Ｕトンネルとのマッピング関係を設定する。ＣＵ−ＵＰは、上記マッピング関係に基づき、該データパケットを転送するためのＦ１  ＧＴＰ−Ｕトンネルを確定する。
【０２４６】
ステップ３において、Ｄｏｎｏｒ  ＤＵは、受信したＧＴＰ−Ｕデータパケットを解析した後、アダプテーション層のパッケージを行い、アダプテーション層のパケットヘッダには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０２４７】
Ｄｏｎｏｒ  ＤＵは、以下の方法により、送信先ノード情報を確定することができる。
【０２４８】
確定方法１では、ｄｏｎｏｒ  ＤＵは、設定（例えば、ＣＵまたはＣＵ−ＣＰにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０２４９】
確定方法２では、ｄｏｎｏｒ  ＤＵは、受信したデータパケットのＧＴＰ−Ｕパケットヘッダから送信先ノード情報を取得する。
【０２５０】
確定方法３では、ｄｏｎｏｒ  ＤＵは、受信したデータパケットのＩＰ層から送信先ＩＰアドレス情報を取得した後、設定されたＩＰアドレスと送信先ノード情報との間のマッピング関係に基づき、送信先ノード情報を確定する。
【０２５１】
ステップ３において、Ｄｏｎｏｒ  ＤＵは次のホップ・ノードを確定し、ＤＲＢまたはユーザプレーンＲＬＣ  ｃｈａｎｎｅｌを介してＣＵ−ＵＰから受信した制御プレーンデータパケットをＩＡＢ  ｎｏｄｅ  ３に送信する。
【０２５２】
ステップ４において、ＩＡＢ  ｎｏｄｅ  ２は、アダプテーション層のパケットヘッダにおける情報に基づき、受信したデータパケットを、次のホップ・ノード、すなわち、ＩＡＢ  ｎｏｄｅ  ４に送信する。
【０２５３】
ステップ５において、ＩＡＢ  ｎｏｄｅ  １は、アダプテーション層のパケットヘッダにおける情報に基づき、データパケットの属するＵＥおよびベアラを確定し、データパケットをＤＲＢにより対応するＩＡＢ  ｎｏｄｅ  １のＭＴ  ｐａｒｔに送信する。
【０２５４】
また、本具体的な実施例の方法の上りデータ転送の過程のステップ１において、ＩＡＢ  ｎｏｄｅ  １は、自身が生成したＦ１メッセージに対してアダプテーション層の処理を実行しなくてもよく、すなわち、アダプテーション層のパケットヘッダを追加せず、その場合、ＩＡＢ  ｎｏｄｅ  ２はデータに対してアダプテーション層のパケットヘッダの添加を行う必要がある。ＩＡＢ  ｎｏｄｅ  １は、以下の２種の方式により、Ｆ１ＡＰメッセージを送信することができる。
【０２５５】
送信方法１：専用のＤＲＢ（またはセット１であり、制御プレーンデータパケットで、次のホップのＩＡＢ  ｎｏｄｅがアダプテーション層を解析せずにアダプテーション層のパッケージを行う必要があることを指示するために用いられる）により送信できる。ＩＡＢ  ｎｏｄｅ  １のＭＴ  ｐａｒｔが生成したユーザプレーンのデータパケットは、専用のＤＲＢ（またはセット２であり、ユーザプレーンのデータパケットで、次のホップのＩＡＢ  ｎｏｄｅがアダプテーション層を解析せずにアダプテーション層のパッケージを行う必要があることを指示するために用いられる）により送信できる。その後、ＩＡＢ  ｎｏｄｅ  ２は、専用のＤＲＢ（またはセット３であり、制御プレーンデータパケットで、次のホップのＩＡＢ  ｎｏｄｅが制御プレーンデータパケットにより高いＱｏＳを提供するためにアダプテーション層を解析する必要があることを指示するために用いられる）により次のホップ・ノードに送信される。
【０２５６】
送信方法２：１種の専用のＤＲＢ（またはセット）のみを定義し、次のホップのＩＡＢ  ｎｏｄｅがアダプテーション層を解析する必要があるか否かを区分するために用いられる。すなわち、ＩＡＢ  ｎｏｄｅ  １が生成したＦ１メッセージおよびＩＡＢ  ｎｏｄｅ  １のＭＴ  ｐａｒｔが生成したユーザプレーンのデータパケットは、ＩＡＢ  ｎｏｄｅ  １がアダプテーション層のパケットヘッダを添加せず、専用のＤＲＢ（またはセットであり、次のホップのＩＡＢ  ｎｏｄｅがアダプテーション層を解析せずにアダプテーション層のパッケージを行う必要があることを指示するために用いられる）により送信できる。ＩＡＢ  ｎｏｄｅ  ２はＤＲＢにより次のホップ・ノードに送信される。
【０２５７】
具体的な実施例７、ＮＡＳ／ＲＲＣメッセージをＣＰにより送信する方法１
本具体的な実施例７の方法は、ＮＡＳ／ＲＲＣメッセージを制御プレーンにより転送する方法１である。図１１は、本願の具体的な実施例７によるＵＥとＡＭＦとの間のプロトコルスタックの模式図であり、図１１に示すように、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。また、図１１におけるＤｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。具体的な実施例１と異なるのは、本具体的な実施例において、ＩＡＢ  ｎｏｄｅ／Ｄｏｎｏｒ  ＤＵは、ＳＲＢにより制御プレーンデータパケットを次のホップ・ノードに転送することである。Ｄｏｎｏｒ  ＤＵはベアラタイプ（すなわち、ＳＲＢ、ＤＲＢ）に基づき、受信した上りデータパケットが制御プレーンであるかユーザプレーンのデータパケットであるかを判断することができ、すなわち、Ｄｏｎｏｒ  ＤＵは、ＳＲＢにより上りデータパケットを受信した後、該データパケットが制御プレーンデータパケットであると判断することができる。該具体的な実施例の方法における他の上り、下りデータ転送のステップは、具体的な実施例１と類似する。
【０２５８】
具体的な実施例８、ＮＡＳ／ＲＲＣメッセージをＣＰにより送信する方法２
本具体的な実施例の方法は、ＮＡＳ／ＲＲＣメッセージを制御プレーンにより転送する方法２である。図１２は、本願の具体的な実施例８によるＵＥとＡＭＦとの間のプロトコルスタックの模式図であり、図１２に示すように、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。また、図１２におけるＤｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。具体的な実施例２と異なるのは、本具体的な実施例において、ＩＡＢ  ｎｏｄｅ／Ｄｏｎｏｒ  ＤＵはＳＲＢにより制御プレーンデータパケットを次のホップ・ノードに転送することである。Ｄｏｎｏｒ  ＤＵはベアラタイプ（すなわち、ＳＲＢ、ＤＲＢ）に基づき、受信した上りデータパケットが制御プレーンであるかユーザプレーンのデータパケットであるかを判断することができ、すなわち、Ｄｏｎｏｒ  ＤＵは、ＳＲＢにより上りデータパケットを受信した後、該データパケットが制御プレーンデータパケットであると判断することができる。該具体的な実施例の方法における他の上り、下りデータ転送のステップは、具体的な実施例２と類似する。
【０２５９】
具体的な実施例９、ＮＡＳ／ＲＲＣメッセージをＣＰにより送信する方法３
本具体的な実施例９の方法は、ＮＡＳ／ＲＲＣメッセージを制御プレーンにより転送する方法３である。図１３は、本願の具体的な実施例９によるＵＥとＡＭＦとの間のプロトコルスタックの模式図であり、図１３に示すように、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。また、図１３におけるＤｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。本具体的な実施例の方法において、ＳＣＴＰ／ＩＰ層はａｄａｐｔｏｒ  ｌａｙｅｒにより置換される。なお、Ｆ１ＡＰプロトコル層とアダプテーション層との間にＳＣＴＰ／ＩＰ層が存在する可能性がある。また、Ｄｏｎｏｒ  ＤＵ上にＦ１ＡＰ層がなくてもよく、すなわち、Ｄｏｎｏｒ  ＤＵはＦ１ＡＰプロトコル層の処理を行わない。
【０２６０】
具体的な実施例３と異なるのは、本具体的な実施例において、ＩＡＢ  ｎｏｄｅ／Ｄｏｎｏｒ  ＤＵは、ＳＲＢにより制御プレーンデータパケットを次のホップ・ノードに転送することである。Ｄｏｎｏｒ  ＤＵは、ベアラタイプ（すなわち、ＳＲＢ、ＤＲＢ）に基づき、受信した上りデータパケットが制御プレーンであるかユーザプレーンのデータパケットであるかを判断することができ、すなわち、Ｄｏｎｏｒ  ＤＵは、ＳＲＢにより上りデータパケットを受信した後、該データパケットが制御プレーンデータパケットであると判断することができる。該具体的な実施例の方法における他の上り、下りデータ転送のステップは、具体的な実施例２と類似する。
【０２６１】
具体的な実施例１０、Ｆ１ＡＰメッセージをＣＰにより送信する方法
本具体的な実施例１０の方法は、Ｆ１ＡＰメッセージを制御プレーンにより転送する方法である。図１４は、本願の具体的な実施例１０によるＩＡＢ  ｎｏｄｅ  １とＡＭＦとの間のプロトコルスタックの模式図であり、図１４に示すように、アダプテーション層はＩＡＢ  ｎｏｄｅおよびＩＡＢ  ｄｏｎｏｒ  ＤＵのＲＬＣ層の上に位置する。なお、アダプテーション層（ａｄａｐｔｏｒ  ｌａｙｅｒ／ａｄａｐｔａｔｉｏｎ  ｌａｙｅｒ）はＲＬＣ層とＭＡＣ層との間に位置してもよく、またはアダプテーション層の機能はＲＬＣまたはＭＡＣ層に位置してもよい。また、図１４におけるＤｏｎｏｒ  ＣＵ−ＣＰはＤｏｎｏｒ  ＣＵであってもよく、その場合、本具体的な実施例におけるＤｏｎｏｒ  ＣＵ−ＣＰはＤｏｎｏｒ  ＣＵにより置換される。また、Ｄｏｎｏｒ  ＤＵとＣＵ−ＣＰとの間のインタフェース上にアダプテーション層が存在してもよく、すなわち、Ｄｏｎｏｒ  ＤＵおよびＣＵ−ＣＰはアダプテーション層の処理およびパッケージを実行する。本具体的な実施例の図１４に示す方法において、Ｆ１ＡＰ／ＳＣＴＰ／ＩＰ層はａｄａｐｔｏｒ  ｌａｙｅｒにより置換される。好ましくは、アダプテーション層の上にＦ１ＡＰ層が存在する可能性があり、更に、Ｆ１ＡＰおよびアダプテーション層の前に、ＳＣＴＰ／ＩＰ層が存在する可能性がある。
【０２６２】
本具体的な実施例の方法を採用した上りデータ転送の過程は以下のとおりであり、なお、以下のステップは任意に組み合わせて使用できる。
【０２６３】
ステップ１において、ＩＡＢ  ｎｏｄｅ  １が生成したＦ１ＡＰメッセージを、ＩＡＢ  ｎｏｄｅ  １のＳＲＢにより送信する。ＩＡＢ  ｎｏｄｅ１はａｄａｐｔｏｒ  ｌａｙｅｒのパッケージを行い、ａｄａｐｔｏｒ  ｌａｙｅｒのパケットヘッダには、送信先ノード情報、データパケットの属するＵＥ（ＩＡＢ  ｎｏｄｅ１のＭＴ  ｐａｒｔ）の識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０２６４】
好ましくは、アダプテーション層のパケットヘッダに含まれるＩＡＢ  ｎｏｄｅ１のＭＴ  ｐａｒｔのＵＥ識別子は、以下の方法により割り当てることができる。
【０２６５】
割り当て方法１では、ａｄａｐｔに含まれるＵＥ  ＩＤがＣＵ−ＣＰにより割り当てられた場合、ＣＵ−ＣＰはＵＥ  ＩＤをＩＡＢ  ｎｏｄｅ１のＭＴ  ｐａｒｔ（例えば、ＭＡＣ層制御情報、ＲＲＣメッセージ）に送信する。好ましくは、ＣＵ−ＣＰはＦ１ＡＰ  ＩＤとＵＥ  ＩＤとのマッピング関係をｄｏｎｏｒ  ＤＵに送信する（例えば、Ｆ１シグナリングにより）。
【０２６６】
割り当て方法２では、ａｄａｐｔに含まれるＵＥ  ＩＤがＩＡＢ  ｎｏｄｅ  ２により割り当てられた場合、ＩＡＢ  ｎｏｄｅ  ２はＵＥ  ＩＤをＩＡＢ  ｎｏｄｅ  １のＭＴ  ｐａｒｔに送信する（例えば、ＭＡＣ制御情報により）。好ましくは、ＩＡＢ  ｎｏｄｅ  ２はＵＥ  ＩＤを、例えば、Ｆ１シグナリングによりＣＵ−ＣＰに送信する。好ましくは、ＣＵ−ＣＰはｄｏｎｏｒ  ＤＵにＵＥ  ＩＤとＦ１ＡＰ  ＩＤとのマッピング関係を設定する。
【０２６７】
ステップ２において、ＩＡＢ  ｎｏｄｅ  １が送信したデータパケットを、ＩＡＢ  ｎｏｄｅ  ２およびＩＡＢ  ｎｏｄｅ  ３の転送を介してＤｏｎｏｒ  ＤＵに送信する。Ｄｏｎｏｒ  ＤＵは、データパケットを制御プレーンにより受信した後、Ｆ１−Ｃインタフェースを介してＣＵ−ＣＰに送信する。
【０２６８】
好ましくは、Ｄｏｎｏｒ  ＤＵは、以下の方法により、該データパケットの送信先ノードを確定することができる：
【０２６９】
確定方法１では、ＣＵ−ＣＰは、ＩＡＢ  ｎｏｄｅ  １に送信先ＣＵ−ＣＰ情報を設定し、ＩＡＢ  ｎｏｄｅ  １のアダプテーション層のパケットヘッダには、送信先ＣＵ−ＣＰ情報が担持される。
【０２７０】
確定方法２では、ＣＵ−ＣＰはＩＡＢ  ｎｏｄｅ  １にＤｏｎｏｒ  ＤＵ情報およびＵＥ識別子情報を設定し、ＩＡＢ  ｎｏｄｅ  １のアダプテーション層のパケットヘッダには、Ｄｏｎｏｒ  ＤＵ識別子またはアドレス情報、ＵＥ識別子情報が担持される。ｄｏｎｏｒ  ＤＵは、設定（例えば、ＣＵまたはＣＵ−ＣＰにより設定）されたＵＥ識別子とＣＵ−ＣＰ識別子との間のマッピング関係に基づき、該データパケットの送信先ＣＵ−ＣＰノードを確定する。
【０２７１】
ステップ３において、Ｄｏｎｏｒ  ＤＵは、ＳＲＢから受信した制御プレーンデータパケットをＦ１−Ｃインタフェースを介してＣＵまたはＣＵ−ＣＰに送信する。好ましくは、Ｄｏｎｏｒ  ＤＵがＣＵ−ＣＰに送信したＦ１ＡＰメッセージには、ＵＥ（ＩＡＢ  ｎｏｄｅ１のＭＴ  ｐａｒｔ）識別子およびＳＲＢ  ＩＤが含まれている。好ましくは、ここで、ＵＥ識別子はＦ１ＡＰ  ＩＤであってもよく、例えば、受信したデータパケットのアダプテーション層のパケットヘッダから取得したＦ１ＡＰ  ＩＤであってもよい。
【０２７２】
または、Ｄｏｎｏｒ  ＤＵは、設定（例えば、ＣＵまたはＣＵ−ＣＰにより設定）されたＵＥ識別子とＦ１ＡＰ  ＩＤとの間のマッピング関係に基づき、データパケットの属するＵＥの識別子に対応するＦ１ＡＰ  ＩＤを確定する。その後、ｄｏｎｏｒ  ＤＵは、マッピング関係により確定したＦ１ＡＰ  ＩＤ、およびアダプテーション層のパケットヘッダから取得したＳＲＢ  ＩＤを、ＣＵ−ＣＰに送信されるＦ１ＡＰメッセージに含める。
【０２７３】
または、Ｄｏｎｏｒ  ＤＵは、設定（例えば、ＣＵまたはＣＵ−ＣＰにより設定）されたＵＥ識別子およびＳＲＢ  ＩＤの組み合わせとＦ１ＡＰ  ＩＤとの間のマッピング関係に基づき、データパケットの属するＵＥの識別子およびベアラに対応するＦ１ＡＰ  ＩＤを確定する。その後、ｄｏｎｏｒ  ＤＵは、マッピング関係により確定したＦ１ＡＰ  ＩＤを、ＣＵ−ＣＰに送信されるＦ１ＡＰメッセージに含める。
【０２７４】
好ましくは、本実施例の方法の上りデータ転送の過程のステップ１において、ＩＡＢ  ｎｏｄｅ  １は、自身が生成したＦ１メッセージに対してアダプテーション層の処理を実行しなくてもよく、すなわち、アダプテーション層のパケットヘッダを追加せず、その場合、ＩＡＢ  ｎｏｄｅ  ２はデータに対してアダプテーション層のパケットヘッダの添加を行う必要がある。この場合、ＩＡＢ  ｎｏｄｅ  １は、新規定義のＳＲＢ（またはセット１であり、次のホップのＩＡＢ  ｎｏｄｅがアダプテーション層を解析せずにアダプテーション層のパッケージを行う必要があることを指示するために用いられる）により、その自身が生成したＦ１ＡＰメッセージおよびＲＲＣメッセージを送信することができる。
【０２７５】
本具体的な実施例の方法を採用した下りデータ転送の過程は以下のとおりであり、なお、以下のステップは任意に組み合わせて使用できる。
【０２７６】
ステップ１において、Ｄｏｎｏｒ  ＣＵ−ＣＰは、Ｆ１ＡＰメッセージをＲＲＣメッセージにパッケージした後、ＲＲＣメッセージをＦ１ＡＰパッケージして新しいＦ１ＡＰメッセージを形成し、Ｆ１−Ｃインタフェースを介してＤｏｎｏｒ  ＤＵに送信する。好ましくは、Ｆ１ＡＰメッセージには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。好ましくは、ＣＵ−ＣＰのＩＰ層に含まれる送信先アドレスはＩＡＢ  ｎｏｄｅ  １のＩＰアドレスである。
【０２７７】
ステップ２において、Ｄｏｎｏｒ  ＤＵは、受信したＦ１ＡＰメッセージを解析した後、アダプテーション層のパッケージを行い、アダプテーション層のパケットヘッダには、送信先ノード情報、データパケットの属するＵＥ識別子、データパケットの属するベアラ識別子、データパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０２７８】
Ｄｏｎｏｒ  ＤＵは、以下の方法により、送信先ノード情報を確定することができる。
【０２７９】
確定方法１では、ｄｏｎｏｒ  ＤＵは、設定（例えば、ＣＵまたはＣＵ−ＣＰにより設定）されたＵＥ識別子と送信先ノード情報との間のマッピング関係に基づき、該データパケットの送信先ＩＡＢ  ｎｏｄｅを確定し、ここで、送信先ノード情報は、基地局識別子、ＤＵ識別子、ＩＰアドレス、ＩＰアドレスインデックス等の情報であってもよい。
【０２８０】
確定方法２では、ｄｏｎｏｒ  ＤＵは、受信したデータパケットのＩＰ層から送信先ＩＰアドレス情報を取得する。
【０２８１】
確定方法３では、ｄｏｎｏｒ  ＤＵは、受信したデータパケットのＩＰ層から送信先ＩＰアドレス情報を取得した後、設定されたＩＰアドレスと送信先ノード情報との間のマッピング関係に基づき、送信先ノード情報を確定する。
【０２８２】
好ましくは、Ｄｏｎｏｒ  ＤＵは、設定（例えば、ＣＵまたはＣＵ−ＣＰにより設定）されたＵＥ識別子とＦ１ＡＰ  ＩＤとの間のマッピング関係に基づき、データパケットの属するＵＥのＵＥ識別子を確定する。好ましくは、Ｄｏｎｏｒ  ＤＵは、設定（例えば、ＣＵまたはＣＵ−ＣＰにより設定）されたＵＥ識別子およびＳＲＢ  ＩＤの組み合わせとＦ１ＡＰ  ＩＤとの間のマッピング関係に基づき、データパケットの属するＵＥの識別子およびベアラ識別子を確定する。
【０２８３】
ステップ３において、Ｄｏｎｏｒ  ＤＵは、ＳＲＢまたは制御プレーンＲＬＣ  ｃｈａｎｎｅｌを介してＣＵ−ＣＰから受信した制御プレーンデータパケットをＩＡＢ  ｎｏｄｅ  ３に送信する。
【０２８４】
ステップ４において、ＩＡＢ  ｎｏｄｅ  ３は、アダプテーション層のパケットヘッダにおける情報に基づき、受信したデータパケットを、次のホップ・ノード、すなわち、ＩＡＢ  ｎｏｄｅ  ２に送信する。
【０２８５】
ステップ５において、ＩＡＢ  ｎｏｄｅ  ２は、アダプテーション層のパケットヘッダにおける情報に基づき、データパケットの属するＵＥおよびベアラを確定し、データパケットをＳＲＢにより対応するＩＡＢ  ｎｏｄｅ  １のＭＴ  ｐａｒｔに送信する。
【０２８６】
以下、本願の書類に使用される英語略称の英語フルスペルまたは中国語略称を列挙する。
ＩＡＢの英語フルスペルがｉｎｔｅｇｒａｔｅｄ  ａｃｃｅｓｓ  ａｎｄ  ｂａｃｋｈａｕｌであり、
ＳＲＢの英語フルスペルがｓｉｇｎａｌｉｎｇ  ｒａｄｉｏ  ｂｅａｒｅｒであり、
ＤＲＢの英語フルスペルがｄａｔａ  ｒａｄｉｏ  ｂｅａｒｅｒであり、
ＣＵ／ＤＵの英語フルスペルがｃｅｎｔｒａｌｉｚｅｄ  ｕｎｉｔ／ｄｉｓｔｒｉｂｕｔｅｄ  ｕｎｉｔであり、
ａｄａｐｔｏｒ  ｌａｙｅｒがアダプテーション層であり、
ＳＤＡＰの英語フルスペルがＳｅｒｖｉｃｅ  Ｄａｔａ  Ａｄａｐｔａｔｉｏｎ  Ｐｒｏｔｏｃｏｌであり、
ｐａｃｋｅｔ  ｆｉｌｔｅｒがパケットフィルタであり、
Ｐａｃｋｅｔ  Ｆｉｌｔｅｒ  Ｓｅｔであり、
ＭＮ／ＳＮの英語フルスペルがｍａｓｔｅｒ  ｎｏｄｅ／ｓｅｃｏｎｄａｒｙ  ｎｏｄｅであり、
ｓｐｌｉｔ  ｂｅａｒｅｒ、
ＳＣＧの英語フルスペルがｓｅｃｏｎｄａｒｙ  ｃｅｌｌ  ｇｒｏｕｐであり、
ＭＣＧの英語フルスペルがｍａｓｔｅｒ  ｃｅｌｌ  ｇｒｏｕｐであり、
ＳＮ  ｔｅｒｍｉｎａｔｅｄ  ＭＣＧ  ｂｅａｒｅｒであり、
ＭＴの英語フルスペルがＭｏｂｉｌｅ  Ｔｅｒｍｉｎａｔｉｏｎであり、
ＬＣＩＤの英語フルスペルがｌｏｇｉｃａｌ  ｃｈａｎｎｅｌ  ＩＤであり、
ＲＢＩＤの英語フルスペルがｒａｄｉｏ  ｂｅａｒｅｒ  ＩＤであり、
ＵＰＦの英語フルスペルがＵｓｅｒ  Ｐｌａｎｅ  Ｆｕｎｃｔｉｏｎであり、
ＡＭＦの英語フルスペルがＡｃｃｅｓｓ  ａｎｄ  Ｍｏｂｉｌｉｔｙ  Ｍａｎａｇｅｍｅｎｔ  Ｆｕｎｃｔｉｏｎである。
【０２８７】
以上の実施形態の記述により、上記実施例による方法が、ソフトウェアに必要な汎用ハードウェアプラットフォームを追加する方式で実現でき、もちろん、ハードウェアにより実現できるが、多くの場合、前者はより好ましい実施形態であることを、当業者は明らかに理解できる。このような理解に基づき、本願の技術案は、本質的に、または従来技術に貢献する部分は、ソフトウェア製品の形式で具現化でき、該コンピュータソフトウェア製品は、１つの記憶媒体（例えば、ＲＯＭ／ＲＡＭ、磁気ディスク、光ディスク）に記憶され、１台の端末デバイス（携帯電話、コンピュータ、サーバ、またはネットワークデバイス等であってもよい）が本願の各実施例に記載の方法を実行するための複数の命令を含む。
【実施例２】
【０２８８】
本実施例において、上記実施例および実施形態を実現するための情報伝送装置を更に提供し、既に説明した内容は省略する。以下に使用されるように、「モジュール」という用語は、所定の機能を実現可能なソフトウェアおよび／またはハードウェアの組み合わせである。以下の実施例に記述される装置はソフトウェアで実現されるが、ハードウェア、またはソフトウェアとハードウェアとの組み合わせでの実現も構想され得る。
【０２８９】
本願の一実施例によれば、情報伝送装置を更に提供し、第１のＩＡＢノードに適用され、
第１のデータパケットを取得するための第１の取得モジュールと、
前記第１のデータパケットをＩＡＢ  ｄｏｎｏｒに送信するための第１の送信モジュールと、
を備える。
【０２９０】
好ましくは、第１のＩＡＢノードが第１のデータパケットを取得することは、前記第１のＩＡＢノードがＵＥから送信された第１のデータパケットを受信することと、前記第１のＩＡＢノード自身が前記第１のデータパケットを生成することと、前記第１のＩＡＢノードが前記第２のＩＡＢノードから送信された第１のデータパケットを受信することとのいずれかを含む。ここで、ＩＡＢが第１のデータパケットを取得する３種の形式を列挙したが、これらに限定されない。
【０２９１】
好ましくは、前記第１のＩＡＢノードが前記第１のデータパケットをＩＡＢ  ｄｏｎｏｒに送信することは、前記第１のＩＡＢノードが前記第１のデータパケットを前記ＩＡＢ  ｄｏｎｏｒに送信することと、または、前記第１のＩＡＢノードが前記第１のデータパケットを次のホップ・ノードに送信し、前記次のホップ・ノードにより前記第１のデータパケットを前記ＩＡＢ  ｄｏｎｏｒに転送することとのいずれかを含む。前記第１のＩＡＢノードが前記第１のデータパケットを前記ＩＡＢ  ｄｏｎｏｒに送信することは、第１のＩＡＢノードが第１のデータパケットをＩＡＢ  ｄｏｎｏｒに直接送信し、中間の１つまたは複数のホップ・ノードにより転送する必要がないと理解できる。
【０２９２】
好ましくは、前記第１のＩＡＢノードが前記第１のデータパケットをＩＡＢ  ｄｏｎｏｒに送信することは、前記第１のＩＡＢノードが制御プレーンの論理チャネルまたは制御プレーンのベアラにより前記第１のデータパケットを前記ＩＡＢ  ｄｏｎｏｒに送信することと、前記第１のＩＡＢノードがユーザプレーンの論理チャネルまたはユーザプレーンのベアラにより前記第１のデータパケットを前記ＩＡＢ  ｄｏｎｏｒに送信することとのいずれかを含む。
【０２９３】
好ましくは、第１のＩＡＢノードが第１のデータパケットを取得した後、前記第１のＩＡＢノードは前記第１のデータパケットにアダプテーション層のパケットヘッダを追加し、前記アダプテーション層のパケットヘッダには、送信先ノード情報、第１のデータパケットの属するＵＥ識別子、第１のデータパケットの属するベアラ識別子、第１のデータパケットの属するチャネル識別子、ルーティング経路情報、サービス品質ＱｏＳ（Ｑｕａｌｉｔｙ  ｏｆ  ｓｅｒｖｉｕｃｅ）情報、ＧＴＰトンネル情報（ＧＰＲＳトンネルプロトコル、ＧＴＰと呼ばれてもよい）、Ｆ１ＡＰ  ＩＤ情報（ＩＤ情報は識別情報であってもよい）、制御プレーン指示情報、ユーザプレーン指示情報、プロトコルタイプ指示情報、ロングフォーマット指示情報、ショートフォーマット指示情報の少なくとも１つが含まれている。
【０２９４】
なお、１つのデータパケットの最終的に送信されるＩＡＢ  ｄｏｎｏｒまたはＩＡＢノードは送信先ノードと呼ばれ、現在のＩＡＢノードと送信先ノードとの間のノードは、１つまたは複数のホップ・ノードと呼ばれてもよい。
【０２９５】
好ましくは、送信先ノード情報は、
ＩＡＢ  ｎｏｄｅ識別子、ＤＵ識別子、ＣＵ識別子、基地局識別子、ＣＵ−ＵＰ識別子、ＣＵ−ＣＰ識別子、ＡＭＦ識別子、セル識別子、送信先インデックス番号のような送信先ノードの識別子、
または、送信先ノードのＩＰアドレス、
または、送信先ノードのＩＰアドレスインデックス情報、
または、次のホップ・ノード情報、
を含んでもよいが、これらに限定されない。
【０２９６】
好ましくは、データパケットの属するＵＥ識別子情報は、データパケットの属するＵＥのＵＥ識別子またはデータパケットの属するＩＡＢ  ｎｏｄｅのＵＥ識別子であり、更に、ＵＥ識別子は、Ｅ１ＡＰ  ＩＤ、Ｆ１ＡＰ  ＩＤ、Ｃ−ＲＮＴＩ、Ｓ１  ＡＰ  ＩＤ、Ｘ２  ＡＰ  ＩＤ、ＮＧ  ＡＰ  ＩＤ、Ｘｎ  ＡＰ  ＩＤ、新規定義の識別子を含んでもよいが、これらに限定されない。
【０２９７】
好ましくは、データパケットの属するベアラ／チャネル識別子情報は、データパケットの属するＵＥのベアラ／チャネルの識別子またはデータパケットの属するＩＡＢ  ｎｏｄｅのベアラ／チャネルの識別子である。前記ベアラ識別子は、ＤＲＢ  ＩＤ、ＳＲＢ  ＩＤ、ＬＣＩＤ、ＱＦＩ、ｆｌｏｗ識別子の１つである。
【０２９８】
好ましくは、ルーティング経路情報は、
ルーティング経路識別子、ルーティング経路番号、ルーティング経路インデックス番号を含んでもよいが、これらに限定されない。
【０２９９】
好ましくは、ＱｏＳ関連情報は、ＱＣＩ、または５ＱＩ、またはＱＦＩ、またはＤＳＣＰ値を含んでもよいが、これらに限定されない。
【０３００】
好ましくは、ＧＴＰトンネル情報は、ＴＮＬアドレスおよび／またはＧＴＰ  ＴＥＩＤ情報を含む。
【０３０１】
好ましくは、プロトコルタイプ指示情報は、ＲＲＣメッセージ、ＮＡＳメッセージ、Ｆ１ＡＰメッセージ、ＯＡＭ情報を含んでもよいが、これらに限定されない。
【０３０２】
好ましくは、ロングフォーマット指示情報は、アダプテーション層のパケットヘッダにロングフォーマット指示情報以外の他の情報が含まれることを指示するために用いられ、ショートフォーマット指示情報は、アダプテーション層のパケットヘッダにショートフォーマット指示情報のみが含まれることを指示するために用いられる。
【０３０３】
好ましくは、前記第１のＩＡＢノードが前記第１のデータパケットにアダプテーション層のパケットヘッダを追加する前に、前記第１のＩＡＢノードが前記第１のデータパケットをＦ１ＡＰメッセージにパッケージすることを更に含み、パッケージした後のＦ１ＡＰメッセージに、Ｆ１ＡＰ  ＩＤ、第１のデータパケットの属するＵＥ識別子、第１のデータパケットの属するベアラ識別子、第１のデータパケットの属するチャネル識別子の少なくとも１つが含まれている。第１のデータパケットの属するＵＥ識別子は、第１のデータパケットを送信するＵＥの識別子であってもよいし、第１のデータパケットを生成するＵＥであってもよい。
【０３０４】
好ましくは、前記ＩＡＢ  ｄｏｎｏｒは、ＩＡＢ  ｄｏｎｏｒ基地局と、ＩＡＢ  ｄｏｎｏｒ  ＣＵと、ＩＡＢ  ｄｏｎｏｒ  ＤＵと、ＩＡＢ  ｄｏｎｏｒ  ＣＵ−ＵＰと、ＩＡＢ  ｄｏｎｏｒ  ＣＵ−ＣＰとの少なくとも１つを含む。
【０３０５】
好ましくは、前記第１のデータパケットは、ユーザプレーンのデータパケットまたは制御プレーンデータパケットであり、具体的には、ＮＡＳメッセージ、ＲＲＣメッセージ、Ｆ１メッセージ、Ｓ１シグナリング、Ｘ２シグナリング、ＮＧシグナリング、Ｘｎシグナリング、ＯＡＭ情報であってもよい。
【０３０６】
本願の一実施例によれば、
ＩＡＢ  ｄｏｎｏｒ  ＤＵに適用され、
第１のＩＡＢノードから送信された制御プレーンデータパケットを受信するための第２の受信モジュールと、
制御プレーンデータパケットを送信先集中型ユニット（ＣＵ）または送信先集中型ユニット−制御プレーン（送信先ＣＵ−ＣＰ）に送信し、または、ＣＵ−ＵＰ（ユーザプレーン）により前記制御プレーンデータパケットを前記送信先ＣＵ−ＣＰに転送するための第２の送信モジュールと、
を備えるＩＡＢ制御プレーンの情報伝送装置を更に提供する。
【０３０７】
本願の一実施例によれば、
ＩＡＢ  ｄｏｎｏｒに適用され、
第２のデータパケットを受信するまたは自ら生成するための第１の確定モジュールと、
１つまたは複数のホップ・ノードにより前記第２のデータパケットを第４のＩＡＢノードに送信するための第３の送信モジュールと、
を備える情報伝送装置を更に提供する。
【０３０８】
好ましくは、前記ＩＡＢ  ｄｏｎｏｒが１つまたは複数のホップ・ノードにより前記第２のデータパケットを第４のＩＡＢノードに送信することは、前記ＩＡＢ  ｄｏｎｏｒがＦ１  ＧＴＰ−ＵデータパケットまたはＦ１ＡＰメッセージまたはＥ１ＡＰメッセージにより前記第２のデータパケットを送信し、次のホップ・ノードにより前記第２のデータパケットを前記第４のＩＡＢノードに転送することを含む。
【０３０９】
好ましくは、前記Ｆ１  ＧＴＰ−ＵデータパケットまたはＦ１ＡＰメッセージまたはＥ１ＡＰメッセージに、
送信先ノード情報、前記第２のデータパケットの属するＵＥ識別子、前記第２のデータパケットの属するベアラ識別子、前記第２のデータパケットの属するチャネル識別子、ルーティング経路情報、ＱｏＳ情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０３１０】
好ましくは、前記ＩＡＢ  ｄｏｎｏｒがＦ１  ＧＴＰ−ＵデータパケットまたはＦ１ＡＰメッセージまたはＥ１ＡＰメッセージにより前記第２のデータパケットを次のホップ・ノードに送信した後、前記次のホップ・ノードは前記データパケットにアダプテーション層のパケットヘッダを追加し、前記アダプテーション層のパケットヘッダに、送信先ノード情報、前記第２のデータパケットの属するＵＥ識別子、前記第２のデータパケットの属するベアラ識別子、前記第２のデータパケットの属するチャネル識別子、ルーティング経路情報、ＱｏＳ関連情報、ＧＴＰトンネル情報、Ｆ１ＡＰ  ＩＤ情報、制御プレーン指示情報、ユーザプレーン指示情報、プロトコルタイプ指示情報の少なくとも１つが含まれている。
【０３１１】
好ましくは、送信先ノード情報は、
ＩＡＢ  ｎｏｄｅ識別子、ＤＵ識別子、ＣＵ識別子、基地局識別子、ＣＵ−ＵＰ識別子、ＣＵ−ＣＰ識別子、ＡＭＦ識別子、セル識別子、送信先インデックス番号のような送信先ノードの識別子、
または、送信先ノードのＩＰアドレス、
または、送信先ノードのＩＰアドレスインデックス情報、
または、次のホップ・ノード情報、
を含んでもよいが、これらに限定されない。
【０３１２】
好ましくは、データパケットの属するＵＥ識別子情報は、データパケットの属するＵＥのＵＥ識別子またはデータパケットの属するＩＡＢ  ｎｏｄｅのＵＥ識別子であり、更に、ＵＥ識別子は、Ｅ１ＡＰ  ＩＤ、Ｆ１ＡＰ  ＩＤ、Ｃ−ＲＮＴＩ、Ｓ１  ＡＰ  ＩＤ、Ｘ２  ＡＰ  ＩＤ、ＮＧ  ＡＰ  ＩＤ、Ｘｎ  ＡＰ  ＩＤ、新規定義の識別子を含んでもよいが、これらに限定されない。
【０３１３】
好ましくは、データパケットの属するベアラ／チャネル識別子情報は、データパケットの属するＵＥのベアラ／チャネルの識別子またはデータパケットの属するＩＡＢ  ｎｏｄｅのベアラ／チャネルの識別子である。前記ベアラ識別子は、ＤＲＢ  ＩＤ、ＳＲＢ  ＩＤ、ＬＣＩＤ、ＱＦＩ、ｆｌｏｗ識別子の１つである。
【０３１４】
好ましくは、ルーティング経路情報は、
ルーティング経路識別子、ルーティング経路番号、ルーティング経路インデックス番号を含んでもよいが、これらに限定されない。
【０３１５】
好ましくは、ＱｏＳ関連情報は、ＱＣＩ、または５ＱＩ、またはＱＦＩ、またはＤＳＣＰ値を含んでもよいが、これらに限定されない。
【０３１６】
好ましくは、ＧＴＰトンネル情報は、ＴＮＬアドレスおよび／またはＧＴＰ  ＴＥＩＤ情報を含む。
【０３１７】
好ましくは、プロトコルタイプ指示情報は、ＲＲＣメッセージ、ＮＡＳメッセージ、Ｆ１ＡＰメッセージ、ＯＡＭ情報を含んでもよいが、これらに限定されない。
【０３１８】
本願の一実施例によれば、
第１のＩＡＢノードに適用され、
送信先ノード情報、次のホップ・ノード情報、ルーティング経路情報の少なくとも１つが含まれている第１の設定情報を取得するための第２の取得モジュールと、
前記第１の設定情報に従って転送待ちのデータパケットの次のホップ・ノードを確定するための第２の確定モジュールと、
を備える情報取得装置を更に提供する。
【０３１９】
好ましくは、ＩＡＢ  ｎｏｄｅが第１の設定情報を取得することは、前記ＩＡＢ  ｎｏｄｅがＦ１メッセージによりＣＵまたはＣＵ−ＣＰから前記第１の設定情報を取得することを含む。
【０３２０】
本願の一実施例によれば、
ＩＡＢ  ｄｏｎｏｒ  ＤＵに適用され、
第２の設定情報を取得するための第３の取得モジュールと、
前記第２の設定情報に従ってデータパケットを転送するための第３の確定モジュールとを備え、
第２の設定情報に、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係と、
ＩＰアドレスと送信先ノード情報との間のマッピング関係と、
ＵＥ識別子とＣＵ−ＣＰ識別子との間のマッピング関係と、
ＵＥ識別子と基地局識別子との間のマッピング関係と、
ＵＥ識別子とＩＡＢ  ｎｏｄｅ識別子との間のマッピング関係と、
Ｆ１  ＧＴＰ−ＵトンネルとＣＵ−ＣＰノード情報とのマッピング関係と、
Ｆ１  ＧＴＰ−Ｕトンネルと送信先ノード情報とのマッピング関係と、
ＵＥ識別子と送信先ノード情報とのマッピング関係と、
ＵＥのシグナリング無線ベアラＳＲＢとＦ１  ＧＴＰ−Ｕトンネルとの間のマッピング関係と、
の少なくとも１つが含まれているＩＡＢ制御プレーン情報の取得装置を更に提供する。
【０３２１】
本願の一実施例によれば、
ＩＡＢ  ｄｏｎｏｒ  ＣＵ−ＵＰネットワーク要素に適用され、
第３の設定情報を取得するための第４の取得モジュールと、
前記第３の設定情報に従ってデータパケットを転送するための転送モジュールとを備え、
前記第３の設定情報に、
ＵＥ識別子とＦ１ＡＰ  ＩＤとの間のマッピング関係と、
ＵＥのシグナリング無線ベアラＳＲＢとＦ１ＡＰ  ＩＤとの間のマッピング関係と、
ＵＥ識別子とＣＵ識別子との間のマッピング関係と、
受信したデータパケットの属するＩＰアドレスと送信先ノード情報との間のマッピング関係と、
ＵＥ識別子とＣＵ−ＣＰ識別子との間のマッピング関係と、
ＵＥ識別子と基地局識別子／ＩＰアドレスとの間のマッピング関係と、
ＵＥ識別子とＩＡＢ  ｎｏｄｅ識別子との間のマッピング関係と、
Ｆ１  ＧＴＰ−ＵトンネルとＣＵ−ＣＰノード情報とのマッピング関係と、
ＵＥのＳＲＢとＦ１  ＧＴＰ−Ｕトンネルとの間のマッピング関係と、
Ｆ１  ＧＴＰ−Ｕトンネルと送信先ノード情報とのマッピング関係と、
ＵＥ識別子と送信先ノード情報とのマッピング関係との少なくとも１つが含まれている、ＩＡＢ制御プレーン情報の取得装置を更に提供する。
【０３２２】
好ましくは、ＩＡＢ  ｄｏｎｏｒ  ＤＵが第２の設定情報を取得することは、前記ＩＡＢ  ｄｏｎｏｒ  ＤＵがＦ１メッセージによりＣＵまたはＣＵ−ＣＰから前記第２の設定情報を取得することを含む。
【０３２３】
本願の一実施例によれば、
ＩＡＢ  ｄｏｎｏｒ  ＣＵ−ＵＰまたはＩＡＢ  ｄｏｎｏｒ  ＤＵに適用され、
前記ＩＡＢ  ｄｏｎｏｒ  ＣＵ−ＵＰと前記ＩＡＢ  ｄｏｎｏｒ  ＤＵとの間でデータパケットを伝送するための第１の伝送モジュールを備え、
前記データパケットにＧＴＰ−Ｕパケットヘッダが含まれ、
前記ＧＴＰ−Ｕパケットヘッダには、
ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている情報伝送装置を更に提供する。
【０３２４】
本願の一実施例によれば、
ＩＡＢ  ｄｏｎｏｒ  ＤＵまたはＩＡＢ  ｄｏｎｏｒ  ＣＵ−ＣＰに適用され、
前記ＩＡＢ  ｄｏｎｏｒ  ＤＵと前記ＩＡＢ  ｄｏｎｏｒ  ＣＵ−ＣＰとの間でＦ１ＡＰメッセージを伝送するための第２の伝送モジュールを備え、
前記Ｆ１ＡＰメッセージには、
ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送装置を更に提供する。
【０３２５】
本願の一実施例によれば、
ＩＡＢ  ｄｏｎｏｒ  ＣＵ−ＵＰまたはＩＡＢ  ｄｏｎｏｒ  ＣＵ−ＣＰに適用され、
前記ＩＡＢ  ｄｏｎｏｒ  ＣＵ−ＵＰと前記ＩＡＢ  ｄｏｎｏｒ  ＣＵ−ＣＰとの間でＥ１ＡＰメッセージを伝送するための第３の伝送モジュールを備え、
前記Ｅ１ＡＰメッセージには、
ＵＥ識別子情報、ベアラ識別子情報、送信先ノード情報、制御プレーン指示情報、ユーザプレーン指示情報、ルーティング経路情報、ＱｏＳ関連情報、ＧＴＰトンネル情報、Ｆ１ＡＰ  ＩＤ情報、プロトコルタイプ指示情報の少なくとも１つが含まれている、情報伝送装置を更に提供する。
【０３２６】
なお、上記各モジュールは、ソフトウェアまたはハードウェアで実現でき、後者の場合、上記モジュールがいずれも同一のプロセッサに位置するか、または、上記各モジュールが任意の組み合わせの形式でそれぞれ異なるプロセッサに位置するという方式により実現できるが、これに限定されない。
【実施例３】
【０３２７】
本願の別の実施例によれば、コンピュータプログラムが記憶されている記憶媒体を更に提供し、ここで、前記コンピュータプログラムは、動作すると上記実施例におけるいずれか１項に記載の方法を実行させるように構成される。
【実施例４】
【０３２８】
本願の更なる実施例によれば、コンピュータプログラムが記憶されているメモリと、前記コンピュータプログラムを動作させて上記いずれか１項に記載の方法の実施例におけるステップを実行するように構成されるプロセッサとを備える電子装置を更に提供する。
【０３２９】
明らかに、当業者であれば、上記本願の各モジュールまたは各ステップは、汎用の計算装置で実現でき、それが単一の計算装置に集中されてもよいし、または複数の計算装置からなるネットワークに分布されてもよいことを理解すべきである。好ましくは、それらが計算装置実行可能なプログラムコードで実現できるため、それらを記憶装置に記憶して計算装置により実行することができ、且つ、いくつかの場合、ここでの順序と異なる順序で示されたまたは記述されたステップを実行してもよし、または、それらをそれぞれの集積回路モジュールに作製し、あるいは、それらのうちの複数のモジュールまたはステップを単一の集積回路モジュールに作製して実現してもよい。このように、本願は、任意の特定のハードウェアとソフトウェアとの組み合わせに限定されない。
【０３３０】
上記は本願の好ましい実施例に過ぎず、本願を限定するものではなく、当業者にとって、本願は様々な変更及び変化が可能である。本願の精神および原則内で行われた任意の修正、均等置換、改良等は、全て本願の保護範囲内に含まれるべきである。
【手続補正３】
【補正対象書類名】図面
【補正対象項目名】全図
【補正方法】変更
【補正の内容】
【図１】
2021523638.tif 000019
【図２】
2021523638.tif 000020
【図３】
2021523638.tif 000021
【図４】
2021523638.tif 000022
【図５】
2021523638.tif 000023
【図６】
2021523638.tif 000024
【図７】
2021523638.tif 000025
【図８ａ】
2021523638.tif 000026
【図８ｂ】
2021523638.tif 000027
【図８ｃ】
2021523638.tif 000028
【図９】
2021523638.tif 000029
【図１０】
2021523638.tif 000030
【図１１】
2021523638.tif 000031
【図１２】
2021523638.tif 000032
【図１３】
2021523638.tif 000033
【図１４】
2021523638.tif 000034
【国際調査報告】
2021523638.tif 000035
2021523638.tif 000036
2021523638.tif 000037
2021523638.tif 000038